(57)【要約】【課題】  ルックアップテーブルを記憶するための記憶容量を削減しつつ、様々な色処理に対して処理度合いを任意に調整可能な画像処理装置を提供することを課題とする。【解決手段】  画像処理装置１０は、画像信号ｄ２の色処理を行う画像処理装置であって、プロファイル作成部１５と、色処理実行部１６とを備えている。プロファイル作成部１５は、所定の色処理について異なる処理度合いを実現する複数の基本色変換プロファイルに基づいて、所定の色処理について所定の処理度合いを実現する新たな色変換プロファイルを作成する。色処理実行部１６は、作成された新たな色変換プロファイルに基づいて、画像信号ｄ２の色処理を実行する。【選択図】      図１
2006042294.tif 000002
【特許請求の範囲】
【請求項１】
画像信号の色処理を行う画像処理装置であって、
所定の色処理について異なる処理度合いを実現する複数の基本色変換ルックアップテーブルに基づいて、前記所定の色処理について所定の処理度合いを実現する新たな色変換ルックアップテーブルを作成する色変換ルックアップテーブル作成部と、
作成された前記新たな色変換ルックアップテーブルに基づいて、前記画像信号の色処理を実行する色処理実行部と、
を備える画像処理装置。
【請求項２】
前記色変換ルックアップテーブル作成部は、前記所定の色処理について異なる処理度合いを実現する複数の基本色変換ルックアップテーブルの合成度合いに基づいて前記新たな色変換ルックアップテーブルを作成する作成実行部と、前記作成実行部が作成した前記新たな色変換ルックアップテーブルを記憶するルックアップテーブル記憶部とを有しており、
前記色処理実行部は、前記ルックアップテーブル記憶部に記憶された前記新たな色変換ルックアップテーブルに基づいて、前記画像信号の色処理を実行する、
請求項１に記載の画像処理装置。
【請求項３】
前記複数の基本色変換ルックアップテーブルは、前記所定の色処理についてデフォルトの処理度合いを実現する基本色変換ルックアップテーブルと、前記デフォルトの処理度合いを高めた、あるいは低めた処理度合いを実現する基本色変換ルックアップテーブルとを含んでいる、
請求項１または２に記載の画像処理装置。
【請求項４】
前記基本色変換ルックアップテーブルのそれぞれは、複数の異なる色処理を組み合わせて実現する色変換ルックアップテーブルである、
請求項１〜３のいずれかに記載の画像処理装置。
【請求項５】
前記色変換ルックアップテーブル作成部は、色処理毎に作成される複数の色変換ルックアップテーブルであって、それぞれの色処理について異なる処理度合いを実現する複数の基本色変換ルックアップテーブルに基づいて作成される前記複数の色変換ルックアップテーブルを合成することにより新たな色変換ルックアップテーブルを作成する、
請求項１〜３のいずれかに記載の画像処理装置。
【請求項６】
画像信号の色処理を行う画像処理方法であって、
所定の色処理について異なる処理度合いを実現する複数の基本色変換ルックアップテーブルに基づいて、前記所定の色処理について所定の処理度合いを実現する新たな色変換ルックアップテーブルを作成する色変換ルックアップテーブル作成ステップと、
作成された前記新たな色変換ルックアップテーブルに基づいて、前記画像信号の色処理を実行する色処理実行ステップと、
を備える画像処理方法。
【請求項７】
コンピュータにより画像信号の色処理を行うための画像処理プログラムであって、
前記画像処理プログラムは、
所定の色処理について異なる処理度合いを実現する複数の基本色変換ルックアップテーブルに基づいて、前記所定の色処理について所定の処理度合いを実現する新たな色変換ルックアップテーブルを作成する色変換ルックアップテーブル作成ステップと、
作成された前記新たな色変換ルックアップテーブルに基づいて、前記画像信号の色処理を実行する色処理実行ステップと、
を備える画像処理方法をコンピュータに行わせるものである、
画像処理プログラム。
【請求項８】
請求項１〜５のいずれかに記載の画像処理装置を含む集積回路。
【請求項９】
請求項１〜５のいずれかに記載の画像処理装置と、
前記画像処理装置から出力される色処理された前記画像信号の表示を行う表示手段と、
を備える表示装置。
【請求項１０】
画像の撮影を行う撮影手段と、
前記撮影手段により撮影された画像を前記画像信号として色処理を行う請求項１〜５のいずれかに記載の画像処理装置と、
を備える撮影装置。
【請求項１１】
通信あるいは放送された画像データを受信するデータ受信手段と、
受信された前記画像データを前記画像信号として色処理を行う請求項１〜５のいずれかに記載の画像処理装置と、
前記画像処理装置により色処理された前記画像信号の表示を行う表示手段と、
を備える携帯情報端末。
【請求項１２】
画像の撮影を行う撮影手段と、
前記撮影手段により撮影された画像を前記画像信号として色処理を行う請求項１〜５のいずれかに記載の画像処理装置と、
前記色処理された前記画像信号を送信するデータ送信手段と、
を備える携帯情報端末。
【請求項１３】
入力された画像信号の色処理を行う画像処理装置であって、
異なる色処理を行うための複数のプロファイルに基づいて、色処理に用いられるプロファイルを作成するプロファイル作成手段と、
前記プロファイル作成手段により作成された前記プロファイルを用いて、前記色処理を行う画像処理実行手段と、
を備える画像処理装置。
【請求項１４】
入力された画像信号の色処理を行う画像処理装置であって、
前記色処理に用いられるプロファイルを特定するためのプロファイル情報を出力するプロファイル情報出力手段と、
前記プロファイル情報出力手段から出力された情報に基づいて特定されるプロファイルを用いて前記色処理を行う画像処理実行手段と、
を備える画像処理装置。
【請求項１５】
前記プロファイル情報出力手段は、前記色処理された画像信号を表示する表示環境に応じて、前記プロファイル情報を出力する、
請求項１４に記載の画像処理装置。
【請求項１６】
前記プロファイル情報出力手段は、前記画像信号に含まれる情報のうちプロファイルに関わる情報に応じて、前記プロファイル情報を出力する、
請求項１４に記載の画像処理装置。
【請求項１７】
前記プロファイル情報出力手段は、取得された前記色処理の特徴に関わる情報に応じて、前記プロファイル情報を出力する、
請求項１４に記載の画像処理装置。
【請求項１８】
前記プロファイル情報出力手段は、前記画像信号が生成された環境に関わる情報に応じて、前記プロファイル情報を出力する、
請求項１４に記載の画像処理装置。
【請求項１９】
前記画像信号は、画像データと、前記画像信号の属性情報とを含んでおり、
前記プロファイル情報出力手段は、前記属性情報に応じて、前記プロファイル情報を出力する、
請求項１４に記載の画像処理装置。
【請求項２０】
前記属性情報とは、前記画像データの全体に関わる全体属性情報を含んでいる、
請求項１９に記載の画像処理装置。
【請求項２１】
前記属性情報とは、前記画像データの一部に関わる部分属性情報を含んでいる、
請求項１９または２０に記載の画像処理装置。
【請求項２２】
前記属性情報とは、前記画像信号が生成された環境に関わる生成環境属性情報を含んでいる、
請求項１９に記載の画像処理装置。
【請求項２３】
前記属性情報とは、前記画像信号が取得された媒体に関わる媒体属性情報を含んでいる、
請求項１９に記載の画像処理装置。
【請求項２４】
請求項１３〜２３のいずれかに記載の画像処理装置において、
前記プロファイルは、２次元ＬＵＴであって、
前記画像処理実行手段は、請求項１〜５のいずれかに記載の画像処理装置を含む、
ことを特徴とする画像処理装置。
【請求項２５】
入力された画像信号に色処理を行う画像処理実行手段と、
入力された画像信号に好適な色処理を行うプロファイルを特定するためのプロファイル情報を出力するプロファイル情報出力手段と、
前記画像信号あるいは前記画像処理実行手段により色処理された前記画像信号に対して、前記プロファイル情報を付加して出力するプロファイル情報付加手段と、
を備える画像処理装置。
【請求項２６】
請求項１３〜２５のいずれかに記載の画像処理装置を含む集積回路。
【請求項２７】
請求項１３〜２５のいずれかに記載の画像処理装置と、
前記画像処理装置により色処理された前記画像信号の表示を行う表示手段と、
を備える表示装置。
【請求項２８】
画像の撮影を行う撮影手段と、
前記撮影手段により撮影された画像を前記画像信号として色処理を行う請求項１３〜２５のいずれかに記載の画像処理装置と、
を備える撮影装置。
【請求項２９】
通信あるいは放送された画像データを受信するデータ受信手段と、
受信された前記画像データを前記画像信号として色処理を行う請求項１３〜２５のいずれかに記載の画像処理装置と、
前記画像処理装置により色処理された前記画像信号の表示を行う表示手段と、
を備える携帯情報端末。
【請求項３０】
画像の撮影を行う撮影手段と、
前記撮影手段により撮影された画像を前記画像信号として色処理を行う請求項１３〜２５のいずれかに記載の画像処理装置と、
前記色処理された前記画像信号を送信するデータ送信手段と、
を備える携帯情報端末。
【請求項３１】
画像信号の色処理を行う半導体装置であって、
所定の色処理について異なる処理度合いを実現する複数の基本色変換ルックアップテーブルに基づいて、前記所定の色処理について所定の処理度合いを実現する新たな色変換ルックアップテーブルを作成する色変換ルックアップテーブル作成部と、
作成された前記新たな色変換ルックアップテーブルに基づいて、前記画像信号の色処理を実行する色処理実行部と、
を備える半導体装置。
【請求項３２】
入力された画像信号の色処理を行う半導体装置であって、
異なる色処理を行うための複数のプロファイルに基づいて、色処理に用いられるプロファイルを作成するプロファイル作成部と、
前記プロファイル作成部により作成された前記プロファイルを用いて、前記色処理を行う画像処理実行部と、
を備える半導体装置。
【請求項３３】
入力された画像信号の色処理を行う半導体装置であって、
前記色処理に用いられるプロファイルを特定するためのプロファイル情報を出力するプロファイル情報出力部と、
前記プロファイル情報出力部から出力された情報に基づいて特定されるプロファイルを用いて前記色処理を行う画像処理実行部と、
を備える半導体装置。
【請求項３４】
入力された画像信号に色処理を行う画像処理実行部と、
入力された画像信号に好適な色処理を行うプロファイルを特定するためのプロファイル情報を出力するプロファイル情報出力部と、
前記画像信号あるいは前記画像処理実行部により色処理された前記画像信号に対して、前記プロファイル情報を付加して出力するプロファイル情報付加部と、
を備える半導体装置。
【発明の詳細な説明】
【技術分野】
【０００１】
本発明は、画像処理装置、特に、画像信号の色処理を行う画像処理装置に関する。
【背景技術】
【０００２】
画像信号に対する画像処理として、色処理について知られている。
色処理とは、例えば、表示色変換処理、色域変換処理、記憶色補正処理等と呼ばれる処理である。表示色変換処理とは、画像信号の全体の色調を調整する処理であり、例えば、画像信号の明るさを調整する、あるいは画像信号に特定の効果（例えば、フィルムライク処理など）を与えるよう調整する処理である。色域変換処理とは、画像信号の入出力デバイスに固有の色空間において画像信号を再生表示させるために行われる処理であり、色域圧縮（Ｇａｍｕｔ  Ｍａｐｐｉｎｇ）などと呼ばれる処理である。記憶色補正処理とは、画像信号中の空の色、肌の色あるいは緑の色といった特定の色を記憶に合うように調整する処理である。
【０００３】
これらの処理においては、入力される画像信号をある写像関数により別空間へと写像するという処理が必要となる。しかし、このような写像関数は、一般的に線形の写像関数とはならない場合が多い、またこのような写像関数を定式化すること自体できない場合もある。そこで、このような処理においては、ルックアップテーブルを用いた処理が行われる。
【０００４】
ルックアップテーブルを用いた処理に際して、問題となるのは、ルックアップテーブルを記憶する記憶装置の容量を減らしつつ、いかに高精度の色処理を実行することができるかという点である。すなわち、入力された全ての画像信号に対して色処理された画像信号のデータをルックアップテーブルに格納するのでは、ルックアップテーブルが膨大な容量となってしまう。一方、一部の画像信号に対する色処理された画像信号のデータのみをルックアップテーブルに格納するのでは、色処理の精度が低くなる。
【０００５】
これに対し、ルックアップテーブルには、入力された画像信号の一部に対する色処理された画像信号のデータを格納し、このルックアップテーブルを補間して用いることにより色処理の精度を向上させる技術（例えば、特許文献１参照）、またルックアップテーブルを繰り返し補正し、記憶色の色再現性を向上させるルックアップテーブルを得るための技術（例えば、特許文献２参照）が知られている。
【特許文献１】特開平４−３６７１６２号公報
【特許文献２】特開平１１−２０５６２０号公報
【発明の開示】
【発明が解決しようとする課題】
【０００６】
一方、上記した表示色変換処理、色域変換処理、記憶色補正処理等と呼ばれるそれぞれの処理において、処理度合いを任意に調整することが求められている。例えば、色処理された画像信号を出力する出力デバイスの環境に対応して色処理を行うことが求められている。より具体的には、色処理された画像信号を周囲の環境光に応じてモニタ表示させること、あるいは色処理された画像信号を紙質に応じてプリンタによりプリントアウトさせることなどが求められている。また、表示色変換処理、記憶色補正処理などにおいては、観者それぞれの好みに応じた色処理が求められている。
【０００７】
しかし、これらの色処理を実現するためには、色処理の処理度合いを異ならせた膨大な数のルックアップテーブルを有することが必要となり、ルックアップテーブルを記憶するためのメモリなどの記憶容量も膨大なものとなる。
そこで、本発明では、ルックアップテーブルを記憶するための記憶容量を削減しつつ、様々な色処理に対して処理度合いを任意に調整可能な画像処理装置を提供することを課題とする。
【課題を解決するための手段】
【０００８】
請求項１に記載の画像処理装置は、画像信号の色処理を行う画像処理装置であって、色変換ルックアップテーブル作成部と、色処理実行部とを備えている。色変換ルックアップテーブル作成部は、所定の色処理について異なる処理度合いを実現する複数の基本色変換ルックアップテーブルに基づいて、所定の色処理について所定の処理度合いを実現する新たな色変換ルックアップテーブルを作成する。色処理実行部は、作成された新たな色変換ルックアップテーブルに基づいて、画像信号の色処理を実行する。
【０００９】
ここで、所定の色処理とは、例えば、表示色変換処理、色域変換処理、記憶色補正処理等と呼ばれる処理である（以下、この欄において同じ）。色処理についての処理度合いとは、例えば、記憶色補正処理であれば、記憶色を強化する色補正処理の強化度合いのことである（以下、この欄において同じ）。
【００１０】
本発明の画像処理装置においては、少数の基本色変換ルックアップテーブルを備えるだけで、任意の処理度合いの色処理を実現することが可能となる。また、少数の基本色変換ルックアップテーブル以外には、あらかじめ処理度合いを異ならせた色変換ルックアップテーブルを用意しておく必要がなく、色変換ルックアップテーブルを記憶するメモリなどの記憶容量を削減することが可能となる。
【００１１】
請求項２に記載の画像処理装置は、請求項１に記載の画像処理装置であって、色変換ルックアップテーブル作成部は、作成実行部とルックアップテーブル記憶部とを有している。作成実行部は、所定の色処理について異なる処理度合いを実現する複数の基本色変換ルックアップテーブルの合成度合いに基づいて新たな色変換ルックアップテーブルを作成する。ルックアップテーブル記憶部は、作成実行部が作成した新たな色変換ルックアップテーブルを記憶する。また、色処理実行部は、ルックアップテーブル記憶部に記憶された新たな色変換ルックアップテーブルに基づいて、画像信号の色処理を実行する。
【００１２】
作成実行部は、例えば、複数の基本色変換ルックアップテーブルどうしの合成度合いを用いて、それぞれの基本色変換ルックアップテーブルにおける対応する要素どうしを内分あるいは外分し、新たな色変換ルックアップテーブルの各要素の値を決定する。ルックアップテーブル記憶部は、新たな色変換ルックアップテーブルの各要素の値を記憶する。色処理実行部は、ルックアップテーブル記憶部に記憶された新たな色変換ルックアップテーブルを用いて、画像信号の色処理を実行する。
【００１３】
本発明の画像処理装置においては、基本色変換ルックアップテーブルの合成度合いを任意に変更することにより、任意の処理度合いを実現する新たな色変換ルックアップテーブルを作成することが可能となる。
請求項３に記載の画像処理装置は、請求項１または２に記載の画像処理装置であって、複数の基本色変換ルックアップテーブルは、所定の色処理についてデフォルトの処理度合いを実現する基本色変換ルックアップテーブルと、デフォルトの処理度合いを高めた、あるいは低めた処理度合いを実現する基本色変換ルックアップテーブルとを含んでいる。
【００１４】
作成実行部は、例えば、複数の基本色変換ルックアップテーブルの合成度合いに基づいて、デフォルトの処理度合いを実現する基本色変換ルックアップテーブルと、デフォルトの処理度合いを高めた、あるいは低めた処理度合いを実現する基本色変換ルックアップテーブルとの対応する各要素どうしを内分あるいは外分し、新たな色変換ルックアップテーブルの各要素の値を決定する。
【００１５】
本発明の画像処理装置においては、デフォルトの処理度合いを実現する基本色変換ルックアップテーブルを用いて色処理を行うことが可能となるとともに、必要に応じてデフォルトの処理度合いを実現する基本色変換ルックアップテーブルをカスタマイズして色処理を行うことも可能となる。
【００１６】
請求項４に記載の画像処理装置は、請求項１〜３のいずれかに記載の画像処理装置であって、基本色変換ルックアップテーブルのそれぞれは、複数の異なる色処理を組み合わせて実現する色変換ルックアップテーブルである。
ここで、基本色変換ルックアップテーブルは、例えば、画像信号に対して複数の色処理を直列的に行った結果を格納している。さらに、それぞれの基本色変換ルックアップテーブルは、複数の色処理のうちの一部の色処理について、異なる処理度合いを実現する色変換ルックアップテーブルである。
【００１７】
本発明の画像処理装置においては、複数の色処理を組み合わせて実現する色変換ルックアップテーブルを用いるため、複数の色処理を実行するために要する時間を短縮することが可能となる。また、複数の色処理のうちの少なくとも一部の色処理については、任意の処理度合いで実行することが可能となる。
【００１８】
請求項５に記載の画像処理装置は、請求項１〜３のいずれかに記載の画像処理装置であって、色変換ルックアップテーブル作成部は、色処理毎に作成される複数の色変換ルックアップテーブルであって、それぞれの色処理について異なる処理度合いを実現する複数の基本色変換ルックアップテーブルに基づいて作成される複数の色変換ルックアップテーブルを合成することにより新たな色変換ルックアップテーブルを作成する。
【００１９】
ここで、色変換ルックアップテーブル作成部は、複数の基本色変換ルックアップテーブルの合成により新たな色変換ルックアップテーブルを作成する。
本発明の画像処理装置においては、複数の色処理のそれぞれについて任意の処理度合いを実現する新たな色変換ルックアップテーブルを作成することが可能となる。このため、より高精度な画像処理を実現することが可能となる。
【００２０】
請求項６に記載の画像処理方法は、画像信号の色処理を行う画像処理方法であって、色変換ルックアップテーブル作成ステップと、色処理実行ステップとを備えている。色変換ルックアップテーブル作成ステップは、所定の色処理について異なる処理度合いを実現する複数の基本色変換ルックアップテーブルに基づいて、所定の色処理について所定の処理度合いを実現する新たな色変換ルックアップテーブルを作成する。色処理実行ステップは、作成された新たな色変換ルックアップテーブルに基づいて、画像信号の色処理を実行する。
【００２１】
本発明の画像処理方法においては、少数の基本色変換ルックアップテーブルを備えるだけで、任意の処理度合いの色処理を実現することが可能となる。また、少数の基本色変換ルックアップテーブル以外には、あらかじめ処理度合いを異ならせた色変換ルックアップテーブルを用意しておく必要がなく、色変換ルックアップテーブルを記憶するメモリなどの記憶容量を削減することが可能となる。
【００２２】
請求項７に記載の画像処理プログラムは、コンピュータにより画像信号の色処理を行うための画像処理プログラムであって、色変換ルックアップテーブル作成ステップと、色処理実行ステップとをそなえる画像処理方法をコンピュータに行わせるものである。色変換ルックアップテーブル作成ステップは、所定の色処理について異なる処理度合いを実現する複数の基本色変換ルックアップテーブルに基づいて、所定の色処理について所定の処理度合いを実現する新たな色変換ルックアップテーブルを作成する。色処理実行ステップは、作成された新たな色変換ルックアップテーブルに基づいて、画像信号の色処理を実行する。
【００２３】
本発明の画像処理プログラムにおいては、少数の基本色変換ルックアップテーブルを備えるだけで、任意の処理度合いの色処理を実現することが可能となる。
請求項８に記載の集積回路は、請求項１〜５のいずれかに記載の画像処理装置を含む。
本発明の集積回路では、請求項１〜５のいずれかに記載の画像処理装置と同様の効果を得ることが可能となる。
【００２４】
請求項９に記載の表示装置は、請求項１〜５のいずれかに記載の画像処理装置と、画像処理装置から出力される色処理された画像信号の表示を行う表示手段とを備えている。
本発明の表示装置では、請求項１〜５のいずれかに記載の画像処理装置と同様の効果を得ることが可能となる。
【００２５】
請求項１０に記載の撮影装置は、画像の撮影を行う撮影手段と、撮影手段により撮影された画像を画像信号として色処理を行う請求項１〜５のいずれかに記載の画像処理装置とを備えている。
本発明の撮影装置では、請求項１〜５のいずれかに記載の画像処理装置と同様の効果を得ることが可能となる。
【００２６】
請求項１１に記載の携帯情報端末は、通信あるいは放送された画像データを受信するデータ受信手段と、受信された画像データを画像信号として色処理を行う請求項１〜５のいずれかに記載の画像処理装置と、画像処理装置により色処理された画像信号の表示を行う表示手段とを備えている。
【００２７】
本発明の携帯情報端末では、請求項１〜５のいずれかに記載の画像処理装置と同様の効果を得ることが可能となる。
請求項１２に記載の携帯情報端末は、画像の撮影を行う撮影手段と、撮影手段により撮影された画像を画像信号として色処理を行う請求項１〜５のいずれかに記載の画像処理装置と、色処理された画像信号を送信するデータ送信手段とを備えている。
【００２８】
本発明の携帯情報端末では、請求項１〜５のいずれかに記載の画像処理装置と同様の効果を得ることが可能となる。
請求項１３に記載の画像処理装置は、入力された画像信号の色処理を行う画像処理装置であって、プロファイル作成手段と、画像処理実行手段とを備えている。プロファイル作成手段は、異なる色処理を行うための複数のプロファイルに基づいて、色処理に用いられるプロファイルを作成する。画像処理実行手段は、プロファイル作成手段により作成されたプロファイルを用いて、色処理を行う。
【００２９】
ここで、色処理とは、例えば、表示色変換処理、色域変換処理、記憶色補正処理などである。
また、プロファイルとは、例えば、画像信号に対する演算を行うための係数マトリクスデータや、画像信号の値に対する色処理された画像信号の値を格納するテーブルデータなどである（以下、この欄において同じ）。
【００３０】
本発明の画像処理装置は、複数のプロファイルに基づいて新たなプロファイルを作成する。このため、予め用意されるプロファイルが少数であっても、多くの異なる色処理を行うことが可能となる。すなわち、プロファイルを記憶するための記憶容量を削減することが可能となる。
【００３１】
請求項１４に記載の画像処理装置は、入力された画像信号の色処理を行う画像処理装置であって、プロファイル情報出力手段と、画像処理実行手段とを備えている。プロファイル情報出力手段は、色処理に用いられるプロファイルを特定するためのプロファイル情報を出力する。画像処理実行手段は、プロファイル情報出力手段から出力された情報に基づいて特定されるプロファイルを用いて色処理を行う。
【００３２】
ここで、プロファイル情報とは、例えば、プロファイルが格納するデータ、プロファイルを特定する番号などのタグ情報、プロファイルの処理の特徴を示すパラメータ情報、その他プロファイルを特定するための情報などである。
本発明の画像処理装置では、プロファイル情報に基づいて、プロファイルを制御し、色処理を行うことが可能となる。
【００３３】
請求項１５に記載の画像処理装置は、請求項１４に記載の画像処理装置であって、プロファイル情報出力手段は、色処理された画像信号を表示する表示環境に応じて、プロファイル情報を出力する。
ここで、表示環境とは、例えば、環境光の明るさや色温度、表示を行う装置、表示される画像のサイズ、表示される画像と表示される画像を視覚するユーザとの位置関係、ユーザに関する情報などである。
【００３４】
本発明の画像処理装置では、表示環境に応じた色処理を行うことが可能となる。
請求項１６に記載の画像処理装置は、請求項１４に記載の画像処理装置であって、プロファイル情報出力手段は、画像信号に含まれる情報のうちプロファイルに関わる情報に応じて、プロファイル情報を出力する。
【００３５】
プロファイルに関わる情報とは、例えば、プロファイルが格納するデータ、プロファイルを特定する番号などのタグ情報、プロファイルの処理の特徴を示すパラメータ情報、その他プロファイルを特定するための情報などである。
本発明の画像処理装置では、プロファイルに関わる情報を画像信号から取得し、色処理を行うことが可能となる。
【００３６】
請求項１７に記載の画像処理装置は、請求項１４に記載の画像処理装置であって、プロファイル情報出力手段は、取得された色処理の特徴に関わる情報に応じて、プロファイル情報を出力する。
色処理の特徴に関わる情報とは、色処理のパラメータの特徴についての情報であり、例えば、明度、色相、彩度、記憶色補正の特性などといったパラメータの値などである。
【００３７】
本発明の画像処理装置では、例えば、色処理の特徴に関わる情報をユーザの好みで入力することにより色処理を行うことが可能となる。
請求項１８に記載の画像処理装置は、請求項１４に記載の画像処理装置であって、プロファイル情報出力手段は、画像信号が生成された環境に関わる情報に応じて、プロファイル情報を出力する。
【００３８】
画像信号が生成された環境に関わる情報とは、例えば、画像信号が撮影により記録された場合の撮影環境に関わる情報や、撮影環境における撮影許可情報などを含んでいる。
本発明の画像処理装置では、画像信号が生成された環境に関わる情報に応じて色処理を行うことが可能となる。
【００３９】
請求項１９に記載の画像処理装置は、請求項１４に記載の画像処理装置であって、画像信号は、画像データと、画像信号の属性情報とを含んでいる。プロファイル情報出力手段は、属性情報に応じて、プロファイル情報を出力する。
本発明の画像処理装置では、画像信号の属性情報に応じて色処理を行うことが可能となる。このため、画像信号に適した色処理を行うことが可能となる。
【００４０】
請求項２０に記載の画像処理装置は、請求項１９に記載の画像処理装置であって、属性情報とは、画像データの全体に関わる全体属性情報を含んでいる。
全体属性情報とは、例えば、画像データ全体の制作に関する情報や、画像データ全体の内容に関する情報などを含んでいる。
【００４１】
本発明の画像処理装置では、全体属性情報に応じて色処理を行うことが可能となる。このため、画像データに適した色処理を行うことが可能となる。
請求項２１に記載の画像処理装置は、請求項１９または２０に記載の画像処理装置であって、属性情報とは、画像データの一部に関わる部分属性情報を含んでいる。
【００４２】
部分属性情報とは、例えば、画像データの一部のシーン内容に関する情報などを含んでいる。
本発明の画像処理装置では、部分属性情報に応じて色処理を行うことが可能となる。このため、画像データに適した色処理を行うことが可能となる。
【００４３】
請求項２２に記載の画像処理装置は、請求項１９に記載の画像処理装置であって、属性情報とは、画像信号が生成された環境に関わる生成環境属性情報を含んでいる。
生成環境属性情報とは、画像信号が撮影、記録、作成された環境に関する情報であり、例えば、画像信号が生成された際の環境に関する情報や、生成に用いられた機器の動作情報などを含んでいる。
【００４４】
本発明の画像処理装置では、生成環境属性情報に応じて色処理を行うことが可能となる。このため、画像信号に適した色処理を行うことが可能となる。
請求項２３に記載の画像処理装置は、請求項１９に記載の画像処理装置であって、属性情報とは、画像信号が取得された媒体に関わる媒体属性情報を含んでいる。
【００４５】
媒体属性情報とは、放送媒体、通信媒体、記録媒体など、画像信号が取得された媒体に関わる情報である。
本発明の画像処理装置では、媒体属性情報に応じて色処理を行うことが可能となる。このため、媒体の属性に適した色処理を行うことが可能となる。
【００４６】
請求項２４に記載の画像処理装置は、請求項１３〜２３のいずれかに記載の画像処理装置において、プロファイルは、２次元ＬＵＴである。画像処理実行手段は、請求項１〜５のいずれかに記載の画像処理装置を含む。
本発明の画像処理装置では、請求項１３〜２３のいずれかに記載の画像処理装置と同様の効果が得られる。さらに、請求項１〜５のいずれかに記載の画像処理装置と同様の効果が得られる。
【００４７】
請求項２５に記載の画像処理装置は、画像処理実行手段と、プロファイル情報出力手段と、プロファイル情報付加手段とを備えている。画像処理実行手段は、入力された画像信号に色処理を行う。プロファイル情報出力手段は、入力された画像信号に好適な色処理を行うプロファイルを特定するためのプロファイル情報を出力する。プロファイル情報付加手段は、画像信号あるいは画像処理実行手段により色処理された画像信号に対して、プロファイル情報を付加して出力する。
【００４８】
本発明の画像処理装置により、画像信号あるいは画像処理実行手段により色処理された画像信号と、プロファイル情報とを関連づけて処理することが可能となる。このため、プロファイル情報が付加された信号を取得した装置は、その信号に対して、好適な色処理を容易に行うことが可能となる。
【００４９】
請求項２６に記載の集積回路は、請求項１３〜２５のいずれかに記載の画像処理装置を含む。
本発明の集積回路では、請求項１３〜２５のいずれかに記載の画像処理装置と同様の効果を得ることが可能となる。
【００５０】
請求項２７に記載の表示装置は、請求項１３〜２５のいずれかに記載の画像処理装置と、画像処理装置により色処理された画像信号の表示を行う表示手段とを備えている。
本発明の表示装置では、請求項１３〜２５のいずれかに記載の画像処理装置と同様の効果を得ることが可能となる。
【００５１】
請求項２８に記載の撮影装置は、画像の撮影を行う撮影手段と、撮影手段により撮影された画像を画像信号として色処理を行う請求項１３〜２５のいずれかに記載の画像処理装置とを備えている。
本発明の撮影装置では、請求項１３〜２５のいずれかに記載の画像処理装置と同様の効果を得ることが可能となる。
【００５２】
請求項２９に記載の携帯情報端末は、通信あるいは放送された画像データを受信するデータ受信手段と、受信された画像データを画像信号として色処理を行う請求項１３〜２５のいずれかに記載の画像処理装置と、画像処理装置により色処理された画像信号の表示を行う表示手段とを備えている。
【００５３】
本発明の携帯情報端末では、請求項１３〜２５のいずれかに記載の画像処理装置と同様の効果を得ることが可能となる。
請求項３０に記載の携帯情報端末は、画像の撮影を行う撮影手段と、撮影手段により撮影された画像を画像信号として色処理を行う請求項１３〜２５のいずれかに記載の画像処理装置と、色処理された画像信号を送信するデータ送信手段とを備えている。
【００５４】
本発明の携帯情報端末では、請求項１３〜２５のいずれかに記載の画像処理装置と同様の効果を得ることが可能となる。
請求項３１に記載の半導体装置は、画像信号の色処理を行う半導体装置であって、色変換ルックアップテーブル作成部と、色処理実行部とを備えている。色変換ルックアップテーブル作成部は、所定の色処理について異なる処理度合いを実現する複数の基本色変換ルックアップテーブルに基づいて、所定の色処理について所定の処理度合いを実現する新たな色変換ルックアップテーブルを作成する。色処理実行部は、作成された新たな色変換ルックアップテーブルに基づいて、画像信号の色処理を実行する。
【００５５】
本発明の半導体装置においては、少数の基本色変換ルックアップテーブルに基づいて、任意の処理度合いの色処理を実現することが可能となる。また、少数の基本色変換ルックアップテーブル以外には、あらかじめ処理度合いを異ならせた色変換ルックアップテーブルを用意しておく必要がなく、色変換ルックアップテーブルを記憶するメモリなどの記憶容量を削減することが可能となる。
【００５６】
請求項３２に記載の半導体装置は、入力された画像信号の色処理を行う半導体装置であって、プロファイル作成部と、画像処理実行部とを備えている。プロファイル作成部は、異なる色処理を行うための複数のプロファイルに基づいて、色処理に用いられるプロファイルを作成する。画像処理実行部は、プロファイル作成部により作成されたプロファイルを用いて、色処理を行う。
【００５７】
ここで、色処理とは、例えば、表示色変換処理、色域変換処理、記憶色補正処理などである。
また、プロファイルとは、例えば、画像信号に対する演算を行うための係数マトリクスデータや、画像信号の値に対する色処理された画像信号の値を格納するテーブルデータなどである。
【００５８】
本発明の半導体装置は、複数のプロファイルに基づいて新たなプロファイルを作成する。このため、予め用意されるプロファイルが少数であっても、多くの異なる色処理を行うことが可能となる。すなわち、プロファイルを記憶するためのメモリなどの記憶容量を削減することが可能となる。
【００５９】
請求項３３に記載の半導体装置は、入力された画像信号の色処理を行う半導体装置であって、プロファイル情報出力部と、画像処理実行部とを備えている。プロファイル情報出力部は、色処理に用いられるプロファイルを特定するためのプロファイル情報を出力する。画像処理実行部は、プロファイル情報出力部から出力された情報に基づいて特定されるプロファイルを用いて色処理を行う。
【００６０】
ここで、プロファイル情報とは、例えば、プロファイルが格納するデータ、プロファイルを特定する番号などのタグ情報、プロファイルの処理の特徴を示すパラメータ情報、その他プロファイルを特定するための情報などである。
本発明の半導体装置では、プロファイル情報に基づいて、プロファイルを制御し、色処理を行うことが可能となる。
【００６１】
請求項３４に記載の半導体装置は、画像処理実行部と、プロファイル情報出力部と、プロファイル情報付加部とを備えている。画像処理実行部は、入力された画像信号に色処理を行う。プロファイル情報出力部は、入力された画像信号に好適な色処理を行うプロファイルを特定するためのプロファイル情報を出力する。プロファイル情報付加部は、画像信号あるいは画像処理実行部により色処理された画像信号に対して、プロファイル情報を付加して出力する。
【００６２】
本発明の半導体装置により、画像信号あるいは画像処理実行部により色処理された画像信号と、プロファイル情報とを関連づけて処理することが可能となる。このため、プロファイル情報が付加された信号を取得した装置は、その信号に対して、好適な色処理を容易に行うことが可能となる。
【発明の効果】
【００６３】
本発明により、ルックアップテーブルを記憶するための記憶容量を削減しつつ、様々な色処理に対して処理度合いを任意に調整可能な画像処理装置を提供することが可能となる。
【発明を実施するための最良の形態】
【００６４】
［第１実施形態］
図１〜図３を用いて、第１実施形態に係る画像処理装置１０について説明する。画像処理装置１０は、画像信号の視覚処理とともに、画像信号の色処理を行う装置である。画像処理装置１０は、例えば、コンピュータ、デジタルカメラ、携帯電話、ＰＤＡ、プリンタ、スキャナ、デジタルテレビなどの画像を取り扱う機器において備えられる。
【００６５】
〈構成〉
図１を用いて、画像処理装置１０の基本構成について説明する。画像処理装置１０は、入力信号ｄ１を入力とし、画像処理された出力信号ｄ３を出力とする画像処理装置である。画像処理装置１０は、入力信号ｄ１を入力とし視覚処理された画像信号ｄ２を出力とする視覚処理部１１と、色処理の基本となる基本色変換プロファイルを格納し選択された基本色変換プロファイルのデータである選択プロファイルデータｄ５を出力とする基本プロファイル群記憶部１２と、画像信号ｄ２と選択プロファイルデータｄ５とを入力とし色処理された出力信号ｄ３を出力する色処理部１３と、各部に制御信号ｃ１〜ｃ３を与える制御部１４とを備えている。
【００６６】
視覚処理部１１は、制御部１４からの制御信号ｃ１を受け、入力信号ｄ１の空間処理、階調処理などといった視覚処理を行い、画像信号ｄ２を出力する。視覚処理部１１は、例えば、入力信号ｄ１の低域空間のみを通過させる低域空間フィルタにより空間処理を行う。低域空間フィルタとしては、通常用いられるＦＩＲ（Ｆｉｎｉｔｅ  Ｉｍｐｕｌｓｅ  Ｒｅｓｐｏｎｅｓ）型の低域空間フィルタ、あるいはＩＩＲ（Ｉｎｆｉｎｉｔｅ  Ｉｍｐｕｌｓｅ  Ｒｅｓｐｏｎｅｓ）型の低域空間フィルタなどを用いてもよい。また、視覚処理部１１は、ガンマ曲線などを用いた階調処理を行う。
【００６７】
基本プロファイル群記憶部１２は、例えば、表示色変換処理、色域変換処理、記憶色補正処理などの色処理を単独であるいは組み合わせて実現するための複数の基本色変換プロファイルを格納している。それぞれの基本色変換プロファイルは、ある色空間から別の色空間への写像を与えるルックアップテーブルとして記憶されている。より具体的には、ルックアップテーブルは、Ｒ（レッド）、Ｇ（グリーン）、Ｂ（ブルー）の３次元の画像信号値（Ｒ０，Ｇ０，Ｂ０）に対して、色処理後の画像信号値（Ｒ１，Ｇ１，Ｂ１）を与える３次元ルックアップテーブルとして記憶されている。また、基本プロファイル群記憶部１２に記憶される基本色変換プロファイルは、画像処理装置の外部のパーソナルコンピュータ（ＰＣ）２５において予め算出される。算出された基本色変換プロファイルは、基本色変換プロファイルのデータである基本プロファイルデータｄ４をＰＣ２５から転送することにより基本プロファイル群記憶部１２に格納される。
【００６８】
なお、基本プロファイル群記憶部１２は、ＲＯＭ、書き換え・データ更新が可能な記憶媒体（ＲＡＭ、ハードディスクなど）、あるいは画像処理装置１０から取り外し可能な記憶媒体（メモリーカードなど）で構成される。画像処理装置１０の基本プロファイル群記憶部１２には、予め作成された基本プロファイルデータｄ４がＰＣ２５から読み込まれることとなる。また、基本プロファイル群記憶部１２の書き換え・データ更新が可能な場合、外部のネットワークに接続することで、外部より自由に基本色変換プロファイルを更新させることができる。
【００６９】
色処理部１３は、選択プロファイルデータｄ５を入力とし処理用プロファイルデータｄ７を出力とするプロファイル作成部１５と、画像信号ｄ２と処理用プロファイルデータｄ７とを入力とし出力信号ｄ３を出力とする色処理実行部１６とを有している。プロファイル作成部１５は、選択プロファイルデータｄ５を入力とし選択プロファイルデータに基づいて作成された生成プロファイルデータｄ６を出力とするプロファイル作成実行部２０と、生成プロファイルデータｄ６を入力として格納し、格納されたデータのうち色処理に用いられるデータである処理用プロファイルデータｄ７を出力とするプロファイルＲＡＭ２１とから構成される。
【００７０】
次に、図２を用いて、本発明の特徴部分である基本プロファイル群記憶部１２、色処理部１３の詳細な構成について説明する。
（基本プロファイル群記憶部１２）
基本プロファイル群記憶部１２は、複数の基本色変換プロファイルからなる複数のプロファイル群を記憶している。図２に示す画像処理装置１０では、それぞれ２つの基本色変換プロファイルからなる２つのプロファイル群２２，２３を記憶している。プロファイル群２２は、処理Ｘについて処理度合いの異なる処理Ｘ１と処理Ｘ２とを実現するための２つの基本色変換プロファイル２２ａと２２ｂとを備えている。プロファイル群２３は、処理Ｙについて処理度合いの異なる処理Ｙ１と処理Ｙ２とを実現するための２つの基本色変換プロファイル２３ａと２３ｂとを備えている。
【００７１】
ここで、処理Ｘあるいは処理Ｙとは、例えば、表示色変換処理、色域変換処理、記憶色補正処理のいずれかの色処理、あるいは表示色変換処理、色域変換処理、記憶色補正処理を組み合わせた色処理などである。
《プロファイル群》
プロファイル群について説明する。プロファイル群とは、同じ色処理について色処理の程度を異ならせた基本色変換プロファイルから構成されるグループである。プロファイル群２２および２３のそれぞれは、表示色変換処理、色域変換処理、記憶色補正処理のいずれかの色処理を実現する機能、あるいは表示色変換処理、色域変換処理、記憶色補正処理を組み合わせた色処理を実現する機能を有している。例えば、プロファイル群２２が記憶色補正処理を実現する場合、基本色変換プロファイル２２ａと２２ｂとは、異なる補正度合いの記憶色補正を実現する。より具体的には、例えば、基本色変換プロファイル２２ａが肌色を濃い肌色に変換し、基本色変換プロファイル２２ｂが肌色を薄い肌色に変換するというように、それぞれの基本色変換プロファイルは、同じ機能を有しながら異なる処理度合いを実現する。
【００７２】
《基本色変換プロファイル》
基本色変換プロファイルについて説明する。基本色変換プロファイルは、それぞれ８ビットで表現される３次元の画像信号値（Ｒ０，Ｇ０，Ｂ０）に対して、色処理後の画像信号値（Ｒ１，Ｇ１，Ｂ１）を与える３次元ルックアップテーブルである。ここで、色処理前の画像信号値（Ｒ０，Ｇ０，Ｂ０）の全てに対して、それぞれ８ビットで表現される色処理後の画像信号値（Ｒ１，Ｇ１，Ｂ１）を与える場合、｛（２＾８）＾３｝＊３＝４８Ｍバイトと基本プロファイル群記憶部１２の記憶容量を多く必要とする。そこで、それぞれ８ビットで表現される色処理前の画像信号値（Ｒ０，Ｇ０，Ｂ０）の上位数ビットに対してのみ、それぞれ８ビットで表現される色処理後の画像信号値（Ｒ１，Ｇ１，Ｂ１）を与えている。より具体的には、例えば、色処理前の画像信号値（Ｒ０，Ｇ０，Ｂ０）の上位５ビットに対してのみ、色処理後の画像信号値（Ｒ１，Ｇ１，Ｂ１）を与える場合、１つの基本色変換プロファイルに必要な記憶容量は、｛（２＾５）＾３｝＊３＝９８３０４バイトと削減される。
【００７３】
以下、基本色変換プロファイルは、色処理前の画像信号値（Ｒ０，Ｇ０，Ｂ０）の上位５ビットに対してのみ、色処理後の画像信号値（Ｒ１，Ｇ１，Ｂ１）を与えるとする。
（色処理部１３）
色処理部１３は、プロファイル作成実行部２０において、プロファイル生成部３０をさらに備えている。プロファイル生成部３０は、選択プロファイルデータｄ５（図１参照）を入力とし生成プロファイルデータｄ６を出力とする。
【００７４】
〈作用〉
図２を用いて、各部の作用について説明する。
（基本プロファイル群記憶部１２）
基本プロファイル群記憶部１２には、制御部１４からのカウント信号ｃ１０が入力される。カウント信号ｃ１０は、基本プロファイル群記憶部１２のアドレスを一定のカウント周期で指定し、指定したアドレスに格納されている画像信号値を読み出させる。具体的には、処理Ｘを実現する色変換プロファイルを生成する場合には、基本色変換プロファイル２２ａおよび２２ｂのアドレスが指定され、処理Ｙを実現する色変換プロファイルを生成する場合には、基本色変換プロファイル２３ａおよび２３ｂのアドレスが指定される。アドレスの指定は、２つの基本色変換プロファイルにおいて、同じ画像信号値（Ｒ０，Ｇ０，Ｂ０）に関連づけられたデータが同時に読み出されるよう行われる。このようにして読み出されたデータは、第１の選択プロファイルデータｄ１０および第２の選択プロファイルデータｄ１１として基本プロファイル群記憶部１２から出力される。基本色変換プロファイル２２ａおよび２２ｂは、色処理前の画像信号値（Ｒ０，Ｇ０，Ｂ０）の上位５ビットに対してのみ、色処理後の画像信号値（Ｒ１，Ｇ１，Ｂ１）を与えるため、それぞれ（２＾５）＾３個のアドレスが指定され、データが読み出される。
【００７５】
以下、処理Ｘを実現する色変換プロファイルを生成する場合について説明する。なお、処理Ｙを実現する色変換プロファイルを生成する場合も各部の動作は同様である。
（色処理部１３）
《プロファイル生成部３０》
プロファイル生成部３０は、基本プロファイル群記憶部１２から第１の選択プロファイルデータｄ１０および第２の選択プロファイルデータｄ１１を取得する。さらに、制御部１４から基本色変換プロファイル２２ａおよび２２ｂの合成度を指定する制御信号ｃ１２が与えられる。
【００７６】
プロファイル生成部３０は、第１の選択プロファイルデータｄ１０の値［ｍ］および第２の選択プロファイルデータｄ１１の値［ｎ］に対して、制御信号ｃ１２が指定する合成度の値［ｋ］を用いて、値［ｌ］の生成プロファイルデータｄ６を作成する。ここで、値［ｌ］は、［ｌ］＝（１−ｋ）＊［ｍ］＋ｋ＊［ｎ］により計算される。なお、値［ｋ］が０≦ｋ≦１を満たす場合には、第１の選択プロファイルデータｄ１０と第２の選択プロファイルデータｄ１１とは内分され、値［ｋ］がｋ＜０またはｋ＞１を満たす場合には、第１の選択プロファイルデータｄ１０と第２の選択プロファイルデータｄ１１とは外分されることとなる。
【００７７】
《プロファイルＲＡＭ２１》
プロファイルＲＡＭ２１は、プロファイル生成部３０が作成する生成プロファイルデータｄ６を取得し、制御部１４のカウント信号ｃ１１により指定されるアドレスに格納する。ここで、生成プロファイルデータｄ６は、生成プロファイルデータｄ６を作成するのに用いられた第１の選択プロファイルデータｄ１０または第２の選択プロファイルデータｄ１１と同じ画像信号値（Ｒ０，Ｇ０，Ｂ０）に関連づけられる。
【００７８】
以上により、処理Ｘ１を実現する基本色変換プロファイルと処理Ｘ２を実現する基本色変換プロファイルとに基づいて、処理Ｘｋを実現する新たな色変換プロファイルが作成される。
《色処理実行部１６》
色処理実行部１６は、画像信号ｄ２の画像信号値（Ｒ０，Ｇ０，Ｂ０）に応じて、カウント信号ｃ４で対応するアドレスを指定することで、プロファイルＲＡＭ２１に格納される色変換プロファイルのデータである処理用プロファイルデータｄ７を取得し、画像信号ｄ２の色処理を実行する。具体的には、それぞれが８ビットで表される画像信号ｄ２の画像信号値（Ｒ０，Ｇ０，Ｂ０）に対して、画像信号値（Ｒ０，Ｇ０，Ｂ０）の上位５ビットの値に対応する処理用プロファイルデータｄ７を読み出す。さらに、読み出した処理用プロファイルデータｄ７を画像信号値（Ｒ０，Ｇ０，Ｂ０）の下位３ビットの値を用いて３次元補間することにより出力信号ｄ３が得られる。
【００７９】
〈方法〉
図３を用いて、画像処理装置１０において実行される色変換プロファイル作成方法について説明する。
制御部１４からのカウント信号ｃ１０により、基本プロファイル群記憶部１２のアドレスが一定のカウント周期で指定され、基本プロファイル群記憶部１２において、指定されたアドレスに格納されている画像信号値が読み出される（ステップＳ１０１）。具体的には、処理Ｘを実現する色変換プロファイルを生成する場合には、基本色変換プロファイル２２ａおよび２２ｂのアドレスが指定され、処理Ｙを実現する色変換プロファイルを生成する場合には、基本色変換プロファイル２３ａおよび２３ｂのアドレスが指定される。指定された２つの基本色変換プロファイルは、それぞれ第１の選択プロファイルデータｄ１０、第２の選択プロファイルデータｄ１１としてプロファイル生成部３０に読み出される。
【００８０】
プロファイル生成部３０は、制御部１４から合成度を指定する制御信号ｃ１２を取得する（ステップＳ１０２）。
プロファイル生成部３０は、第１の選択プロファイルデータｄ１０の値［ｍ］および第２の選択プロファイルデータｄ１１の値［ｎ］に対して、制御信号ｃ１２が指定する合成度の値［ｋ］を用いて、値［ｌ］の生成プロファイルデータｄ６を作成する（ステップＳ１０３）。ここで、値［ｌ］は、［ｌ］＝（１−ｋ）＊［ｍ］＋ｋ＊［ｎ］により計算される。
【００８１】
プロファイルＲＡＭ２１に対して生成プロファイルデータｄ６が書き込まれる（ステップＳ１０４）。ここで、書き込み先のアドレスは、プロファイルＲＡＭ２１に与えられる制御部１４のカウント信号ｃ１１により指定される。
制御部１４は、基本色変換プロファイル２２ａおよび２２ｂの全てのデータについての処理が終了したか否かを判断し（ステップ１０５）、終了するまでステップＳ１０１からステップＳ１０５の処理を繰り返す。
【００８２】
また、このようにしてプロファイルＲＡＭ２１に新たな色変換プロファイル格納した後で、色処理実行部１６は生成プロファイルデータｄ６に基づいて、画像信号ｄ２の色処理を実行する。
〈効果〉
（１）
画像処理装置１０においては、基本プロファイル群記憶部１２において、少数の基本色変換プロファイル２２ａ，２２ｂ，２３ａ，２３ｂを備えるだけで、任意の処理度合いの色処理を実現することが可能となる。具体的には、処理Ｘについて任意の処理度合いの色処理を実現するためには、処理Ｘ１を実現する基本色変換プロファイル２２ａと、処理Ｘ２を実現する基本色変換プロファイル２２ｂとを備えればよい。このため、少数の基本色変換プロファイル以外には、あらかじめ処理度合いを異ならせた色変換プロファイルを用意しておく必要がなく、基本プロファイル群記憶部１２の記憶容量を削減することが可能となる。
【００８３】
（２）
プロファイル作成実行部２０は、基本色変換プロファイル２２ａと２２ｂ、あるいは基本色変換プロファイル２３ａと２３ｂの合成度合いを用いて、それぞれの基本色変換プロファイルにおける対応する要素どうしを内分あるいは外分し、新たな色変換プロファイルの各要素の値を決定する。このため、基本色変換プロファイルの合成度合いを任意に変更することにより、任意の処理度合いを実現する新たな色変換プロファイルを作成することが可能となる。
【００８４】
（３）
画像処理装置１０においては、基本色変換プロファイルが複数の色処理を組み合わせて実現する場合、複数の色処理を順次実行するのに比して要する時間を短縮することが可能となる。また、複数の色処理のうちの少なくとも一部の色処理については、任意の処理度合いで実行することが可能となる。
【００８５】
〈変形例〉
（１）
上記実施形態では、プロファイル群２２，２３は、それぞれ２種類の基本色変換プロファイルを備えると説明した。ここで、プロファイル群２２，２３が備える基本色変換プロファイルの個数は、これに限定されない。例えば、プロファイル群が実現する色処理に対して、デフォルトの色処理度合いを有する基本色変換プロファイルと、デフォルトの色処理度合いを高めた色処理を実現する基本色変換プロファイルと、デフォルトの色処理度合いを低めた色処理を実現する基本色変換プロファイルとの３種類の基本色変換プロファイルを備えるものであってもよい。
【００８６】
この場合、制御部１４からは、デフォルトの色処理度合いを高めた色処理を実現する基本色変換プロファイルと、デフォルトの色処理度合いを低めた色処理を実現する基本色変換プロファイルとの合成度合いが提供される。さらに、合成度合いに応じてカウント信号ｃ１０は、デフォルトの基本色変換プロファイルとともに読み出す基本色変換プロファイルのアドレスを指定する。すなわち、デフォルトの色処理度合いを有する基本色変換プロファイルは、プロファイル生成部３０に常に読み出されることとなる。
【００８７】
なお、３種類の基本色変換プロファイルを備える場合には、カウント信号ｃ１０は、３種類の基本色変換プロファイルの全てを読み出すようにアドレスを指定するとしてもよい。この場合、制御部１４は、デフォルトの色処理度合いを高めた色処理を実現する基本色変換プロファイルとデフォルトの色処理度合いを有する基本色変換プロファイルとデフォルトの色処理度合いを低めた色処理を実現する基本色変換プロファイルとの合成度合いを［ｋ１］対［ｋ２］対［１−ｋ１−ｋ２］として指定するものであってもよい。
【００８８】
この場合、デフォルトの色処理度合いを高めた色処理を実現する基本色変換プロファイルを読み出した値を［ｏ］、デフォルトの色処理度合いを有する基本色変換プロファイルを読み出した値を［ｐ］、デフォルトの色処理度合いを低めた色処理を実現する基本色変換プロファイルを読み出した値を［ｑ］とすると、生成プロファイルデータｄ６の値［ｌ］は、［ｌ］＝［ｋ１］＊［ｏ］＋［ｋ２］＊［ｐ］＋［１−ｋ１−ｋ２］＊［ｑ］として計算される。
【００８９】
以上の場合、画像処理装置１０は、デフォルトの処理度合いを実現する基本色変換プロファイルを用いて色処理を行うことが可能となるとともに、必要に応じてデフォルトの処理度合いを実現する基本色変換プロファイルをカスタマイズして色処理を行うことも可能となる。
【００９０】
（２）
画像処理装置１０は、視覚処理部１１を備えていると説明した。ここで、画像処理装置１０は、視覚処理部１１を備えないものであってもよい。この場合、入力信号ｄ１が直接色処理部１３に入力されることとなる。
【００９１】
（３）
色処理実行部１６における処理は、上記実施形態で説明したものに限られない。例えば、画像信号ｄ２の画像信号値（Ｒ０，Ｇ０，Ｂ０）に対して処理用プロファイルデータｄ７を体積補間する方法により出力信号ｄ３を得るものであってもよい。
【００９２】
（４）
上記実施形態では、画像信号ｄ２の画像信号値（Ｒ０，Ｇ０，Ｂ０）に応じて、カウント信号ｃ４で対応するアドレスを指定すると説明した。ここで、カウント信号ｃ４は、色処理実行部１６から与えられるもので無くてもよい。例えば、制御部１４が画像信号ｄ２の画像信号値（Ｒ０，Ｇ０，Ｂ０）に応じて、プロファイルＲＡＭ２１のアドレスを指定するものであってもよい。
【００９３】
［第２実施形態］
第２実施形態に係る画像処理装置２６について説明する。画像処理装置２６は、画像信号の視覚処理とともに、画像信号の色処理を行う装置である。画像処理装置２６は、例えば、コンピュータ、デジタルカメラ、携帯電話、ＰＤＡ、プリンタ、スキャナ、デジタルテレビなどの画像を取り扱う機器において備えられる。
【００９４】
図４は、画像処理装置２６における特徴部分を説明するブロック図である。画像処理装置２６は、色処理部３１における色処理が複数の色処理を重畳的に実行するものであり、かつそれぞれの色処理についての処理度合いを調整可能な点において特徴を有している。
以下、画像処理装置２６における特徴部分である色処理部３１および基本プロファイル群記憶部１２が備える基本色変換プロファイルについて説明する。なお、第１実施形態で説明したのと同様の機能を果たす部分については、第１実施形態と同じ符号を付して説明を省略する。
【００９５】
〈構成〉
（基本プロファイル群記憶部１２）
基本プロファイル群記憶部１２は、複数の基本色変換プロファイルを記憶している。図４に示す基本プロファイル群記憶部１２は、基本色変換プロファイル４０〜４３を記憶している。基本色変換プロファイルは、処理Ｘと処理Ｙとを同時に実現するための色変換プロファイルである。詳しくは、基本色変換プロファイルは、処理Ｘについて処理度合いの異なる処理Ｘ１および処理Ｘ２と、処理Ｙについて処理度合いの異なる処理Ｙ１および処理Ｙ２とをそれぞれ組み合わせた処理を実現する４種類の色変換プロファイルである。
【００９６】
ここで、処理Ｘあるいは処理Ｙとは、例えば、表示色変換処理、色域変換処理、記憶色補正処理のいずれかの色処理である。
（色処理部３１）
色処理部３１は、図２を用いて説明した色処理部１３と、プロファイル作成部３５の構造において相違している。より詳しくは、プロファイル作成部３５が備えるプロファイル作成実行部３６が３つのプロファイル生成部３７〜３９を有する点において、図２を用いて説明したプロファイル作成部１５と相違している。
【００９７】
第１のプロファイル生成部３７は、第１の選択プロファイルデータｄ１６と第２の選択プロファイルデータｄ１７とを入力とし第１の生成プロファイルデータｄ２０を出力とする。第１の選択プロファイルデータｄ１６とは、処理Ｘ１と処理Ｙ１とを実現する基本色変換プロファイル４０のデータである。第２の選択プロファイルデータｄ１７とは、処理Ｘ２と処理Ｙ１とを実現する基本色変換プロファイル４１のデータである。
【００９８】
第２のプロファイル生成部３８は、第３の選択プロファイルデータｄ１８と第４の選択プロファイルデータｄ１９とを入力とし第２の生成プロファイルデータｄ２１を出力とする。第３の選択プロファイルデータｄ１８とは、処理Ｘ２と処理Ｙ２とを実現する基本色変換プロファイル４２のデータである。第４の選択プロファイルデータｄ１９とは、処理Ｘ２と処理Ｙ２とを実現する基本色変換プロファイル４３のデータである。
【００９９】
第３のプロファイル生成部３９は、第１の生成プロファイルデータｄ２０と第２の生成プロファイルデータｄ２１とを入力とし第３の生成プロファイルデータｄ２２を出力とする。
〈作用〉
（基本プロファイル群記憶部１２）
基本プロファイル群記憶部１２には、制御部１４からのカウント信号ｃ１５が入力される。カウント信号ｃ１５は、基本プロファイル群記憶部１２のアドレスを一定のカウント周期で指定し、指定したアドレスに格納されている画像信号値を読み出させる。具体的には、基本色変換プロファイル４０〜４３において、同じ画像信号値（Ｒ０，Ｇ０，Ｂ０）に関連づけられたデータが同時に読み出される。
【０１００】
（色処理部３１）
《プロファイル作成実行部３６》
第１のプロファイル生成部３７は、第１の選択プロファイルデータｄ１６と第２の選択プロファイルデータｄ１７とに対して、制御信号ｃ１７が指定する合成度合いを用いて、第１の生成プロファイルデータｄ２０を生成する。詳しくは、第１実施形態でプロファイル生成部３０について説明したのと同様である。
【０１０１】
これにより、処理Ｘｉと処理Ｙ１とを実現する色変換プロファイルが作成されたこととなる。ここで、［ｉ］は、制御信号ｃ１７が指定する合成度の値である。
第２のプロファイル生成部３８は、第３の選択プロファイルデータｄ１８と第４の選択プロファイルデータｄ１９とに対して、制御信号ｃ１７が指定する合成度合いを用いて、第２の生成プロファイルデータｄ２１を生成する。
【０１０２】
これにより、処理Ｘｉと処理Ｙ２とを実現する色変換プロファイルが作成されたこととなる。ここで、［ｉ］は、制御信号ｃ１７が指定する合成度の値であり、第１のプロファイル生成部３７に与えられるのと同じ値である。
第３のプロファイル生成部３９は、第１の生成プロファイルデータｄ２０と第２の生成プロファイルデータｄ２１とに対して、制御信号ｃ１８が指定する合成度合いを用いて、第３の生成プロファイルデータｄ２２を作成する。詳しくは、第１実施形態でプロファイル生成部３０について説明したのと同様である。
【０１０３】
これにより、処理Ｘｉと処理Ｙｊとを実現する色変換プロファイルが作成されたこととなる。ここで、［ｊ］は、制御信号ｃ１８が指定する合成度の値である。
《プロファイルＲＡＭ２１》
プロファイルＲＡＭ２１は、第３のプロファイル生成部３９が作成する第３の生成プロファイルデータｄ２２を取得し、制御部１４のカウント信号ｃ１６により指定されるアドレスに格納する。ここで、第３の生成プロファイルデータｄ２２は、第３の生成プロファイルデータｄ２２を作成するのに用いられた第１の選択プロファイルデータｄ１６〜第４の選択プロファイルデータｄ１９と同じ画像信号値（Ｒ０，Ｇ０，Ｂ０）に関連づけられる。
【０１０４】
以上により、処理Ｘと処理Ｙとについて任意の処理度合いを実現する新たな色変換プロファイルが作成される。
〈効果〉
第２実施形態では、第１実施形態で説明した効果に加え、以下の効果がさらに得られる。
【０１０５】
（１）
画像処理装置２６においては、色処理Ｘと色処理Ｙとを重畳的に実行し、かつそれぞれの色処理についての処理度合いを任意に調整することが可能となる。これにより、高精度な色処理を少ない基本色変換プロファイルを用いて実現することが可能となる。
【０１０６】
〈変形例〉
（１）
基本プロファイル群記憶部１２は、４種類の基本色変換プロファイルのみを備えるもので無くてもよい。すなわち、基本プロファイル群記憶部１２は、さらに複数の基本色変換プロファイルを備えていてもよい。
【０１０７】
（２）
上記実施形態では、色処理Ｘと色処理Ｙとを重畳的に実行する場合について説明した。ここで、本発明の効果は、色処理Ｘと色処理Ｙとを重畳的に実行する場合に限られるものではない。すなわち、さらに多くの色処理を重畳的に実行するような基本色変換プロファイルを備え、プロファイル作成実行部３６がさらに多くのプロファイル生成部を備え、かつ制御部１４がそれぞれのプロファイル生成部に対してそれぞれの色処理の合成度合いを指定することにより、さらに多くの色処理について任意の処理度合い実現する新たな色変換プロファイルを作成することが可能となる。
【０１０８】
［第３実施形態］
第３実施形態に係る画像処理装置４５について説明する。画像処理装置４５は、画像信号の視覚処理とともに、画像信号の色処理を行う装置である。画像処理装置４５は、例えば、コンピュータ、デジタルカメラ、携帯電話、ＰＤＡ、プリンタ、スキャナ、デジタルテレビなどの画像を取り扱う機器において備えられる。
【０１０９】
図５は、画像処理装置４５における特徴部分を説明するブロック図である。画像処理装置４５は、第２実施形態に係る画像処理装置２６と同様に、色処理部４６における色処理が複数の色処理を重畳的に実行するものであり、かつそれぞれの色処理についての処理度合いを調整可能な点において特徴を有している。
【０１１０】
さらに、画像処理装置４５は、基本色変換プロファイルから作成された複数の色変換プロファイルを合成することにより新たな色変換プロファイルを作成する点において特徴を有している。
以下、画像処理装置４５における特徴部分である色処理部４６および基本プロファイル群記憶部１２が備える基本色変換プロファイルについて説明する。なお、第１実施形態で説明したのと同様の機能を果たす部分については、第１実施形態と同じ符号を付して説明を省略する。
【０１１１】
〈構成〉
（基本プロファイル群記憶部１２）
基本プロファイル群記憶部１２は、図２の基本プロファイル群記憶部１２と同様に、それぞれ２つの基本色変換プロファイルからなる２つのプロファイル群２２，２３を記憶している。プロファイル群２２は、処理Ｘについて処理度合いの異なる処理Ｘ１と処理Ｘ２とを実行するための２つの基本色変換プロファイル２２ａ，２２ｂを備えている。プロファイル群２３は、処理Ｙについて処理度合いの異なる処理Ｙ１と処理Ｙ２とを実行するための２つの基本色変換プロファイル２３ａ，２３ｂを備えている。
【０１１２】
ここで、処理Ｘあるいは処理Ｙとは、例えば、表示色変換処理、色域変換処理、記憶色補正処理のいずれかの色処理、あるいは表示色変換処理、色域変換処理、記憶色補正処理を組み合わせた色処理などである。また、プロファイル群および基本色変換プロファイルについては、第１実施形態で説明したのと同様である。
【０１１３】
（色処理部４６）
色処理部４６は、図２を用いて説明した色処理部１３と、プロファイル作成部５０の構造において相違している。より詳しくは、プロファイル作成部５０が備えるプロファイル作成実行部５１の構造において相違している。
【０１１４】
プロファイル作成実行部５１は、第１のプロファイル生成部５２と、変換部５３と、第２のプロファイル生成部５４と、プロファイルＲＡＭ５５と、プロファイル合成部５６とを有している。
第１のプロファイル生成部５２は、第１の選択プロファイルデータｄ３２と第２の選択プロファイルデータｄ３３とを入力とし第１の生成プロファイルデータｄ３４を出力とする。第１の選択プロファイルデータｄ３２とは、処理Ｘ１を実現する基本色変換プロファイル２２ａのデータである。第２の選択プロファイルデータｄ３３とは、処理Ｘ２を実現する基本色変換プロファイル２２ｂのデータである。
【０１１５】
変換部５３は、第１の生成プロファイルデータｄ３４を入力とし、第１の生成プロファイルデータｄ３４に対してガンマ補正などの変換処理を行った変換プロファイルデータｄ３５を出力とする。
第２のプロファイル生成部５４は、第３の選択プロファイルデータｄ３６と第４の選択プロファイルデータｄ３７とを入力とし第２の生成プロファイルデータｄ３８を出力とする。第３の選択プロファイルデータｄ３６とは、処理Ｙ１を実現する基本色変換プロファイル２３ａのデータである。第４の選択プロファイルデータｄ３７とは、処理Ｙ２を実現する基本色変換プロファイル２３ｂのデータである。
【０１１６】
プロファイルＲＡＭ５５は、第２の生成プロファイルデータｄ３８を入力とし合成用プロファイルデータｄ３９を出力とする。
プロファイル合成部５６は、変換プロファイルデータｄ３５と合成用プロファイルデータｄ３９を入力とし第３の生成プロファイルデータｄ４０を出力とする。
【０１１７】
〈作用〉
（基本プロファイル群記憶部１２）
基本プロファイル群記憶部１２には、制御部１４からのカウント信号ｃ３１およびｃ３２が入力される。カウント信号ｃ３１およびｃ３２は、基本プロファイル群記憶部１２のアドレスを一定のカウント周期で指定し、指定したアドレスに格納されている画像信号値を読み出させる。具体的には、カウント信号ｃ３１により、基本色変換プロファイル２２ａと２２ｂとにおいて、同じ画像信号値（Ｒ０，Ｇ０，Ｂ０）に関連づけられたデータが同時に読み出される。また、カウント信号ｃ３２により、基本色変換プロファイル２３ａと２３ｂとにおいて、同じ画像信号値（Ｒ０，Ｇ０，Ｂ０）に関連づけられたデータが同時に読み出される。
【０１１８】
（色処理部４６）
《プロファイル作成実行部５１》
第１のプロファイル生成部５２は、第１の選択プロファイルデータｄ３２と第２の選択プロファイルデータｄ３３とに対して、制御信号ｃ３５が指定する合成度合いを用いて、第１の生成プロファイルデータｄ３４を生成する。詳しくは、第１実施形態でプロファイル生成部３０について説明したのと同様である。
【０１１９】
これにより、処理Ｘｉを実現する色変換プロファイルが作成されたこととなる。ここで、［ｉ］は、制御信号ｃ３５が指定する合成度の値である。
変換部５３は、第１の生成プロファイルデータｄ３４に対してガンマ補正などの変換処理を行い変換プロファイルデータｄ３５を出力する。
【０１２０】
第２のプロファイル生成部５４は、第１のプロファイル生成部５２と同様、第３の選択プロファイルデータｄ３６と第４の選択プロファイルデータｄ３７とに対して、制御信号ｃ３６が指定する合成度合いを用いて、第２の生成プロファイルデータｄ３８を生成する。
【０１２１】
これにより、処理Ｙｊを実現する色変換プロファイルが作成されたこととなる。ここで、［ｊ］は、制御信号ｃ３６が指定する合成度の値である。
プロファイルＲＡＭ５５は、第２のプロファイル生成部５４が作成する第２の生成プロファイルデータｄ３８を取得し、制御部１４のカウント信号ｃ３３により指定されるアドレスに格納する。ここで、第２の生成プロファイルデータｄ３８は、第２の生成プロファイルデータｄ３８を作成するのに用いられた第３の選択プロファイルデータｄ３６および第４の選択プロファイルデータｄ３７と同じ画像信号値（Ｒ０，Ｇ０，Ｂ０）に関連づけられる。
【０１２２】
これにより、処理Ｙｊを実現する色変換プロファイルがプロファイルＲＡＭ５５に格納される。
プロファイル合成部５６は、変換プロファイルデータｄ３５の値に基づいて、第３の生成プロファイルデータｄ４０を算出する。具体的には、変換プロファイルデータｄ３５の値に関連づけられたプロファイルＲＡＭ５５に格納される色変換プロファイルの値を第３の生成プロファイルデータｄ４０として出力する。すなわち、プロファイル合成部５６は、色処理実行部１６と同様の動作を変換プロファイルデータｄ３５の値に対して実行する。より詳しく説明すると、プロファイル合成部５６は、変換プロファイルデータｄ３５の値に応じて、カウント信号ｃ４０を用いてプロファイルＲＡＭ５５のアドレスを指定する。さらに、指定されたアドレスに格納されるデータが、合成用プロファイルデータｄ３９として出力される。出力された合成用プロファイルデータｄ３９は、変換プロファイルデータｄ３５の値に応じて補間され、生成プロファイルデータｄ４０が出力される。
【０１２３】
以上により、処理Ｘと処理Ｙとについて任意の処理度合いを実現する新たな色変換プロファイルが作成される。
《プロファイルＲＡＭ２１》
プロファイルＲＡＭ２１は、第３の生成プロファイルデータｄ４０を取得し、制御部１４のカウント信号ｃ３４により指定されるアドレスに格納する。ここで、第３の生成プロファイルデータｄ４０は、第３の生成プロファイルデータｄ４０を作成するのに用いられた第１の選択プロファイルデータｄ３２および第２の選択プロファイルデータｄ３３と同じ画像信号値（Ｒ０，Ｇ０，Ｂ０）に関連づけられる。
【０１２４】
以上により、処理Ｘと処理Ｙとについて任意の処理度合いを実現する新たな色変換プロファイルがプロファイルＲＡＭ２１に格納される。
〈効果〉
第３実施形態では、第１実施形態および第２実施形態で説明した効果に加え、以下の効果がさらに得られる。
【０１２５】
（１）
画像処理装置４５においては、例えば、プロファイル群２２あるいは２３が基本色変換プロファイルをさらに備える場合であっても、基本プロファイル群記憶部１２において必要な記憶容量の増加分は、増えた基本色変換プロファイルのデータ量と同じとなる。すなわち、プロファイル群２２および２３がそれぞれ３つの異なる処理度合いを有する基本色変換プロファイルを有する場合、画像処理装置４５では、基本色変換プロファイル６個分の記憶容量があれば十分である。
【０１２６】
一方、第２実施形態で示した画像処理装置２６の場合では、３＊３＝９個分の基本色変換プロファイルの記憶容量が必要となる。
この点において、画像処理装置４５では、記憶容量を削減する効果を発揮するといえる。
【０１２７】
（２）
画像処理装置４５においては、画像信号ｄ２に対してリアルタイムに処理を行う必要があるのは色処理実行部１６だけである。このため、例えば、画像信号ｄ２に対して複数回の色処理を順次実行する場合に比して、リアルタイム性に優れた色処理を実現することが可能となる。
【０１２８】
〈変形例〉
（１）
プロファイルＲＡＭ５５とプロファイルＲＡＭ２１とは、物理的に離れたものである必要はない。すなわち、それぞれは、同じＲＡＭ上の異なる領域であってもよい。
【０１２９】
（２）
変換部５３は、必ずしも備えられなくてもよい。また、予め基本色変換プロファイルに組み込まれた処理であってもよい。
（３）
上記実施形態では、基本プロファイル群記憶部１２が２つのプロファイル群２２，２３を備える場合について説明した。ここで、本発明は、さらに多くのプロファイル群を有する場合にも、拡張可能である。例えば、プロファイル群を３つ有する場合には、第３のプロファイル生成部をさらに備え、プロファイル作成実行部５１と同様の構造をさらに備えることにより常識的に拡張することが可能である。
【０１３０】
これにより、さらに多くの色処理を組み合わせた色処理を実現することが可能となる。
［第４実施形態］
第４実施形態に係る画像処理装置６０について説明する。画像処理装置６０は、画像信号の視覚処理とともに、画像信号の色処理を行う装置である。画像処理装置６０は、例えば、コンピュータ、デジタルカメラ、携帯電話、ＰＤＡ、プリンタ、スキャナ、デジタルテレビなどの画像を取り扱う機器において備えられる。
【０１３１】
図６は、画像処理装置６０における特徴部分を説明するブロック図である。画像処理装置６０は、第２実施形態に係る画像処理装置２６と同様に、色処理部６１における色処理が複数の色処理を重畳的に実行するものであり、かつそれぞれの色処理についての処理度合いを調整可能な点において特徴を有している。
【０１３２】
さらに画像処理装置６０は、図２に示す色処理部１３を２系統備え、複数の色処理を直列的に実行する点に置いて特徴を有している。
以下、画像処理装置６０における特徴部分である色処理部６１および基本プロファイル群記憶部１２が備える基本色変換プロファイルについて説明する。なお、第１実施形態で説明したのと同様の機能を果たす部分については、第１実施形態と同じ符号を付して説明を省略する。
【０１３３】
〈構成〉
（基本プロファイル群記憶部１２）
基本プロファイル群記憶部１２は、図２の基本プロファイル群記憶部１２と同様に、それぞれ２つの基本色変換プロファイルからなる２つのプロファイル群２２，２３を記憶している。プロファイル群２２は、処理Ｘについて処理度合いの異なる処理Ｘ１と処理Ｘ２とを実現するための２つの基本色変換プロファイル２２ａ，２２ｂを備えている。プロファイル群２３は、処理Ｙについて処理度合いの異なる処理Ｙ１と処理Ｙ２とを実現するための２つの基本色変換プロファイル２３ａ，２３ｂを備えている。
【０１３４】
ここで、処理Ｘあるいは処理Ｙとは、表示色変換処理、色域変換処理、記憶色補正処理のいずれかの色処理、あるいは表示色変換処理、色域変換処理、記憶色補正処理を組み合わせた色処理などである。また、プロファイル群および基本色変換プロファイルについては、第１実施形態で説明したのと同様である。
【０１３５】
（色処理部６１）
色処理部６１は、図２を用いて説明した色処理部１３を２系統備える。より詳しくは、色処理部６１は、色処理実行部６４と、プロファイル作成部６５とを有している。色処理実行部６４は、第１の色処理実行部６６と第２の色処理実行部６７とを有している。プロファイル作成部６５は、プロファイルＲＡＭ６８とプロファイル作成実行部６９とを有している。プロファイルＲＡＭ６８は、第１のプロファイルＲＡＭ７０と第２のプロファイルＲＡＭ７１とを有している。プロファイル作成実行部６９は、第１のプロファイル生成部７２と第２のプロファイル生成部７３とを有している。
【０１３６】
第１のプロファイル生成部７２は、第１の選択プロファイルデータｄ５３と第２の選択プロファイルデータｄ５４とを入力とし第１の生成プロファイルデータｄ５５を出力とする。第１の選択プロファイルデータｄ５３とは、処理Ｘ１を実現する基本色変換プロファイル２２ａのデータである。第２の選択プロファイルデータｄ５４とは、処理Ｘ２を実現する基本色変換プロファイル２２ｂのデータである。
【０１３７】
第１のプロファイルＲＡＭ７０は、第１の生成プロファイルデータｄ５５を入力とし第１の処理用プロファイルデータｄ５６を出力とする。
第１の色処理実行部６６は、画像信号ｄ２と第１の処理用プロファイルデータｄ５６とを入力とし色処理した画像処理信号ｄ５１を出力とする。
【０１３８】
第２のプロファイル生成部７３は、第３の選択プロファイルデータｄ５７と第４の選択プロファイルデータｄ５８とを入力とし第２の生成プロファイルデータｄ５９を出力とする。第３の選択プロファイルデータｄ５７とは、処理Ｙ１を実現する基本色変換プロファイル２３ａのデータである。第４の選択プロファイルデータｄ５８とは、処理Ｙ２を実現する基本色変換プロファイル２３ｂのデータである。
【０１３９】
第２のプロファイルＲＡＭ７１は、第２の生成プロファイルデータｄ５９を入力とし第２の処理用プロファイルデータｄ６０を出力とする。
第２の色処理実行部６７は、画像処理信号ｄ５１と第２の処理用プロファイルデータｄ６０とを入力とし色処理した出力信号ｄ３を出力とする。
【０１４０】
〈作用〉
（基本プロファイル群記憶部１２）
基本プロファイル群記憶部１２には、制御部１４からのカウント信号ｃ５１およびｃ５２が入力される。カウント信号ｃ５１およびｃ５２は、基本プロファイル群記憶部１２のアドレスを一定のカウント周期で指定し、指定したアドレスに格納されている画像信号値を読み出させる。具体的には、カウント信号ｃ５１により、基本色変換プロファイル２２ａと２２ｂとにおいて、同じ画像信号値（Ｒ０，Ｇ０，Ｂ０）に関連づけられたデータが同時に読み出される。また、カウント信号ｃ５２により、基本色変換プロファイル２３ａと２３ｂとにおいて、同じ画像信号値（Ｒ０，Ｇ０，Ｂ０）に関連づけられたデータが同時に読み出される。
【０１４１】
（色処理部６１）
《第１のプロファイル生成部７２》
第１のプロファイル生成部７２は、第１の選択プロファイルデータｄ５３と第２の選択プロファイルデータｄ５４とに対して、制御信号ｃ５５が指定する合成度合いを用いて、第１の生成プロファイルデータｄ５５を生成する。詳しくは、第１実施形態でプロファイル生成部３０について説明したのと同様である。
【０１４２】
これにより、処理Ｘｉを実現する色変換プロファイルが作成されたこととなる。ここで、［ｉ］は、制御信号ｃ５５が指定する合成度の値である。
《第１のプロファイルＲＡＭ７０》
第１のプロファイルＲＡＭ７０は、第１の生成プロファイルデータｄ５５を取得し、制御部１４のカウント信号ｃ５３により指定されるアドレスに格納する。ここで、第１の生成プロファイルデータｄ５５は、第１の生成プロファイルデータｄ５５を作成するのに用いられた第１の選択プロファイルデータｄ５３および第２の選択プロファイルデータｄ５４と同じ画像信号値（Ｒ０，Ｇ０，Ｂ０）に関連づけられる。
【０１４３】
以上により、処理Ｘについて任意の処理度合いを実現する新たな色変換プロファイルが格納される。
《第１の色処理実行部６６》
第１の色処理実行部６６は、画像信号ｄ２の画像信号値（Ｒ０，Ｇ０，Ｂ０）に応じて、カウント信号ｃ５７で対応するアドレスを指定することで、第１のプロファイルＲＡＭ７０に格納される色変換プロファイルのデータである第１の処理用プロファイルデータｄ５６を取得し、画像信号ｄ２の色処理を実行する。具体的には、それぞれが８ビットで表される画像信号ｄ２の画像信号値（Ｒ０，Ｇ０，Ｂ０）に対して、画像信号値（Ｒ０，Ｇ０，Ｂ０）の上位５ビットの値に対応する第１の処理用プロファイルデータｄ５６を読み出す。さらに、読み出した第１の処理用プロファイルデータｄ５６を画像信号値（Ｒ０，Ｇ０，Ｂ０）の下位３ビットの値を用いて３次元補間することにより画像処理信号ｄ５１が得られる。
【０１４４】
《第２のプロファイル生成部７３、第２のプロファイルＲＡＭ７１、第２の色処理実行部６７》
上記第１のプロファイル生成部７２、第１のプロファイルＲＡＭ７０、第１の色処理実行部６６について説明したのと同様にして処理Ｙｊ（［ｊ］は、制御信号ｃ５６が指定する合成度の値）を実現する色変換プロファイルが作成される。さらに、第２の色処理実行部６７では、画像処理信号ｄ５１の画像信号値（Ｒ０’，Ｇ０’，Ｂ０’）に応じて、カウント信号ｃ５８で対応するアドレスを指定することで、第２のプロファイルＲＡＭ７１に格納される色変換プロファイルのデータである第２の処理用プロファイルデータｄ６０を取得し、画像処理信号ｄ５１の色処理を実行する。
【０１４５】
〈効果〉
第４実施形態では、第１実施形態および第２実施形態で説明した効果に加え、以下の効果がさらに得られる。
（１）
画像処理装置６０においては、例えば、プロファイル群２２あるいは２３が基本色変換プロファイルをさらに備える場合であっても、基本プロファイル群記憶部１２において必要な記憶容量の増加分は、増えた基本色変換プロファイルのデータ量と同じとなる。すなわち、プロファイル群２２および２３がそれぞれ３つの異なる処理度合いを有する基本色変換プロファイルを有する場合、画像処理装置６０では、基本色変換プロファイル６個分の記憶容量があれば十分である。
【０１４６】
一方、第２実施形態で示した画像処理装置２６の場合では、３＊３＝９個分の基本色変換プロファイルの記憶容量が必要となる。
この点において、画像処理装置６０では、記憶容量を削減する効果を発揮するといえる。
【０１４７】
〈変形例〉
（１）
画像処理装置６０は、図２を用いて説明した色処理部１３を２系統直列的に配した構造を有すると説明した。このことは、必ずしも２倍のハードウェア構成が必要とされるという意味ではない。すなわち、プロファイル作成実行部６９、プロファイルＲＡＭ６８、色処理実行部６４は、それぞれ同一のハードウェアで構成されていてもよい。この場合、各部におけるデータは順次処理されることとなる。
【０１４８】
これにより、色処理のリアルタイム性は低減するが、ハードウェアコストは削減される。
（２）
上記実施形態では、基本プロファイル群記憶部１２が２つのプロファイル群２２，２３を備える場合について説明した。ここで、本発明は、さらに多くのプロファイル群を有する場合にも、拡張可能である。例えば、プロファイル群を３つ有する場合には、図２を用いて説明した色処理部１３を３系統直列的に配した構造を有することとなる。
【０１４９】
これにより、さらに多くの色処理を組み合わせた色処理を実現することが可能となる。
［第５実施形態］
第５実施形態に係る画像処理装置７５について説明する。画像処理装置７５は、画像信号の視覚処理とともに、画像信号の色処理を行う装置である。画像処理装置７５は、例えば、コンピュータ、デジタルカメラ、携帯電話、ＰＤＡ、プリンタ、スキャナ、デジタルテレビなどの画像を取り扱う機器において備えられる。
【０１５０】
図７は、画像処理装置７５における特徴部分を説明するブロック図である。画像処理装置７５は、第２実施形態に係る画像処理装置２６と同様に、色処理部７６における色処理が複数の色処理を重畳的に実行するものであり、かつそれぞれの色処理についての処理度合いを調整可能な点において特徴を有している。
【０１５１】
さらに、画像処理装置７５は、図６に示した色処理実行部６４に比して、色処理実行部７８において色処理を並列に実行し、実行結果の画像信号値を補間する点において特徴を有している。
以下、画像処理装置７５における特徴部分である色処理部７６および基本プロファイル群記憶部１２が備える基本色変換プロファイルについて説明する。なお、第１実施形態で説明したのと同様の機能を果たす部分については、第１実施形態と同じ符号を付して説明を省略する。
【０１５２】
〈構成〉
（基本プロファイル群記憶部１２）
図７に示す基本プロファイル群記憶部１２は、基本色変換プロファイル４０〜４３を記憶している。詳しくは、図４に示す基本プロファイル群記憶部１２と同様であるため、説明を省略する。
【０１５３】
（色処理部７６）
色処理部７６は、図６を用いて説明した色処理部６１と、色処理実行部７８の構造において相違している。プロファイルＲＡＭ８５およびプロファイル作成実行部９０は、図６を用いて説明したプロファイルＲＡＭ６８およびプロファイル作成実行部６９と同様の構造を有しているため、詳しい説明は省略する。
【０１５４】
プロファイルＲＡＭ８５およびプロファイル作成実行部９０と、図６を用いて説明したプロファイルＲＡＭ６８およびプロファイル作成実行部６９との相違点は、取り扱うデータである。
具体的には、以下の点において相違する。第１には、第１〜第４の選択プロファイルデータｄ６８，ｄ６９，ｄ７３，ｄ７４は、それぞれ基本色変換プロファイル４０〜４３のデータである点において相違する。
【０１５５】
第２には、第１のプロファイル生成部９１および第２のプロファイル生成部９２は、処理Ｘｉと処理Ｙ１とを実現する第１の生成プロファイルデータｄ７０および処理Ｘｉと処理Ｙ２とを実現する第２の生成プロファイルデータｄ７５とを作成する点において相違する。すなわち、第１のプロファイル生成部９１と第２のプロファイル生成部９２とに対して、制御信号ｃ６７により同じ合成度が指定される。
【０１５６】
第３には、第１のプロファイルＲＡＭ８６および第２のプロファイルＲＡＭ８７は、第１の生成プロファイルデータｄ７０および第２の生成プロファイルデータｄ７５を格納し、それぞれ第１の処理用プロファイルデータｄ７１および第２の処理用プロファイルデータｄ７６を出力する点において相違する。
【０１５７】
《色処理実行部７８》
色処理実行部７８は、第１の色処理実行部８０と、第２の色処理実行部８１と、画素値補間部８２とを備えている。
第１の色処理実行部８０は、画像信号ｄ２と第１の処理用プロファイルデータｄ７１とを入力とし色処理された第１の画像処理信号ｄ６５を出力とする。第２の色処理実行部８１は、画像信号ｄ２と第２の処理用プロファイルデータｄ７６とを入力とし色処理された第２の画像処理信号ｄ６６を出力とする。画素値補間部８２は、第１の画像処理信号ｄ６５と第２の画像処理信号ｄ６６とを入力とし出力信号ｄ３を出力とする。
【０１５８】
〈作用〉
以下、画像処理装置７５における特徴部分である色処理実行部７８についての動作を説明する。
（色処理実行部７８）
第１の色処理実行部８０は、画像信号ｄ２の画像信号値（Ｒ０，Ｇ０，Ｂ０）に応じて、カウント信号ｃ６９で対応するアドレスを指定することで、第１のプロファイルＲＡＭ８６に格納される色変換プロファイルのデータである第１の処理用プロファイルデータｄ７１を取得し、画像信号ｄ２の色処理を実行する。第１の色処理実行部８０は、図２に示す色処理実行部１６と同様の動作を行うため、詳細な説明は省略する。
【０１５９】
これにより、画像信号ｄ２に対して、処理Ｘｉと処理Ｙ１とが実行された第１の画像処理信号ｄ６５が出力される。
第２の色処理実行部８１は、画像信号ｄ２の画像信号値（Ｒ０，Ｇ０，Ｂ０）に応じて、カウント信号ｃ７０で対応するアドレスを指定することで、第２のプロファイルＲＡＭ８７に格納される色変換プロファイルのデータである第２の処理用プロファイルデータｄ７６を取得し、画像信号ｄ２の色処理を実行する。第２の色処理実行部８１は、図２に示す色処理実行部１６と同様の動作を行うため、詳細な説明は省略する。
【０１６０】
これにより、画像信号ｄ２に対して、処理Ｘｉと処理Ｙ２とが実行された第２の画像処理信号ｄ６６が出力される。
画素値補間部８２は、第１の画像処理信号ｄ６５と第２の画像処理信号ｄ６６とを制御信号ｃ６８により指定される合成度合いにより補間する。
【０１６１】
これにより、入力信号ｄ２に対して処理Ｘｉと処理Ｙｊとが実行された出力信号ｄ３が出力される。ここで、［ｊ］は、制御信号ｃ６８により指定される合成度の値である。
〈効果〉
第５実施形態では、第１実施形態および第２実施形態で説明した効果に加え、以下の効果がさらに得られる。
【０１６２】
（１）
画素値補間部８２では、第１の画像処理信号ｄ６５の画素値と第２の画像処理信号ｄ６６の画素値とを制御信号ｃ６８により指定される合成度合いにより補間する。このため、３次元補間により画像信号に対して色処理を行うのに比して、出力信号ｄ３の計算が簡易となる。すなわち、制御信号ｃ６８を用いて処理Ｙの処理度合いをリアルタイムに変化させることが可能となる。
【０１６３】
（２）
本発明の効果は、基本プロファイル群記憶部１２が備える基本色変換プロファイルの個数に限定されるものではない。すなわち、図７に示す基本プロファイル群記憶部１２よりも、さらに多くの基本色変換プロファイルを備え、さらに多くの色処理を重畳的に組み合わせた色処理を実現するように拡張することも可能である。
【０１６４】
［第６実施形態］
図８〜図２０を用いて、本発明の第６実施形態としての表示装置７２０について説明する。
図８に示す表示装置７２０は、ＰＤＰ、ＬＣＤ、ＣＲＴ、プロジェクタなど、画像を表示する表示装置である。表示装置７２０は、上記実施形態で説明した画像処理装置を含む表示用画像処理装置７２３を有する点、自動あるいは手動により画像処理に用いるプロファイルを切り替えることできる点に特徴を有している。なお、表示装置７２０は、独立した装置であってもよいが、携帯電話機、ＰＤＡ、ＰＣなどの携帯情報端末に備えられている装置であってもよい。
【０１６５】
〈表示装置７２０〉
表示装置７２０は、表示部７２１、駆動制御部７２２、表示用画像処理装置７２３、ＣＰＵ７２４、入力部７２５、チューナ７２６、アンテナ７２７、コーデック７２８、メモリコントローラ７２９、メモリ７３０、外部インタフェース（Ｉ／Ｆ）７３１、外部装置７４０を備えている。
【０１６６】
表示部７２１は、駆動制御部７２２から読み出された画像情報ｄ３６０を表示する表示デバイスである。駆動制御部７２２は、表示用画像処理装置７２３から出力された出力画像信号ｄ３６１をＣＰＵ７２４からの制御により表示部７２１に読み出すとともに、表示部７２１を駆動するための装置である。より具体的には、駆動制御部７２２は、ＣＰＵ７２４からの制御により、出力画像信号ｄ３６１の値に応じた電圧値を表示部７２１に与え画像を表示させる。
【０１６７】
表示用画像処理装置７２３は、ＣＰＵ７２４からの制御を受け、入力画像信号ｄ３６２に含まれる入力信号ｄ１（図９参照）の画像処理を行い、出力信号ｄ３（図９参照）を含む出力画像信号ｄ３６１を出力する装置である。表示用画像処理装置７２３は、上記実施形態で説明した画像処理装置を含み、プロファイルを用いて画像処理を行う点に特徴を有している。詳細については、後述する。
【０１６８】
ＣＰＵ７２４は、表示装置７２０の各部のデータ処理に関する演算を行うとともに、各部の制御を行うための装置である。入力部７２５は、表示装置７２０への操作をユーザに行わせるためのユーザインタフェースであり、各部の制御をするためのキー、つまみ、リモコンなどで構成される。
【０１６９】
チューナ７２６は、無線あるいは有線を介して受信した信号を復調し、デジタルデータとして出力する。詳しくは、チューナ７２６は、アンテナ７２７あるいはケーブル（図示せず）を介して、地上波（デジタル／アナログ）放送、ＢＳ（デジタル／アナログ）・ＣＳ放送などを受信する。コーデック７２８は、チューナ７２６により復調されたデジタルデータの復号化を行い、表示用画像処理装置７２３に入力される入力画像信号ｄ３６２を出力する。
【０１７０】
メモリコントローラ７２９は、ＤＲＡＭなどで構成されるＣＰＵの作業用メモリ７３０のアドレスやアクセスタイミングなどの制御を行う。
外部Ｉ／Ｆ７３１は、メモリカード７３３、ＰＣ７３５などの外部装置７４０から画像データや、プロファイル情報などを取得し、入力画像信号ｄ３６２として出力するためのインタフェースである。プロファイル情報とは、画像処理を行うためのプロファイルに関する情報である。詳しくは、後述する。外部Ｉ／Ｆ７３１は、例えば、メモリカードＩ／Ｆ７３２、ＰＣＩ／Ｆ７３４、ネットワークＩ／Ｆ７３６、無線Ｉ／Ｆ７３７などにより構成される。なお、外部Ｉ／Ｆ７３１は、ここに例示したものの全てを備えている必要は無い。
【０１７１】
メモリカードＩ／Ｆ７３２は、画像データやプロファイル情報などを記録したメモリカード７３３と表示装置７２０とを接続するためのインタフェースである。ＰＣＩ／Ｆ７３４は、画像データやプロファイル情報などを記録したパーソナルコンピュータなどの外部機器であるＰＣ７３５と表示装置７２０とを接続するためのインタフェースである。ネットワークＩ／Ｆ７３６は、表示装置７２０をネットワークに接続し、画像データやプロファイル情報などを取得するためのインタフェースである。無線Ｉ／Ｆ７３７は、表示装置７２０を無線ＬＡＮなどを介して外部機器と接続し、画像データやプロファイル情報などを取得するためのインタフェースである。なお、外部Ｉ／Ｆ７３１は、図示したものに限られず、例えば、ＵＳＢ、光ファイバーなどと表示装置７２０とを接続するためのインタフェースであってもよい。
【０１７２】
外部Ｉ／Ｆ７３１を介して取得された画像データやプロファイル情報は、必要によりコーデック７２８により復号化された後、入力画像信号ｄ３６２として表示用画像処理装置７２３に入力される。
〈表示用画像処理装置７２３〉
（１）表示用画像処理装置７２３の構成
図９を用いて、表示用画像処理装置７２３の構成について説明する。表示用画像処理装置７２３は、図１を用いて説明した画像処理装置１０とほぼ同様の構成を有する画像処理装置７５０と、環境検出部７５４とを備えている。
【０１７３】
環境検出部７５４は、手動によりあるいはセンサなどを用いて自動により、後述する環境情報の検出を行い、環境情報ｄ１０４を出力する。画像処理装置７５０は、環境検出部７５４が検出した環境情報ｄ１０４あるいはＣＰＵ７２４から取得される環境情報ｄ１０５、を取得する。さらに、取得された環境情報に基づいて特定されるプロファイルを用いて、画像処理を行う。画像処理とは、入力画像信号ｄ３６２（図８参照）に含まれる入力信号ｄ１に対して行われる視覚処理および色処理である。画像処理の結果は、画像処理された出力信号ｄ３を含む出力画像信号ｄ３６１（図８参照）として出力される。
【０１７４】
以下、環境検出部７５４、画像処理装置７５０の順にさらに詳しい構成について説明を行う。
（２）環境検出部７５４
環境検出部７５４は、手動によりあるいはセンサなどを用いて自動により、環境情報の検出を行い、環境情報ｄ１０４の出力を行う装置である。
【０１７５】
環境情報とは、表示部７２１（図８参照）の表示環境、あるいは表示部７２１に表示される画像が視覚される視環境、に関する情報である。より具体的には、環境情報とは、例えば、表示装置７２０の設置場所における環境光の明るさや色温度といった環境光情報、表示部７２１の製品情報（例えば、製品番号など）、表示部７２１が表示する画像サイズ情報、表示される画像と画像を視覚するユーザとの距離に関する位置情報、ユーザの年齢・性別などユーザに関するユーザ情報などの情報である。
【０１７６】
環境検出部７５４は、例えば、環境光の明るさや色温度の検出を行う光センサや、表示部７２１に取り付けられた製品情報を無線あるいは有線を介して読み取る装置（例えば、無線タグの読み取り装置、バーコードの読み取り装置、表示装置７２０が備える各部の情報を管理するデータベースから情報を読み取る装置など）や、ユーザとの距離を測定する無線あるいは赤外線などのセンサや、ユーザに関する情報を取得するカメラなど、といった装置により実現され、環境情報を自動的に検出する。あるいは、環境検出部７５４は、ユーザによる入力により取得された環境情報を検出する。環境検出部７５４は、検出した環境情報を環境情報ｄ１０４として画像処理装置７５０に出力する。
【０１７７】
また、環境検出部７５４には、ＣＰＵ７２４から取得される環境情報ｄ１０５が入力される。環境検出部７５４では、入力された環境情報ｄ１０５に応じてユーザに入力させる環境情報の項目を制御する。例えば、環境情報ｄ１０５が含む項目の環境情報は改めて入力させない、などといった制御が行われる。
【０１７８】
（３）画像処理装置７５０
《３−１》画像処理装置７５０の概要
画像処理装置７５０は、画像処理を行う際に用いられるプロファイルを、環境検出部７５４が検出した環境情報ｄ１０４あるいはＣＰＵから取得される環境情報ｄ１０５に基づいて特定する。さらに、特定されたプロファイルを用いて、入力画像信号ｄ３６２（図８参照）に含まれる入力信号ｄ１に対して視覚処理および色処理を含む画像処理を行い、出力信号ｄ３を含む出力画像信号ｄ３６１（図８参照）を出力する。
【０１７９】
画像処理装置７５０は、画像処理装置１０（図１参照）とほぼ同様の構成を有しているが、情報設定部７５２を備えている点において相違している。画像処理装置７５０のその他の部分であって、画像処理装置１０の各部と同様の機能を果たす部分については、同じ符号を付し、詳しい説明を省略する。
【０１８０】
《３−２》情報設定部７５２とプロファイル情報
情報設定部７５２は、環境検出部７５４が検出した環境情報ｄ１０４あるいはＣＰＵから取得される環境情報ｄ１０５、を取得し、取得した情報に基づいて、視覚処理部１１と制御部１４と基本プロファイル群記憶部１２とに、プロファイル情報ｄ１０１，ｄ１０２，ｄ１０３をそれぞれ出力する。
【０１８１】
情報設定部７５２の詳しい動作を説明する前に、まず、プロファイル情報ｄ１０１，ｄ１０２，ｄ１０３の内容について説明する。
プロファイル情報とは、視覚処理部１１と色処理部１３とにおける画像処理に用いられるプロファイルを特定するための情報である。具体的には、プロファイル情報は、プロファイルが格納するデータ、プロファイルを特定する番号などのタグ情報、プロファイルの処理の特徴を示すパラメータ情報、表示部７２１（図８参照）の表示環境あるいは表示部７２１に表示される画像が視覚される視環境に関する環境情報のうちの少なくとも一つを含んでいる。
【０１８２】
ここで、プロファイルとは、視覚処理部１１と色処理部１３とにおける画像処理に用いられるデータであり、より具体的には、上記実施形態で説明したプロファイルＲＡＭに記憶される色変換プロファイルなどである。なお、本実施形態では、プロファイルとは、上記実施形態で説明した、テーブルデータとしての色変換プロファイルだけでなく、処理される入力信号ｄ１に対する変換係数を格納する係数マトリクスデータなどであってもよい。
【０１８３】
タグ情報とは、プロファイルを他のプロファイルと識別するための識別情報であり、例えば、視覚処理部１１あるいは基本プロファイル群記憶部１２に登録された複数のプロファイルのそれぞれに割り振られた番号などである。
パラメータ情報とは、プロファイルの処理の特徴を示す情報であり、例えば、プロファイルが実現するコントラスト強調処理、ダイナミックレンジ圧縮処理、色変換処理などの処理度合いを数値化した情報である。
【０１８４】
環境情報とは、環境検出部７５４またはＣＰＵ７２４から取得される環境情報ｄ１０４またはｄ１０５に含まれる情報である。
なお、以下では、プロファイル情報ｄ１０１が視覚処理部１１で用いられるプロファイルのタグ情報を含み、プロファイル情報ｄ１０３が色処理部１３で用いられるプロファイルのタグ情報を含み、プロファイル情報ｄ１０２が視覚処理部１１と色処理部１３とで用いられるそれぞれのプロファイルのパラメータ情報を含む、として説明を行う。
【０１８５】
情報設定部７５２は、環境情報ｄ１０４または環境情報ｄ１０５を取得し、プロファイル情報ｄ１０１，ｄ１０２，ｄ１０３を出力する。具体的には、情報設定部７５２は、環境情報ｄ１０４または環境情報ｄ１０５から取得される環境情報に応じて好適なプロファイルを選択し、そのプロファイル情報を出力する。より具体的には、情報設定部７５２は、プロファイルの候補と環境情報のそれぞれの値とを関連づけるデータベースを参照することにより、取得された環境情報に対して好適なプロファイルを選択する。プロファイルの選択は、視覚処理部１１と基本プロファイル群記憶部１２とに対してそれぞれ行われる。
【０１８６】
《３−３》その他各部の動作
制御部１４は、プロファイル情報ｄ１０２が含むパラメータ情報に基づいて、視覚処理部１１におけるプロファイルの合成度を指定する制御信号ｃ１を出力する。また、制御部１４は、プロファイル情報ｄ１０２が含むパラメータ情報に基づいて、色処理部１３におけるプロファイルの合成度を指定する制御信号ｃ２を出力する。さらに、制御部１４は、プロファイルを記憶している視覚処理部１１と基本プロファイル群記憶部１２とに対して、プロファイルを読み出すためのカウント信号を与える。カウント信号は、視覚処理部１１と基本プロファイル群記憶部１２とに制御信号ｃ１と制御信号ｃ３として与えられる。
【０１８７】
視覚処理部１１は、プロファイル情報ｄ１０１のタグ情報が指定するプロファイルを制御信号ｃ１が指定する合成度により合成し、視覚処理に用いる新しいプロファイルを生成する。さらに、視覚処理部１１は、生成したプロファイルを用いて、入力信号ｄ１の視覚処理を行い、画像信号ｄ２を出力する。
【０１８８】
基本プロファイル群記憶部１２は、プロファイル情報ｄ１０３のタグ情報が指定するプロファイルを、制御信号ｃ３が指定するタイミングで読み出す。
色処理部１３は、基本プロファイル群記憶部１２から読み出された選択プロファイルデータｄ５を取得し、取得した選択プロファイルデータｄ５と制御信号ｃ２が指定する合成度とに基づいて、色処理に用いる新しいプロファイルを生成する。さらに、色処理部１３は、生成したプロファイルを用いて、画像信号ｄ２の色処理を行い、出力信号ｄ３を出力する。
【０１８９】
なお、プロファイル情報ｄ１０１とプロファイル情報ｄ１０３とは、常に複数のプロファイルを特定するタグ情報を含む訳ではない。プロファイル情報ｄ１０１とプロファイル情報ｄ１０３とがそれぞれ１つのプロファイルを特定するタグ情報を含む場合、視覚処理部１１と色処理部１３とではプロファイルの生成は行われないものであってもよい。この場合、タグ情報により特定されたプロファイルがそのまま用いられる。
【０１９０】
〈表示装置７２０の効果〉
（１）
表示装置７２０では、画像処理装置１０とほぼ同様の構成を有する画像処理装置７５０を備えている。このため、上記実施形態で説明した画像処理装置１０と同様の効果が得られる。
【０１９１】
特に、表示装置７２０では、新たにプロファイルを生成することが可能である。このため、あらかじめ多くのプロファイルを記憶しておく必要が無く、プロファイルの記憶容量を削減することが可能である。さらに、プロファイルの生成では、合成度を変更することにより、プロファイルが実現する画像処理の微妙な調整が可能となる。
【０１９２】
また、表示装置７２０では、複数のプロファイルを用いて新たにプロファイルを生成する。このため、１つのプロファイルを用いる場合に比して、プロファイル生成の自由度が向上する。すなわち、より複雑な画像処理を実現するプロファイルを生成することが可能となる。
【０１９３】
また、表示装置７２０では、生成したプロファイルを用いた画像処理が行われる。プロファイルの生成は画像処理の前にあらかじめ行っておくことが可能である。このため、プロファイルが実現する画像処理が複雑であっても、画像処理の処理速度には影響しない。すなわち、複雑な処理をより高速に行うことが可能となる。このことは、生成したプロファイルにより実現される画像処理がより多くの画像のパラメータを調整する場合に、より顕著となる。
【０１９４】
（２）
表示装置７２０では、環境検出部７５４により検出された環境情報に応じてプロファイルの選択や合成度の変更などが行われる。このため、環境情報に応じて適切な画像処理が実現され、視覚効果がより向上される。
【０１９５】
図１０を用いて、環境情報と色処理部１３で用いられるプロファイルとの関係について説明し、表示装置７２０のより具体的な効果を説明する。図１０は、環境情報に基づいて選択されたプロファイルｗ１およびプロファイルｗ２と制御信号ｃ２が指定する合成度とに基づいて生成されるプロファイルｗｋを示している。プロファイルｗｋは、制御信号ｃ２が指定する合成度の値に応じて生成されている。
【０１９６】
例えば、表示装置７２０の表示環境の環境光が環境情報として取得される場合、環境光の強さ（環境光の明るさ）に応じて、表示される画像の彩度を変化させることが好ましい。より具体的には、環境光が強くなるにつれて、表示される画像の彩度を上げた方が色表示が適切に行われる。
【０１９７】
そこで、環境光が環境情報として取得される場合、情報設定部７５２は、彩度に関して処理の程度の異なるプロファイルであるプロファイルｗ１とプロファイルｗ２とを選択する。ここで、プロファイルｗ１は、彩度を上げない色処理を実現するプロファイルであり、プロファイルｗ２は、彩度を強く上げる色処理を実現するプロファイルである。さらに、情報設定部７５２は、環境光の強さに応じて適切な色処理を実現するプロファイルのパラメータ情報をプロファイル情報ｄ１０２として制御部１４に出力する。制御部１４は、取得したパラメータ情報からプロファイルｗ１とプロファイルｗ２との合成度を指定する制御信号ｃ２を出力する。色処理部１３では、制御信号ｃ２の指定する合成度を用いて、プロファイルｗ１とプロファイルｗ２とを内分し、プロファイルｗｋを生成する。さらに、色処理部１３では、生成したプロファイルｗｋを用いて色処理を行う。
【０１９８】
この表示装置７２０では、環境光の強さに応じた色処理を実現することが可能となり、より視覚的効果の高い表示を行うことが可能となる。
また、例えば、表示される画像と画像を視覚するユーザとの距離に関する位置情報が環境情報として取得される場合、位置情報に応じて、表示される画像の色処理を行うことが望ましい。より具体的には、表示される画像とユーザとの距離が異なるとユーザの視角の大きさが異なり、表示される色が異なって視覚される。このため、視角に応じて色処理を行うことで、ユーザとの距離によらず同じ印象を与える画像を表示することが可能となる。
【０１９９】
また、例えば、表示部７２１の製品情報（例えば、製品番号など）、表示部７２１が表示する画像サイズ情報が環境情報として取得される場合、製品情報や画像サイズ情報に応じて、表示される画像の色処理を行うことが望ましい。製品情報から判断される表示部７２１のサイズや表示される画像サイズなどが異なるとユーザの視角の大きさが異なり、表示される色が異なって視覚される。このため、視角に応じて色処理を行うことで、同じ印象を与える画像を表示することが可能となる。
【０２００】
（３）
情報設定部７５２は、視覚処理部１１と色処理部１３とにおいて用いられるプロファイルをそれぞれ指定する。このため、視覚処理部１１と色処理部１３とにおける画像処理がそれぞれ重複する処理となることや相殺する処理となることを防止することが可能となる。
【０２０１】
（４）
表示装置７２０では、ＣＰＵ７２４から取得される環境情報ｄ１０５（図９参照）に応じてプロファイルの選択や合成度の変更などが行われる。このため、環境情報に応じて適切な画像処理が実現され、視覚効果がより向上される。
【０２０２】
選択するプロファイルとして、表示装置７２０の周囲環境の外光の明るさに応じたダイナミックレンジ圧縮処理を行う場合について説明する。より具体的には、視覚処理部１１（図９参照）において、入力信号ｄ１のダイナミックレンジ圧縮処理を行い、さらに、色処理部１３（図９参照）において、ダイナミックレンジ圧縮された入力信号ｄ１、すなわち画像信号ｄ２に対して、色処理を行う場合について説明する。
【０２０３】
《視覚処理部１１の作用》
まず、視覚処理部１１では、入力信号ｄ１の色空間をＲＧＢから輝度成分Ｙ、色差成分ＣＢ，ＣＲに変換する。さらに、輝度成分Ｙについてダイナミックレンジ圧縮処理を行う。
【０２０４】
輝度成分Ｙについてのダイナミックレンジ圧縮は、ダイナミックレンジ圧縮関数Ｆ４に基づいて行われる。
図１１は、入力信号ｄ１の輝度成分Ｙの値（横軸）と、輝度成分Ｙにダイナミックレンジ圧縮関数Ｆ４を適用した値（縦軸）との関係を示すグラフである。ここで、ダイナミックレンジ圧縮関数Ｆ４とは、輝度成分Ｙの値［Ａ］を用いて、Ｆ４＝Ａ＾γと表される「べき関数」である。なお、γは、輝度成分Ｙのコントラスト［ｍ］と、圧縮後のコントラスト［ｎ］とを用いて、γ＝ｌｏｇ（ｎ）／ｌｏｇ（ｍ）と表される。ここで「コントラスト」とは、信号の最小値と最大値との比を意味しており、最大値を最小値を用いて除算した値を示している。
【０２０５】
図１１が示すように、輝度成分Ｙのダイナミックレンジは、ダイナミックレンジ圧縮関数Ｆ４により圧縮される。より詳しくは、ダイナミックレンジ圧縮関数Ｆ４により、値［１／ｍ〜１．０］の範囲の輝度成分Ｙは、値［１／ｎ〜１．０］の範囲に変換される。この結果、画像信号ｄ２における視覚的なダイナミックレンジは、１／ｎ（最小値：最大値＝１：ｎ）へと圧縮される。ここで「ダイナミックレンジ」とは、信号の最小値と最大値との比を意味している。
【０２０６】
圧縮後のコントラストの値［ｎ］は、表示環境の環境光のもとでの表示画像の視覚的なコントラスト値として設定されている。すなわち、圧縮後のコントラストの値［ｎ］は、入力信号ｄ１の輝度成分のコントラストの値［ｍ］を、表示環境の環境光の輝度による影響分だけ低下させた値として決定することができる。
【０２０７】
《色処理部１３の作用》
視覚処理部１１では、入力信号ｄ１の色空間をＲＧＢから輝度成分Ｙ、色差成分ＣＢ，ＣＲに変換し、輝度成分Ｙについてダイナミックレンジ圧縮処理を行う。この結果、画像信号ｄ２では、ダイナミックレンジ変換された輝度成分の影響により、入力信号ｄ１の色相とは異なる色相を有することとなる。
【０２０８】
色相のずれを簡易に補正する場合は、視覚処理部１１における変換処理前の輝度成分Ｙｉｎと変換処理後の輝度信号Ｙｏｕｔの比を、入力信号ｄ１の色差成分ＣＢｉｎ、ＣＲｉｎに乗ずることで対応する事もできる。しかし、精度の良い色再現を行うには、最終的に出力される信号の色再現域も考慮した色差信号ＣＢｏｕｔ，ＣＲｏｕｔを得る必要がある。
【０２０９】
そこで、色処理部１３は、ＣＢｏｕｔ＝Ｆ１（Ｙｏｕｔ/Ｙｉｎ,ＣＢｉｎ，ＣＲｉｎ）、ＣＲｏｕｔ＝Ｆ２（Ｙｏｕｔ/Ｙｉｎ,ＣＢｉｎ,ＣＲｉｎ）の非線形な関係と色再現域の境界処理とを精度良く処理するため、ＬＵＴを用いた色処理を行う。
具体的には、図１０に図示するように、外光の強さに応じて必要なダイナミックレンジ圧縮の比を設定し、この圧縮の比に基づいてプロファイルｗ１およびプロファイルｗ２を選択する。さらに、これらのプロファイルと制御信号ｃ２が指定する合成度とに基づいて、色処理に用いられるプロファイルｗｋが生成される。ここでプロファイルｗｋは、制御信号ｃ２が指定する合成度の値に応じて生成されることとなる。
【０２１０】
プロファイルｗ１とプロファイルｗ２とは、ダイナミックレンジ圧縮でずれた色相を元に戻すために必要な色差補正の処理を実現するプロファイルである。例えば、プロファイルｗ１は、ダイナミックレンジ圧縮処理の比Ｒ１による色差ずれを補正する色処理を実現するプロファイルであり、プロファイルｗ２は、ダイナミックレンジ圧縮処理の比Ｒ２による色差ずれを補正する色処理を実現するプロファイルである。このように、それぞれのプロファイルは、ダイナミックレンジ圧縮の比に関連づけられている。
【０２１１】
外光の強さが異なる環境で表示装置７２０が用いられる場合、情報設定部７５２は、色差補正に関して処理の程度の異なるプロファイルであるプロファイルｗ１とプロファイルｗ２とを選択する。さらに、情報設定部７５２は、環境光の強さに応じて適切な色差補正処理を実現するプロファイルのパラメータ情報をプロファイル情報ｄ１０２として制御部１４に出力する。
【０２１２】
制御部１４は、取得したパラメータ情報からプロファイルｗ１とプロファイルｗ２との合成度を指定する制御信号ｃ２を出力する。
色処理部１３では、制御信号ｃ２の指定する合成度を用いて、プロファイルｗ１とプロファイルｗ２とを内分し、プロファイルｗｋを生成する。さらに、色処理部１３では、生成したプロファイルｗｋを用いて色処理を行う。
【０２１３】
視覚処理１１と、色処理１３の順番としては、視覚処理１１の明るさの処理により色再現域が決まるので、視覚処理１１を最初に行い、その出力について色処理１３を実行するのが望ましい。
この表示装置７２０では、環境光の強さに応じた色処理を実現することが可能となり、色相のずれを抑制し、より視覚的効果の高い表示を行うことが可能となる。
【０２１４】
〈変形例〉
表示装置７２０における表示用画像処理装置７２３では、上記実施形態を適宜適用するような変形を行うことが可能である。以下、表示装置７２０に特徴的な変形例を記載する。
【０２１５】
（１）
上記実施形態では、「プロファイル情報ｄ１０１が視覚処理部１１で用いられるプロファイルのタグ情報を含み、プロファイル情報ｄ１０３が色処理部１３で用いられるプロファイルのタグ情報を含み、プロファイル情報ｄ１０２が視覚処理部１１と色処理部１３とで用いられるそれぞれのプロファイルのパラメータ情報を含む」として説明を行った。
【０２１６】
ここで、それぞれのプロファイル情報ｄ１０１〜ｄ１０３は、その他の情報を含んでいてもよい。
プロファイル情報ｄ１０１は、視覚処理部１１で用いられるプロファイルが格納するデータ、プロファイルの処理の特徴を示すパラメータ情報、環境情報のうちの少なくとも１つを含み、視覚処理部１１で用いられるプロファイルを特定させるものであってもよい。特に、プロファイル情報ｄ１０１が環境情報を含む場合には、視覚処理部１１は、情報設定部７５２と同様に、環境情報とプロファイルとを関連づけるデータベースを参照し、プロファイルを特定するものであってもよい。
【０２１７】
プロファイル情報ｄ１０３は、色処理部１３で用いられるプロファイルが格納するデータ、プロファイルの処理の特徴を示すパラメータ情報、環境情報のうちの少なくとも１つを含み、色処理部１３で用いられるプロファイルを特定させるものであってもよい。特に、プロファイル情報ｄ１０３が環境情報を含む場合には、基本プロファイル群記憶部１２は、情報設定部７５２と同様に、環境情報とプロファイルとを関連づけるデータベースを参照し、プロファイルを特定するものであってもよい。
【０２１８】
プロファイル情報ｄ１０２は、プロファイルが格納するデータ、プロファイルを特定する番号などのタグ情報、環境情報のうちの少なくとも一つを含み、プロファイル情報ｄ１０１やプロファイル情報ｄ１０３が特定するそれぞれのプロファイルの合成度を決定させる情報であってもよい。
【０２１９】
なお、プロファイル情報ｄ１０１〜ｄ１０３は、プロファイルのデータ、タグ情報、パラメータ情報、環境情報の少なくとも一つを含んでいればよく、それぞれが同時に含まれていてもよい。
（２）
上記実施形態で説明した表示装置７２０の各部において、同様の機能を実現する部分は、共通のハードウェアで実現されていてもよい。
【０２２０】
入力部７２５は、環境検出部７５４として環境情報を入力させる装置であってもよい。この場合、入力部７２５から入力された環境情報は、ＣＰＵ７２４を介して環境情報ｄ１０５として表示用画像処理装置７２３に入力される。
視覚処理部１１においてプロファイルが記憶されている記憶部や基本プロファイル群記憶部１２は、表示用画像処理装置７２３の外部に備えられるものであってもよく、例えば、メモリ７３０や外部装置７４０により実現されていてもよい。また、視覚処理部１１においてプロファイルが記憶されている記憶部や基本プロファイル群記憶部１２は、同じ装置により実現されていてもよい。
【０２２１】
また、視覚処理部１１においてプロファイルが記憶されている記憶部や基本プロファイル群記憶部１２などに記憶されるプロファイルは、予め各部に記憶されているものであってもよいし、外部装置７４０、あるいはチューナ７２６から取得されるものであってもよい。
【０２２２】
また、画像処理装置７５０の制御部１４や情報設定部７５２の機能は、ＣＰＵ７２４により実現されていてもよい。
（３）
本発明の効果は、入力信号ｄ１、画像信号ｄ２、出力信号ｄ３の色空間に依存しない。例えば、それぞれの信号は、ＲＧＢ色空間、ＹＣｂＣｒ色空間、ＹＵＶ色空間、Ｌａｂ色空間、Ｌｕｖ色空間、ＹＩＱ色空間、ＸＹＺ色空間、ＹＰｂＰｒ色空間などのいずれの色空間の信号であってもよい。
【０２２３】
（４）
表示用画像処理装置７２３では、環境検出部７５４に変えて、ユーザに入力を行わせるユーザ入力部を備えていてもよい。
図１２に表示用画像処理装置７２３の変形例としての表示用画像処理装置７５５の構成を示す。表示用画像処理装置７５５は、ユーザに入力を行わせるユーザ入力部７５６を備えている点に特徴を有している。表示用画像処理装置７５５において、表示用画像処理装置７２３（図９参照）とほぼ同様の機能を果たす部分には同じ符号を付して説明を省略する。
【０２２４】
ユーザ入力部７５６は、ユーザの嗜好する画像処理を入力させ、入力された情報を画像処理装置７５０の情報設定部７５２（図９参照）に対して、入力情報ｄ１０８として出力する。
ユーザ入力部７５６は、例えば、ユーザの嗜好する明るさを入力させる明るさ入力部と、ユーザの嗜好する画質を入力させる画質入力部とから構成されている。
【０２２５】
明るさ入力部は、例えば、表示される画像中の光の状態を入力するスイッチ、画像が表示される環境の光の状態を入力するスイッチなどから構成されている。表示される画像中の光の状態を入力するスイッチは、例えば、画像中の逆光・順光や、撮影時のストロボの有無や、撮影時に用いられたマクロプログラムの状態などを入力するためのスイッチである。ここで、マクロプログラムとは、撮影装置を被写体の状態に応じて制御するためのプログラムである。画像が表示される環境の光の状態を入力するスイッチは、例えば、環境光の明るさ、色温度などを入力するためのスイッチである。
【０２２６】
画質入力部は、ユーザの画質の好みを入力するためのスイッチであり、例えば、デフォルト・ダイナミック・クラシックなどといった異なる視覚効果を入力するスイッチである。
ユーザ入力部７５６は、明るさ入力部と画質入力部とから入力された情報を入力情報ｄ１０８として出力する。
【０２２７】
画像処理装置７５０では、環境情報ｄ１０４（図９参照）が入力される場合とほぼ同様の動作が行われる。環境情報ｄ１０４が入力される場合との相違点は、情報設定部７５２が入力情報ｄ１０８とプロファイルとを関連づけるデータベースを参照し、プロファイル情報ｄ１０１〜ｄ１０３を出力する点である。
【０２２８】
本変形例の表示用画像処理装置７５５では、ユーザの入力に応じて画像処理に用いられるプロファイルを選択し、画像処理を行うことが可能となる。このため、ユーザの嗜好に応じた画像処理を行うことが可能となる。
なお、入力部７２５（図８参照）は、ユーザ入力部７５６と同様に動作し、ＣＰＵ７２４を介してユーザの嗜好する画像処理を入力させるものであってもよい。この場合、環境情報ｄ１０５は、入力情報ｄ１０８と同様の情報を含むこととなる。
【０２２９】
（５）
表示用画像処理装置７２３は、入力信号に含まれる属性情報を分離し、分離した属性情報に基づいてプロファイルを選択し、画像処理を行う装置であってもよい。
《５−１》表示用画像処理装置７５９の構成
図１３に、表示用画像処理装置７２３の変形例としての表示用画像処理装置７５９を示す。表示用画像処理装置７５９は、入力信号ｄ１１０に含まれる属性情報ｄ１１１を検出する属性検出部７６０を備え、検出された属性情報ｄ１１１に基づいて、画像処理に用いるプロファイルを切り替える点に特徴を有している。図１３に示す表示用画像処理装置７５９において、表示用画像処理装置７２３とほぼ同じ機能を有する部分については、同じ符号を付し説明を省略する。
【０２３０】
属性検出部７６０は、入力信号ｄ１１０に含まれる属性情報ｄ１１１を検出する。属性情報ｄ１１１は、入力信号ｄ１１０のヘッダ部分などに配置される情報であり、入力信号ｄ１１０の属性に関する情報である。属性検出部７６０は、入力信号ｄ１１０を先頭から所定のビット数だけ読みとることにより、属性情報ｄ１１１を分離する。なお、属性情報ｄ１１１は、入力信号ｄ１１０の後尾に配置されるものであってもよい。あるいは、入力信号ｄ１１０中にフラグ情報を伴って分離可能な状態で配置されていてもよい。
【０２３１】
図１４に、属性情報ｄ１１１が含まれる入力信号ｄ１１０のフォーマットの一例を示す。図１４に示す入力信号ｄ１１０では、データの先頭部分に属性情報ｄ１１１としてのコンテンツ情報が配置されているとともに、それに続いて入力画像データｄ１１２が配置されている。
【０２３２】
コンテンツ情報とは、入力画像データｄ１１２の全体の内容に関する属性であり、入力画像データｄ１１２のタイトル、制作会社、監督、制作年、種類、制作側指定属性などを含んでいる。ここで、種類とは、コンテンツの種類に関する情報であり、例えば、ＳＦ、アクション、ドラマ、ホラー、などといった情報が含まれる。制作側指定属性とは、コンテンツ制作側が指定する表示特性に関する情報であり、例えば、ダイナミック、恐怖感、などといった情報が含まれる。
【０２３３】
入力画像データｄ１１２は、上記実施形態で説明した入力信号ｄ１と同様のデータであり、例えば、ＲＧＢ色空間またはその他の色空間で表現される画像データである。
属性検出部７６０は、検出された属性情報ｄ１１１を画像処理装置７５８（図１３参照）に出力する。
【０２３４】
画像処理装置７５８は、図９に示す画像処理装置７５０とほぼ同様の構成を有している。構成の詳細は、画像処理装置７５０と同様であるため省略する。
また、画像処理装置７５８は、画像処理装置７５０とほぼ同様に動作する。以下、画像処理装置７５０と相違する点について説明する。
【０２３５】
まず第１に、画像処理装置７５８では、属性検出部７６０から属性情報ｄ１１１が入力される。画像処理装置７５８の情報設定部は、属性情報ｄ１１１とプロファイルとを関連づけるデータベースを参照し、制御部、視覚処理部、基本プロファイル群記憶部にプロファイル情報を出力する。第２に、画像処理装置７５８では、属性情報ｄ１１１を含む入力信号ｄ１１０が入力される。画像処理装置７５８では、入力信号ｄ１１０に含まれる入力画像データｄ１１２に対して、画像処理装置７５０と同様の視覚処理および色処理が行われる。
【０２３６】
《５−２》効果
（１）
表示用画像処理装置７５９では、コンテンツ制作時のコンテンツ情報に応じて適切なプロファイルを用いた画像処理を行うことが可能となる。このため、コンテンツ制作側の意図を考慮して画像処理を行うことが可能となる。
【０２３７】
より具体的には、タイトル、制作会社などにより、画像全体の明るさ、色温度などの傾向を判断し、画像全体の明るさ、色温度などを変換する画像処理を行うことなどが可能となる。また、制作側指定属性などにより、制作側の意図する画像表示を行わせることが可能となる。
【０２３８】
（２）
表示用画像処理装置７５９では、視覚処理部と色処理部とにそれぞれ異なるプロファイル情報を出力することが可能である。このため、コンテンツ情報の種類として「アクションおよびホラー」などと複数の値が指定されている場合にでも、アクションのように動きが多い部分に対しては、視覚処理部で適切に視覚処理を行わせ、ホラーのように色が心理的影響を与える部分に対しては、色処理部で適切に色処理を行わせることが可能となる。
【０２３９】
また、視覚処理部と基本プロファイル群記憶部とにそれぞれ異なるプロファイル情報を出力することが可能であるため、各部で考慮すべきプロファイル情報の情報量を削減できる。このため、視覚処理部および基本プロファイル群記憶部では、より簡易にプロファイルの選択を行うことが可能となる。
【０２４０】
《５−３》変形例
（１）
表示用画像処理装置７５９には、入力部７２５（図８参照）から属性情報ｄ１１４が入力されるものであってもよい。入力部７２５から入力される属性情報ｄ１１４は、ＣＰＵ７２４を介して画像処理装置７５８に入力される。画像処理装置７５８の情報設定部では、入力部７２５から入力された属性情報ｄ１１４と属性情報ｄ１１１とに基づいて、プロファイル情報を出力する。
【０２４１】
これにより、属性検出部７６０におけるコンテンツ情報の検出に不具合がある場合でも、入力部７２５によりコンテンツ情報を適切に入力することが可能となり、適切な画像処理を行うことが可能となる。さらに、入力部７２５により、ユーザ側の好みを画像処理に反映させることも可能となる。例えば、アニメはメリハリを強くした画像に、映画は鮮やかな画像に、というようにユーザ側の好みを反映させることが可能となる。さらに、デジタルリマスター版のように修正された画像のコンテンツ情報を修正することが可能となる。
【０２４２】
なお、入力部７２５では、属性検出部７６０で検出された属性情報に応じて、ユーザが入力可能なコンテンツ情報が制御されるものであってもよい。例えば、属性検出部７６０が入力画像データｄ１１２の種類は「アニメ」であると検出した場合、入力部７２５では、アニメに関する項目（例えば、アニメ監督、アニメタイトルなど）のみを入力させるとしてもよい。
【０２４３】
（２）
表示用画像処理装置７５９では、入力信号ｄ１１０を属性情報ｄ１１１と入力画像データｄ１１２に分離する分離部を備えていてもよい。分離部は、入力信号ｄ１１０から分離した属性情報ｄ１１１を属性検出部７６０に出力し、入力画像データｄ１１２を画像処理装置７５８に出力する。これにより、属性検出部７６０および画像処理装置７５８における処理が削減できる。
【０２４４】
（３）
一旦取得されたコンテンツ情報は、繰り返し用いてもよい。この場合、再度すべての情報を取得しなくても記憶されたコンテンツ情報を用いて画像処理を行うプロファイルを特定することが可能となる。
【０２４５】
（４）
属性情報ｄ１１１は、コンテンツ情報以外の情報を含むものであってもよい。具体的には、入力画像データの一部に関わる属性であるシーン属性情報、入力信号ｄ１１０が生成された環境に関わる撮影属性情報、入力信号ｄ１１０が表示装置７２０に取得されるまでの媒体に関わる放送属性情報、入力信号ｄ１１０が記録される媒体・機器に関わる記録属性情報、画像処理に用いられるプロファイルに関わるプロファイル属性情報などを含んでもかまわない。以下、それぞれについて具体的に説明を加える。
【０２４６】
なお、以下の説明では、属性情報ｄ１１１がシーン属性情報、撮影属性情報、放送属性情報、記録属性情報、プロファイル属性情報のそれぞれを含む場合について別々に説明するが、コンテンツ情報を含めたこれらの情報は、属性情報ｄ１１１において全て同時に、あるいは、いくつかを組み合わせて、含まれるものであってもよい。この場合には、それぞれの情報による効果をさらに向上させることが可能となる。
【０２４７】
（４−１）シーン属性情報
（４−１−１）
図１５に、属性情報ｄ１１１としてシーン属性情報が含まれる入力信号ｄ１１０のフォーマットを示す。図１５に示す入力信号ｄ１１０では、入力画像データｄ１１２のシーンを単位としてシーン属性情報が配置されている。シーン属性情報は、例えば、フラグ情報を伴うなどして入力画像データｄ１１２と分離可能な状態で配置されている。
【０２４８】
シーン属性情報は、それに続く入力画像データｄ１１２のシーン内容を記述する情報である。例えば、シーン属性情報は、「明るさ」、「対象」、「動作」、「シーン概要」などといった項目の組み合わせにより記述されており、「暗い・森・風景」、「明るい・人物・アップ」、「暗い・人物・風景」などといった内容が記述されている。なお、これらはシーン属性情報の一例であり、これに限定される訳ではない。例えば、「シーン概要」として、ニュース、スポーツ、ホームドラマ、アクションなどといった内容が指定がされていてもよい。
【０２４９】
シーン属性情報を含む入力信号ｄ１１０に対して画像処理を行う表示用画像処理装置は、表示用画像処理装置７５９（図１３参照）をシーン属性情報に対応させたものと同様である。
属性検出部７６０は、入力信号ｄ１１０に含まれるシーン属性情報を検出し、属性情報ｄ１１１として画像処理装置７５８に出力する。
【０２５０】
画像処理装置７５８の情報設定部は、属性情報ｄ１１１を取得し、制御部、視覚処理部、基本プロファイル群記憶部にプロファイル情報を出力する。例えば、情報設定部は、属性情報ｄ１１１から取得されるシーン属性情報の各項目とプロファイルとの関連付けを記憶するデータベースを参照するなどして、プロファイル情報を出力する。
【０２５１】
プロファイル情報は、プロファイル情報ｄ１０１〜ｄ１０３と同様であるため、説明を省略する。なお、プロファイル情報は、シーン属性情報を含んでいてもよい。この場合、視覚処理部と基本プロファイル群記憶部とは、取得したシーン属性情報から画像処理に用いるプロファイルを選択する。
【０２５２】
その他、表示用画像処理装置の各部の動作は、属性情報ｄ１１１がコンテンツ情報を含む場合と同様であるため説明を省略する。
（４−１−２）
本発明により、上記実施形態で記載した効果と同様の効果が得られる。以下、本変形例に特徴的な効果を記載する。
【０２５３】
シーン属性情報に応じて適切なプロファイルデータを用いた画像処理を行うことが可能となる。このため、コンテンツ制作側の意図を考慮して画像処理を行うことが可能となる。
シーン属性情報は、入力画像データｄ１１２のシーン毎に必要に応じて配置されている。このため、より詳細に画像処理を切り替えることが可能となり、より適切に画像処理を行うことが可能となる。
【０２５４】
例えば、属性情報ｄ１１１により、シーン属性情報が「暗い・森・風景」と取得された場合、情報設定部は、「影の暗部を改善するプロファイル」を指定するプロファイル情報を視覚処理部に出力するとともに、「緑色の記憶色補正を行い、肌色の記憶色補正を行わないプロファイル」を指定するプロファイル情報を基本プロファイル群記憶部に出力する。
【０２５５】
また例えば、属性情報ｄ１１１により、シーン属性情報が「明るい・人物・アップ」と取得された場合、情報設定部は、「コントラスト強調を抑制したプロファイル」を指定するプロファイル情報を視覚処理部に出力するとともに、「肌色の記憶色補正を行うプロファイル」を指定するプロファイル情報を基本プロファイル群記憶部に出力する。
【０２５６】
また例えば、属性情報ｄ１１１により、シーン属性情報が「暗い・人物・風景」と取得された場合、情報設定部は、「人物の暗部を強調し、背景の暗部改善を抑制したプロファイル」を指定するプロファイル情報を視覚処理部に出力するとともに、「ホワイトバランスの調整と肌色の記憶色補正とを行わないプロファイル」を指定するプロファイル情報を基本プロファイル群記憶部に出力する。
【０２５７】
また例えば、属性情報ｄ１１１により、シーン属性情報が「人物・ドラマ」と取得された場合、画像内で主たる処理対象は人物となる。よって、情報設定部は、視覚処理部に対して、肌色でかつ輝度の低い領域のコントラスト改善を行い、かつ、それ以外の輝度の低い領域のコントラスト改善をしないプロファイルを指定するプロファイル情報を出力する。また、情報設定部は、基本プロファイル群記憶部に対して、肌色の記憶補正を行い、かつ、それ以外の緑などの記憶色に対する補正を弱めるプロファイルを指定するプロファイル情報を出力する。
【０２５８】
なお、シーン属性情報は、上記実施形態と同様に、入力部７２５からＣＰＵ７２４を介して入力されるものであってもよい。この場合、ユーザにとっての主観的な画質をより向上させることが可能となる。
また、人物の移動シーンにおいて背景の太陽光の向きが徐々に変動するような一連のシーンの場合、各シーンごとにシーン属性情報を付加することも可能であるが、その先頭シーンのみにシーン属性情報を付加することも可能である。また、先頭シーンにまずシーン属性情報を付加して、続く連続シーンには先頭シーンからの明るさの変動情報や対象の変動情報のみをシーン属性情報として付加することも可能である。こうすることで、動画像の画像処理におけるちらつきや画質の急激な変化を抑えることが可能となる。
【０２５９】
（４−２）撮影属性情報
（４−２−１）
図１６に、属性情報ｄ１１１として撮影属性情報が含まれる入力信号ｄ１１０のフォーマットを示す。図１６に示す入力信号ｄ１１０では、入力信号ｄ１１０のヘッダ部分に撮影属性情報が配置されている。なお、撮影属性情報は、これに限らず、例えば、フラグ情報を伴うなどして入力画像データｄ１１２と分離可能な状態で配置されていてもよい。
【０２６０】
撮影属性情報は、それに続く入力画像データｄ１１２の撮影状況を記述する情報である。例えば、撮影属性情報は、「位置・方角」、「日付」、「時刻」、「撮影機器情報」などといった項目の組み合わせにより記述されている。「位置・方角」は、撮影時にＧＰＳなどから取得される情報である。「撮影機器情報」は、撮影時の機器の情報であり、ストロボ有無、絞り、シャッタースピード、マクロ撮影有無などの情報が格納されている。なお、これらは撮影属性情報の一例であり、これに限定される訳ではない。例えば、撮影時に用いたマクロプログラム（ストロボ有無、絞り、シャッタースピードなどの制御を組み合わせて実行するためのプログラム）を特定するための情報であってもよい。
【０２６１】
撮影属性情報を含む入力信号ｄ１１０に対して画像処理を行う表示用画像処理装置は、表示用画像処理装置７５９（図１３参照）を撮影属性情報に対応させたものと同様である。
属性検出部７６０は、入力信号ｄ１１０に含まれる撮影属性情報を検出し、属性情報ｄ１１１として画像処理装置７５８に出力する。
【０２６２】
画像処理装置７５８の情報設定部は、属性情報ｄ１１１を取得し、制御部、視覚処理部、基本プロファイル群記憶部にプロファイル情報を出力する。例えば、情報設定部は、属性情報ｄ１１１から取得される撮影属性情報の各項目とプロファイルとの関連付けを記憶するデータベースを参照するなどして、プロファイル情報を出力する。
【０２６３】
プロファイル情報は、プロファイル情報ｄ１０１〜ｄ１０３と同様であるため、説明を省略する。なお、プロファイル情報は、撮影属性情報を含んでいてもよい。この場合、視覚処理部と基本プロファイル群記憶部とは、取得した撮影属性情報から画像処理に用いるプロファイルを選択する。
【０２６４】
その他、表示用画像処理装置の各部の動作は、属性情報ｄ１１１がコンテンツ情報を含む場合と同様であるため説明を省略する。
（４−２−２）
本発明により、上記実施形態で記載した効果と同様の効果が得られる。以下、本変形例に特徴的な効果を記載する。
【０２６５】
撮影属性情報に応じて適切なプロファイルを用いた画像処理を行うことが可能となる。このため、コンテンツ制作側の意図を考慮して画像処理を行うことが可能となる。
例えば、「位置・方角」、「日付」、「時刻」、「撮影機器情報」などといった項目から、入力画像データｄ１１２が生成された環境における「太陽の方向」、「季節」、「天気」、「太陽光の色」、「ストロボ有無」などの情報を取得し、被写体の撮影状況（例えば、順光か逆光かなど）を解析することが可能となる。さらに、解析された撮影状況に対して適切なプロファイルを用いて画像処理を行うことが可能となる。
【０２６６】
なお、撮影属性情報は、上記実施形態と同様に、入力部７２５からＣＰＵ７２４を介して入力されるものであってもよい。この場合、ユーザにとっての主観的な画質をより向上させることが可能となる。
（４−３）放送属性情報
（４−３−１）
図１７に、属性情報ｄ１１１として放送属性情報が含まれる入力信号ｄ１１０のフォーマットを示す。図１７に示す入力信号ｄ１１０では、入力信号ｄ１１０のヘッダ部分に放送属性情報が配置されている。なお、放送属性情報は、これに限らず、例えば、フラグ情報を伴うなどして入力画像データｄ１１２と分離可能な状態で配置されていてもよい。
【０２６７】
放送属性情報は、入力信号ｄ１１０が表示装置７２０に取得されるまでの媒体に関わる情報であって、特に、どのような放送形態により入力信号ｄ１１０が取得されたかに関わる情報である。例えば、放送属性情報には、「地上波デジタル放送」「地上波アナログ放送」「衛星デジタル放送」「衛星アナログ放送」「インターネット放送」のいずれかを示す値が格納されている。
【０２６８】
放送属性情報を含む入力信号ｄ１１０に対して画像処理を行う表示用画像処理装置は、表示用画像処理装置７５９（図１３参照）を放送属性情報に対応させたものと同様である。
属性検出部７６０は、入力信号ｄ１１０に含まれる放送属性情報を検出し、属性情報ｄ１１１として画像処理装置７５８に出力する。
【０２６９】
画像処理装置７５８の情報設定部は、属性情報ｄ１１１を取得し、制御部、視覚処理部、基本プロファイル群記憶部にプロファイル情報を出力する。例えば、情報設定部は、属性情報ｄ１１１から取得される放送属性情報の各項目とプロファイルとの関連付けを記憶するデータベースを参照するなどして、プロファイル情報を出力する。
【０２７０】
プロファイル情報は、プロファイル情報ｄ１０１〜ｄ１０３と同様であるため、説明を省略する。なお、プロファイル情報は、放送属性情報を含んでいてもよい。この場合、視覚処理部と基本プロファイル群記憶部とは、取得した放送属性情報から画像処理に用いるプロファイルを選択する。
【０２７１】
その他、表示用画像処理装置の各部の動作は、属性情報ｄ１１１がコンテンツ情報を含む場合と同様であるため説明を省略する。
（４−３−２）
本発明により、上記実施形態で記載した効果と同様の効果が得られる。以下、本変形例に特徴的な効果を記載する。
【０２７２】
放送属性情報に応じて適切なプロファイルを用いた画像処理を行うことが可能となる。例えば、放送経路が画像に与える影響を補正し、放送局側の意図を考慮して画像処理を行うことが可能となる。
より具体的には、例えば、地上波アナログ放送、衛星アナログ放送などにより取得された画像に対しては、伝送時のノイズを過剰に強調しないプロファイルの選択が行われる。これにより、夜景中に被写体が存在する画像に対して、夜景領域の輝度を保持しつつ被写体の明瞭化を行うプロファイルを用いて画像処理を行うことなどが可能となる。
【０２７３】
また、例えば、アナログ放送とデジタル放送とにおけるノイズ発生の特性の違い（アナログ放送：フィールド間ノイズ、デジタル放送：圧縮ノイズ）を考慮し、記憶色補正を行う色領域を変えて画像処理を行うことなどが可能となる。
なお、放送属性情報は、上記実施形態と同様に、入力部７２５からＣＰＵ７２４を介して入力されるものであってもよい。この場合、ユーザにとっての主観的な画質をより向上させることが可能となる。
【０２７４】
（４−４）記録属性情報
（４−４−１）
図１８に、属性情報ｄ１１１として記録属性情報が含まれる入力信号ｄ１１０のフォーマットを示す。図１８に示す入力信号ｄ１１０では、入力信号ｄ１１０のヘッダ部分に記録属性情報が配置されている。なお、記録属性情報は、これに限らず、例えば、フラグ情報を伴うなどして入力画像データｄ１１２と分離可能な状態で配置されていてもよい。
【０２７５】
記録属性情報は、入力信号ｄ１１０が記録された媒体・装置に関わる情報である。例えば、記録属性情報は、入力信号ｄ１１０が記録された「年代」、記録媒体・装置の「提供メーカ」、記録媒体・装置を特定するための「製品情報」などを含んでいる。
記録属性情報を含む入力信号ｄ１１０に対して画像処理を行う表示用画像処理装置は、表示用画像処理装置７５９（図１３参照）を記録属性情報に対応させたものと同様である。
【０２７６】
属性検出部７６０は、入力信号ｄ１１０に含まれる記録属性情報を検出し、属性情報ｄ１１１として画像処理装置７５８に出力する。
画像処理装置７５８の情報設定部は、属性情報ｄ１１１を取得し、制御部、視覚処理部、基本プロファイル群記憶部にプロファイル情報を出力する。例えば、情報設定部は、属性情報ｄ１１１から取得される記録属性情報の各項目とプロファイルとの関連付けを記憶するデータベースを参照するなどして、プロファイル情報を出力する。
【０２７７】
プロファイル情報は、プロファイル情報ｄ１０１〜ｄ１０３と同様であるため、説明を省略する。なお、プロファイル情報は、記録属性情報を含んでいてもよい。この場合、視覚処理部と基本プロファイル群記憶部とは、取得した記録属性情報から画像処理に用いるプロファイルを選択する。
【０２７８】
その他、表示用画像処理装置の各部の動作は、属性情報ｄ１１１がコンテンツ情報を含む場合と同様であるため説明を省略する。
（４−４−２）
本発明により、上記実施形態で記載した効果と同様の効果が得られる。以下、本変形例に特徴的な効果を記載する。
【０２７９】
記録属性情報に応じて適切なプロファイルを用いた画像処理を行うことが可能となる。例えば、「提供メーカ」が色処理を専門的に扱うカメラメーカなどである場合、色処理部が色処理をあまり行わないようにプロファイル情報が出力される。また例えばフィルムなどで記録された入力画像データｄ１１２に対しては、フィルムの色表現領域の特性を考慮して色処理を行うようにプロファイル情報が出力される。このように、記録媒体・記録装置が画像に与える影響を補正し、制作側の意図を考慮して画像処理を行うことが可能となる。
【０２８０】
なお、記録属性情報は、上記実施形態と同様に、入力部７２５からＣＰＵ７２４を介して入力されるものであってもよい。この場合、ユーザにとっての主観的な画質をより向上させることが可能となる。
（４−５）プロファイル属性情報
（４−５−１）
図１９に、属性情報ｄ１１１としてプロファイル属性情報が含まれる入力信号ｄ１１０のフォーマットを示す。図１９に示す入力信号ｄ１１０では、入力信号ｄ１１０のヘッダ部分にプロファイル属性情報が配置されている。なお、プロファイル属性情報は、これに限らず、例えば、フラグ情報を伴うなどして入力画像データｄ１１２と分離可能な状態で配置されていてもよい。
【０２８１】
プロファイル属性情報は、プロファイルを特定するための情報であり、例えば、入力画像データｄ１１２を生成する撮影装置などが推奨するプロファイルを特定するための情報である。プロファイル属性情報は、プロファイルが格納するデータ、プロファイルを特定する番号などのタグ情報、プロファイルの処理の特徴を示すパラメータ情報のうちの少なくとも一つを含んでいる。プロファイルのデータ、タグ情報、パラメータ情報は、上記実施形態においてプロファイル情報ｄ１０１〜ｄ１０３の説明の際に記載したのと同様である。
【０２８２】
プロファイル属性情報が特定するプロファイルは、例えば、次の画像処理〔ａ〕〜画像処理〔ｃ〕のいずれかの画像処理を行うためのプロファイルである。画像処理〔ａ〕は、入力画像データｄ１１２を生成する撮影装置などにおいて、入力画像データｄ１１２に対して好適であると判断された画像処理である。画像処理〔ｂ〕は、画像処理〔ａ〕に加えて、撮影装置の表示部と標準モデルの表示装置との特性の差異を補正するための画像処理を行うための画像処理である。画像処理〔ｃ〕は、画像処理〔ａ〕に加えて、撮影装置の表示部と表示装置７２０（図８参照）との特性の差異を補正するための画像処理を行うための画像処理である。
【０２８３】
さらに、プロファイル属性情報は、入力信号ｄ１１０に含まれる入力画像データｄ１１２が既に撮影装置などにおいて画像処理されたデータであるか否かに関する処理フラグ情報を含んでいる。
プロファイル属性情報を含む入力信号ｄ１１０に対して画像処理を行う表示用画像処理装置は、表示用画像処理装置７５９（図１３参照）をプロファイル属性情報に対応させたものと同様である。
【０２８４】
属性検出部７６０は、入力信号ｄ１１０に含まれるプロファイル属性情報を検出し、属性情報ｄ１１１として画像処理装置７５８に出力する。
画像処理装置７５８の情報設定部は、属性情報ｄ１１１を取得し、制御部、視覚処理部、基本プロファイル群記憶部にプロファイル情報を出力する。プロファイル情報は、プロファイル属性情報の形式（プロファイルのデータ、タグ情報、パラメータ情報のいずれか）に関わらず、プロファイルのデータ、タグ情報、パラメータ情報のいずれの形式で出力されてもよい。
【０２８５】
以下、情報設定部の動作について詳細に説明を加える。
情報設定部は、取得したプロファイル属性情報のうち、プロファイルを特定する情報をそのままプロファイル情報として出力するか否かを判断する。
例えば、プロファイル属性情報が画像処理〔ａ〕または画像処理〔ｃ〕を行うプロファイルを特定する情報を含んでおり、処理フラグ情報が「処理無し」を示している場合、「出力する」と判断する。
【０２８６】
それ以外の場合、「出力しない」と判断する。
例えば、プロファイル属性情報が画像処理〔ａ〕を行うプロファイルを特定する情報を含んでおり、処理フラグ情報が「処理有り」を示している場合、情報設定部は、視覚処理部と色処理部とに画像処理を行わせないプロファイルを特定する情報をプロファイル情報として出力する。
【０２８７】
例えば、プロファイル属性情報が画像処理〔ｂ〕を行うプロファイルを特定する情報を含んでおり、処理フラグ情報が「処理無し」を示している場合、画像処理〔ａ〕に加えて、標準モデルの表示装置と表示装置７２０との特性の差異を補正するための画像処理を行うプロファイルを特定するための情報をプロファイル情報として出力する。
【０２８８】
例えば、プロファイル属性情報が画像処理〔ｂ〕を行うプロファイルを特定する情報を含んでおり、処理フラグ情報が「処理有り」を示している場合、標準モデルの表示装置と表示装置７２０との特性の差異を補正するための画像処理を行うプロファイルを特定するための情報をプロファイル情報として出力する。
【０２８９】
例えば、プロファイル属性情報が画像処理〔ｃ〕を行うプロファイルを特定する情報を含んでおり、処理フラグ情報が「処理有り」を示している場合、情報設定部は、視覚処理部と色処理部とに、撮影装置の表示部と表示装置７２０とのデバイス特性の差異を補正するための画像処理を行うプロファイルを特定する情報をプロファイル情報として出力する。
【０２９０】
なお、これらの処理は、一例であり、これに限定される訳ではない。例えば、画像処理装置７５８では、属性情報ｄ１１１から取得されるプロファイル属性情報が特定するプロファイルを常に用いてもよい。
また、属性情報ｄ１１１から取得されるプロファイル属性情報が特定するプロファイルを視覚処理部または基本プロファイル群記憶部が有しない場合には、属性情報ｄ１１１から特定されるプロファイルを生成するためのプロファイルが選択され、そのプロファイル情報が視覚処理部および基本プロファイル群記憶部に出力される。さらに、制御部には、視覚処理部および基本プロファイル群記憶部に出力されたプロファイル情報により特定されるプロファイルを用いて属性情報ｄ１１１から特定されるプロファイルを生成するための合成度が出力される。
【０２９１】
その他、表示用画像処理装置の各部の動作は、属性情報ｄ１１１がコンテンツ情報を含む場合と同様であるため説明を省略する。
（４−５−２）
本発明により、上記実施形態で記載した効果と同様の効果が得られる。以下、本変形例に特徴的な効果を記載する。
【０２９２】
プロファイル属性情報に応じて適切なプロファイルを用いた画像処理を行うことが可能となる。例えば、撮影側で推奨されるプロファイルを用いた画像処理を行うことが可能となる。さらに、撮影側の表示部で確認された画像に近い表示を行うことが可能となる。このため、制作側の意図を考慮して画像処理を行うことが可能となる。
【０２９３】
なお、プロファイル属性情報は、上記実施形態と同様に、入力部７２５からＣＰＵ７２４を介して入力されるものであってもよい。この場合、ユーザにとっての主観的な画質をより向上させることが可能となる。
撮影側での画像処理の内容や画像処理の有無を判断できるため、撮影側と表示側で重複した画像処理、相殺する画像処理を行うことが防止可能となる。さらに、画像処理の有無だけでなく、画像処理の程度をプロファイル属性情報として含めることも可能である。この場合、撮影側と表示側で同じ処理を分担することが可能となる。例えば、撮影側で５０％の画像処理を行い、表示側で５０％の画像処理を行う、といった処理が可能となる。
【０２９４】
撮影側で使用したプロファイルに関する情報から、撮影側での画像処理前の画像を再生することが可能となる。
プロファイル属性情報として、タグ情報やパラメータ情報を含める場合には、少ない情報でプロファイルに関する情報を付加することが可能となる。
【０２９５】
（４−５−３）
入力信号ｄ１１０が属性情報ｄ１１１としてプロファイル属性情報を含む場合の変形例について記載する。
図２０は、図１３に示す表示用画像処理装置７５９の変形例としての表示用画像処理装置７６５の構成を示すブロック図である。
【０２９６】
図２０に示す表示用画像処理装置７６５は、属性検出部７６０（図１３参照）の変形例としての属性検出部７６１を備える点に特徴を有している。属性検出部７６１は、入力信号ｄ１１０が含むプロファイル属性情報（以下、入力プロファイル属性情報）を検出し、検出した入力プロファイル属性情報を画像処理装置７５８に適したプロファイル属性情報（以下、好適プロファイル属性情報）に変換することができるものであり、プロファイル情報検出部７６２と、プロファイル情報変換部７６４とから構成されている。なお、表示用画像処理装置７６５において、表示用画像処理装置７５９と同様の動作を行う部分には、同じ符号を付して説明を省略する。
【０２９７】
プロファイル情報検出部７６２は、入力信号ｄ１１０から入力プロファイル属性情報を検出し、属性情報ｄ１１１として出力する。詳しい動作は、属性検出部７６０（図１３参照）と同様であるため、説明を省略する。
プロファイル情報変換部７６４は、プロファイル情報検出部７６２から属性情報ｄ１１１を取得する。さらに、属性情報ｄ１１１が含む入力プロファイル属性情報を好適プロファイル属性情報に変換し、プロファイル属性情報ｄ１１６として出力する。ここで、変換は、予め用意された変換テーブルを用いて行われる。
【０２９８】
画像処理装置７５８は、プロファイル属性情報ｄ１１６を取得し、上記実施形態でプロファイル属性情報を含む属性情報ｄ１１１を取得した場合と同様の動作により、入力信号ｄ１１０が含む入力画像データｄ１１２（図１９参照）の画像処理を行う。
変形例としての表示用画像処理装置７６５では、入力プロファイル属性情報と好適プロファイル属性情報とのフォーマットが異なる場合であっても、入力プロファイル属性情報に基づいて画像処理を行うことが可能となる。
【０２９９】
なお、プロファイル情報変換部７６４は、入力プロファイル属性情報のフォーマットの変換のみを行うものに限定されない。
例えば、画像処理装置７５８が入力プロファイル属性情報により特定される画像処理を実現できない場合であっても、できるだけ近い画像処理を実現する好適プロファイル属性情報に変換して画像処理を行うことが可能となる。
【０３００】
また、入力プロファイル属性情報が入力信号ｄ１１０の入力画像データｄ１１２に既に行われている画像処理の処理度合いなどを含む場合には、その処理度合いに応じて入力プロファイル属性情報の変換を行い、画像処理装置７５８における画像処理の処理度合いを変化させることなどが可能となる。これによれば、入力信号ｄ１１０を作成する撮影側と表示側とで画像処理を分担することが可能となる。また、既に行われている画像処理に重複した画像処理、あるいは、既に行われている画像処理を相殺する画像処理を行うことが防止される。
【０３０１】
［第７実施形態］
図２１〜図３１を用いて、本発明の第７実施形態としての撮影装置８２０について説明する。
図２１に示す撮影装置８２０は、画像の撮影を行うスチールカメラ、ビデオカメラなど、画像を撮影する撮影装置である。撮影装置８２０は、上記実施形態で説明した画像処理装置を含む撮影用画像処理装置８３２を有する点、自動あるいは手動により画像処理に用いるプロファイルを切り替えることができる点に特徴を有している。なお、撮影装置８２０は、独立した装置であってもよいが、携帯電話機、ＰＤＡ、ＰＣなどの携帯情報端末に備えられている装置であってもよい。
【０３０２】
〈撮影装置８２０〉
撮影装置８２０は、撮影部８２１、撮影用画像処理装置８３２、表示部８３４、ＣＰＵ８４６、照明部８４８、入力部８５０、セキュリティ判定部８５２、コーデック８４０、メモリコントローラ８４２、メモリ８４４、外部インタフェース（Ｉ／Ｆ）８５４、外部装置８５６を備えている。
【０３０３】
撮影部８２１は、画像の撮影を行い、入力画像信号ｄ３６２を出力する部分であり、レンズ８２２、絞り・シャッター部８２４、ＣＣＤ８２６、アンプ８２８、Ａ／Ｄ変換部８３０、ＣＣＤ制御部８３６、情報検出部８３８から構成されている。
レンズ８２２は、ＣＣＤ８２６上に被写体の画像を結像するためのレンズである。絞り・シャッター部８２４は、レンズ８２２を通過した光束の通過範囲や通過時間を変えて露出を制御するための機構である。ＣＣＤ８２６は、被写体の画像を光電変換して画像信号として出力するためのイメージセンサである。アンプ８２８は、ＣＣＤ８２６から出力された画像信号を増幅するための装置である。Ａ／Ｄ変換部８３０は、アンプ８２８により増幅されたアナログ画像信号をデジタル画像信号に変換する装置である。ＣＣＤ制御部８３６は、ＣＣＤ８２６を駆動するタイミングを制御する装置である。情報検出部８３８は、デジタル画像信号からオートフォーカス、絞り、露出などの情報を検出し、ＣＰＵ８４６に出力する装置である。
【０３０４】
撮影用画像処理装置８３２は、［第６実施形態］で図９を用いて説明した表示用画像処理装置７２３と同様の装置である。撮影用画像処理装置８３２は、ＣＰＵ８４６からの制御を受け、入力画像信号ｄ３６２に含まれる入力信号ｄ１（図２２参照）の画像処理を行い、出力信号ｄ３（図２２参照）を含む出力画像信号ｄ３６１を出力する装置である。撮影用画像処理装置８３２は、上記実施形態で説明した画像処理装置を含み、プロファイルを用いて画像処理を行う点に特徴を有している。詳細については、後述する。
【０３０５】
表示部８３４は、撮影用画像処理装置８３２により出力された出力画像信号ｄ３６１を、例えばサムネイル表示する装置である。表示部８３４は、ＬＣＤで構成されることが多いが、ＰＤＰ、ＣＲＴ、プロジェクタなど、画像を表示する装置であれば特に限定しない。なお、表示部８３４は、撮影装置８２０に内蔵されているものだけでなく、有線あるいは無線のネットワークなどを介して接続されていてもよい。また、表示部８３４は、撮影用画像処理装置８３２とＣＰＵ８４６を介して接続されていてもよい。
【０３０６】
ＣＰＵ８４６は、撮影用画像処理装置８３２、コーデック８４０、メモリコントローラ８４２、外部Ｉ／Ｆ８５４、とバスラインを介して接続されており、情報検出部８３８の検出結果、入力部８５０による入力結果、照明部８４８による発光情報、セキュリティ判定部８５２による判定結果などを受け取るとともに、レンズ８２２、絞り・シャッター部８２４、ＣＣＤ制御部８３６、撮影用画像処理装置８３２、照明部８４８、入力部８５０、セキュリティ判定部８５２やバスラインに接続された各部などの制御を実行する装置である。
【０３０７】
照明部８４８は、被写体に照射する照明光を発光するストロボなどである。
入力部８５０は、撮影装置８２０への操作をユーザに行わせるためのユーザインタフェースであり、各部の制御をするためのキー、つまみ、リモコンなどである。
セキュリティ判定部８５２は、外部から取得されるセキュリティ情報を判定して、ＣＰＵ８４６を介して撮影用画像処理装置８３２の制御を行う部分である。
【０３０８】
コーデック８４０は、撮影用画像処理装置８３２からの出力画像信号ｄ３６１をＪＰＥＧあるいはＭＰＥＧなどにより圧縮処理する圧縮回路である。
メモリコントローラ８４２は、ＤＲＡＭなどで構成されるＣＰＵのメモリ８４４のアドレスやアクセスタイミングなどの制御を行う。
【０３０９】
メモリ８４４は、ＤＲＡＭなどで構成され、画像処理などの際に作業用メモリとして用いられる。
外部Ｉ／Ｆ８５４は、メモリカード８５９、ＰＣ８６１などの外部装置８５６に出力画像信号ｄ３６１、あるいはコーデック８４０で圧縮処理された出力画像信号ｄ３６１を出力するためのインタフェースである。また、外部Ｉ／Ｆ８５４は、画像処理を行うためのプロファイルに関する情報であるプロファイル情報などを取得するとともに、取得したプロファイル情報など含む入力画像信号ｄ３６２を撮影用画像処理装置８３２に対して出力するためのインタフェースである。プロファイル情報は、［第６実施形態］で説明したのと同様である。外部Ｉ／Ｆ８５４は、例えば、メモリカードＩ／Ｆ８５８、ＰＣＩ／Ｆ８６０、ネットワークＩ／Ｆ８６２、無線Ｉ／Ｆ８６４などにより構成される。なお、外部Ｉ／Ｆ８５４は、ここに例示したものの全てを備えている必要は無い。
【０３１０】
メモリカードＩ／Ｆ８５８は、画像データやプロファイル情報などを記録するメモリカード８５９と撮影装置８２０とを接続するためのインタフェースである。ＰＣＩ／Ｆ８６０は、画像データやプロファイル情報などを記録するパーソナルコンピュータなどの外部機器であるＰＣ８６１と撮影装置８２０とを接続するためのインタフェースである。ネットワークＩ／Ｆ８６２は、撮影装置８２０をネットワークに接続し、画像データやプロファイル情報などを送受信するためのインタフェースである。無線Ｉ／Ｆ８６４は、撮影装置８２０を無線ＬＡＮなどを介して外部機器と接続し、画像データやプロファイル情報などを送受信するためのインタフェースである。なお、外部Ｉ／Ｆ８５４は、図示したものに限られず、例えば、ＵＳＢ、光ファイバーなどと撮影装置８２０とを接続するためのインタフェースであってもよい。
【０３１１】
〈撮影用画像処理装置８３２〉
図２２に、撮影用画像処理装置８３２の構成を示す。撮影用画像処理装置８３２は、表示用画像処理装置７２３と同様の構成を有している。図２２では、表示用画像処理装置７２３と同じ機能を有する部分に同じ符号を付している。
【０３１２】
撮影用画像処理装置８３２は、図１を用いて説明した画像処理装置１０とほぼ同様の構成を有する画像処理装置７５０と、環境検出部７５４とを備えている。
各部の動作は、［第６実施形態］で説明したため、詳しい説明を省略する。
なお、［第６実施形態］では、環境情報ｄ１０４または環境情報ｄ１０５が含む環境情報は、「画像処理された画像データが表示され、視覚される環境に関する情報である」、と記載したが、これは、撮影が行われる環境に関する情報であってもよい。撮影が行われる環境とは、例えば、撮影環境の環境光の色温度、照度、光源の種類、被写体までの距離などといった情報である。
【０３１３】
〈撮影装置８２０の効果〉
撮影装置８２０は、［第６実施形態］で説明した表示用画像処理装置７２３（図９参照）と同様の撮影用画像処理装置８３２を備えている。このため、表示用画像処理装置７２３を備える表示装置７２０（図８参照）と同様の効果を奏することが可能である。
【０３１４】
（１）
撮影装置８２０では、画像処理装置１０（図１参照）とほぼ同様の構成を有する画像処理装置７５０を備えている。このため、上記実施形態で説明した画像処理装置１０と同様の効果が得られる。
【０３１５】
特に、撮影装置８２０では、新たにプロファイルを生成することが可能である。このため、あらかじめ多くのプロファイルを記憶しておく必要が無く、プロファイルの記憶容量を削減することが可能である。さらに、プロファイルの生成では、合成度を変更することにより、プロファイルが実現する画像処理の微妙な調整が可能となる。
【０３１６】
また、撮影装置８２０では、複数のプロファイルを用いて新たにプロファイルを生成する。このため、１つのプロファイルを用いる場合に比して、プロファイル生成の自由度が向上する。すなわち、より複雑な画像処理を実現するプロファイルを生成することが可能となる。
【０３１７】
また、撮影装置８２０では、生成したプロファイルを用いた画像処理が行われる。プロファイルの生成は画像処理の前にあらかじめ行っておくことが可能である。このため、プロファイルが実現する画像処理が複雑であっても、画像処理の処理速度には影響しない。すなわち、複雑な処理をより高速に行うことが可能となる。このことは、生成したプロファイルにより実現される画像処理がより多くの画像のパラメータを調整する場合に、より顕著となる。
【０３１８】
（２）
撮影装置８２０では、環境検出部７５４により検出された環境情報に応じてプロファイルの選択や合成度の変更などが行われる。このため、環境情報に応じて適切な画像処理が実現され、視覚効果がより向上される。
【０３１９】
図２３を用いて、環境情報と色処理部１３（図１参照）で用いられるプロファイルとの関係について説明し、撮影装置８２０のより具体的な効果を説明する。図２３は、環境情報に基づいて選択されたプロファイルｚ１およびプロファイルｚ２と制御信号ｃ２が指定する合成度とに基づいて生成されるプロファイルｚｋを示している。プロファイルｚｋは、制御信号ｃ２が指定する合成度の値に応じて生成されている。
【０３２０】
例えば、撮影装置８２０の撮影環境における環境光の色温度が取得できる場合、基本プロファイル群記憶部１２では、低色温度（３０００Ｋ）用のプロファイルｚ１と高色温度（５５００Ｋ）用のプロファイルｚ２とが選択される。より具体的には、色処理として肌色の記憶色補正を行う場合、低色温度（３０００Ｋ）用のプロファイルｚ１として選択されるプロファイルは、高色温度（５５００Ｋ）用のプロファイルｚ２に比べて、色調整範囲が赤方向に広めに設定され、かつ、無彩色方向へのゲインが大きく設定されたプロファイルである。
【０３２１】
さらに、環境情報から取得される色温度に応じて、制御部１４から制御信号ｃ２が出力される。色処理部１３では、プロファイルｚ１とプロファイルｚ２と制御信号ｃ２が含む合成度とに基づいて、新たなプロファイルｚｋが生成され、生成されたプロファイルｚｋを用いて色処理が行われる。
【０３２２】
この場合、色温度に基づいて合成度が指定され、好適なプロファイルが生成される。このため、記憶色補正がより適切に行われる。
なお、図２３の説明では、プロファイルが２つ選択されると説明したが、複数選択されてもよい。この場合、さらに画質が向上する。
【０３２３】
（３）
撮影装置８２０は、表示部８３４を備え、画像処理された画像を確認しつつ撮影を行うことが可能である。このため、撮影時の画像の印象と、撮影された画像を表示した時の印象とを近づけることが可能となる。
【０３２４】
（４）
情報設定部７５２は、視覚処理部１１と色処理部１３とにおいて用いられるプロファイルをそれぞれ指定する。このため、視覚処理部１１と色処理部１３とにおける画像処理がそれぞれ重複する処理となることや相殺する処理となることを防止することが可能となる。
【０３２５】
〈変形例〉
撮影装置８２０では、上記実施形態において表示用画像処理装置７２３に関して記載したのと同様の変形が可能である。以下、撮影装置８２０に特徴的な変形例を記載する。
（１）
上記実施形態で説明した撮影装置８２０の各部において、同様の機能を実現する部分は、共通のハードウェアで実現されていてもよい。
【０３２６】
入力部８５０（図２１参照）は、環境検出部７５４（図２２参照）として環境情報を入力させる装置であってもよい。この場合、入力部８５０から入力された環境情報は、ＣＰＵ８４６（図２１参照）を介して環境情報ｄ１０５として撮影用画像処理装置８３２に入力される。
【０３２７】
視覚処理部１１（図９参照）においてプロファイルが記憶されている記憶部や基本プロファイル群記憶部１２（図９参照）は、撮影用画像処理装置８３２の外部に備えられる物であってもよく、例えば、メモリ８４４や外部装置８５６により実現されていてもよい。また、視覚処理部１１においてプロファイルが記憶されている記憶部や基本プロファイル群記憶部１２は、同じ装置により実現されていてもよい。
【０３２８】
また、視覚処理部１１においてプロファイルが記憶されている記憶部や基本プロファイル群記憶部１２に記憶されるプロファイルは、予め各部に記憶されているものであってもよいし、外部装置８５６から取得されるものであってもよい。
また、画像処理装置７５０の制御部１４や情報設定部７５２の機能は、ＣＰＵ８４６により実現されていてもよい。
【０３２９】
（２）
撮影用画像処理装置８３２では、環境検出部７５４に変えて、ユーザに入力を行わせるユーザ入力部を備えていてもよい。
図２４に撮影用画像処理装置８３２の変形例としての撮影用画像処理装置８７５の構成を示す。撮影用画像処理装置８７５は、ユーザに入力を行わせるユーザ入力部８７７を備えている点に特徴を有している。撮影用画像処理装置８７５において、撮影用画像処理装置８３２とほぼ同様の機能を果たす部分には同じ符号を付して説明を省略する。
【０３３０】
ユーザ入力部８７７は、ユーザの嗜好する画像処理を入力させ、入力された情報を画像処理装置７５０の情報設定部７５２（図９参照）に対して、入力情報ｄ１０８として出力する。
ユーザ入力部８７７は、例えば、ユーザの嗜好する明るさを入力させる明るさ入力部と、ユーザの嗜好する画質を入力させる画質入力部とから構成されている。
【０３３１】
明るさ入力部は、例えば、撮影される画像中の光の状態を入力するスイッチ、画像が撮影される環境の光の状態を入力するスイッチなどから構成されている。撮影される画像中の光の状態を入力するスイッチは、例えば、画像中の逆光・順光や、撮影時のストロボの有無や、撮影時に用いられたマクロプログラムの状態などを入力するためのスイッチである。ここで、マクロプログラムとは、撮影装置を被写体の状態に応じて制御するためのプログラムである。画像が撮影される環境の光の状態を入力するスイッチは、例えば、環境光の明るさ、色温度などを入力するためのスイッチである。
【０３３２】
画質入力部は、ユーザの画質の好みを入力するためのスイッチであり、例えば、デフォルト・ダイナミック・クラシックなどといった異なる視覚効果を入力するスイッチである。
ユーザ入力部８７７は、明るさ入力部と画質入力部とから入力された情報を入力情報ｄ１０８として出力する。
【０３３３】
画像処理装置７５０では、環境情報ｄ１０４（図２２参照）が入力される場合とほぼ同様の動作が行われる。環境情報ｄ１０４が入力される場合との相違点は、情報設定部７５２が入力情報ｄ１０８とプロファイルとを関連づけるデータベースを参照し、プロファイル情報ｄ１０１〜ｄ１０３を出力する点である。
【０３３４】
本変形例の撮影用画像処理装置８７５では、ユーザの入力に応じて画像処理に用いられるプロファイルを選択し、画像処理を行うことが可能となる。このため、ユーザの嗜好に応じた画像処理を行うことが可能となる。
なお、入力部８５０（図２１参照）は、ユーザ入力部８７７と同様に動作し、ＣＰＵ８４６を介してユーザの嗜好する画像処理を入力させるものであってもよい。この場合、環境情報ｄ１０５は、入力情報ｄ１０８と同様の情報を含むこととなる。
【０３３５】
（３）
《３−１》
撮影装置８２０において、撮影用画像処理装置８３２は、セキュリティ情報を取得し、セキュリティ情報に応じて画像処理に用いるプロファイルを切り替える装置であってもよい。ここで、セキュリティ情報とは、撮影装置８２０の撮影環境において撮影が許可されているか否か、あるいはその許可の程度を表す情報である。
【０３３６】
図２５に、撮影用画像処理装置８３２の変形例としての撮影用画像処理装置８７０を示す。撮影用画像処理装置８７０は、入力信号ｄ１の画像処理を行い、出力信号ｄ３を出力する点において、撮影用画像処理装置８３２と同様である。撮影用画像処理装置８７０と撮影用画像処理装置８３２との相違点は、撮影用画像処理装置８７０が撮影環境におけるセキュリティ情報を取得するセキュリティ情報入力部８７２を備える点である。その他、撮影用画像処理装置８３２と共通する部分については、同じ符号を付し、説明を省略する。
【０３３７】
セキュリティ情報入力部８７２は、例えば、ユーザに直接セキュリティ情報を入力させる入力装置、無線、赤外線あるいは有線によりセキュリティ情報を取得する受信装置などにより主に構成されている。さらに、セキュリティ情報入力部８７２は、取得したセキュリティ情報をセキュリティ情報ｄ１３０として出力する。
【０３３８】
画像処理装置７５０の情報設定部７５２（図９参照）では、セキュリティ情報ｄ１３０が示す撮影許可の程度が高いほど、より高画質な撮影が行えるようなプロファイルを特定し、撮影許可の程度が低いほど、より低画質な撮影しか行えないようなプロファイルを特定する。
【０３３９】
図２６を用いて撮影用画像処理装置８７０の動作についてさらに詳しく説明する。
図２６は、撮影が制御される撮影制御領域８８０における、撮影用画像処理装置８７０を備える撮影装置８２０の動作について説明するための説明図である。
撮影制御領域８８０には、撮影が禁止される撮影禁止物８８３が配置されている。撮影禁止物８８３とは、例えば、人物、書物など、肖像権や著作権などの対象となるものなどである。撮影制御領域８８０には、セキュリティ情報発信装置８８１が設置されている。セキュリティ情報発信装置８８１は、無線、赤外線などによりセキュリティ情報を発信する。
【０３４０】
撮影制御領域８８０内の撮影装置８２０は、セキュリティ情報入力部８７２（図２５参照）によりセキュリティ情報を受信する。セキュリティ情報入力部８７２は、受信したセキュリティ情報をセキュリティ情報ｄ１３０として出力する。画像処理装置７５０の情報設定部７５２（図９参照）は、セキュリティ情報ｄ１３０の値とプロファイルとの関連づけを記憶するデータベースなどを参照し、撮影許可の程度の値に応じたプロファイルを特定するためのプロファイル情報ｄ１０１〜ｄ１０３を出力する。例えば、データベースでは、より高い撮影許可の程度の値に対して、より高画質な撮影が行えるプロファイルが関連づけられている。
【０３４１】
より詳しくは、例えば、撮影装置８２０がセキュリティ情報発信装置８８１から撮影許可の程度が低いセキュリティ情報を受信した場合、画像処理装置７５０では、画像中心付近や画像の主要な領域を平滑化する（あるいは階調を落とす）ようなプロファイルを用いた画像処理が行われる。また、画像処理装置７５０では、画像を無彩色化するようなプロファイルを用いた画像処理が行われる。これにより、適切な画質で撮影を行うことができなくなり、肖像権や著作権などの権利を保護することが可能となる。
【０３４２】
《３−２》その他
（１）
セキュリティ情報入力部８７２がセキュリティ情報を受信した場合、撮影用画像処理装置８７０は、セキュリティ情報ｄ１３０に応じてプロファイルを切り替えるだけでなく、撮影用画像処理装置８７０あるいは撮影装置８２０の一部の機能を停止させてもよい。
【０３４３】
（２）
画像処理装置７５０では、セキュリティ情報入力部８７２からセキュリティ情報を受信し、さらに、撮影装置８２０の入力部８５０などからユーザの認証情報ｄ１３１を取得した場合、撮影許可されたユーザであれば、撮影許可の程度を緩和するようなプロファイルを用いて画像処理を行ってもよい。
【０３４４】
ユーザの認証情報は、例えば、ユーザの指紋・眼紋などによる認証情報である。この認証情報を取得した画像処理装置７５０は、撮影許可されたユーザのデータベースを参照し、認証されたユーザが撮影許可されたユーザであるか否かを判断する。また、この際、ユーザの課金情報などにより撮影許可の程度も判断し、その程度が高いほど、より高画質な撮影を行えるようにしてもよい。
【０３４５】
なお、セキュリティ情報は、撮影許可された撮影装置８２０を特定するための情報を通知するものであってもよい。
（３）
セキュリティ情報入力部８７２は、セキュリティ判定部８５２（図２１参照）と兼用されていてもよい。
【０３４６】
（４）
上記実施形態では、「撮影用画像処理装置８３２は、画像処理した出力信号ｄ３を含む出力画像信号ｄ３６１を出力する」、と説明した。
ここで、撮影用画像処理装置８３２は、出力画像信号ｄ３６１と入力信号ｄ１とを出力することができる装置であってもよい。例えば、撮影用画像処理装置８３２は、表示部８３４には、出力画像信号ｄ３６１を出力し、コーデック８４０あるいは外部装置８５６（図２１参照）には、入力信号ｄ１を出力する。
【０３４７】
この場合、撮影装置８２０の表示部８３４では、撮影環境に応じた表示を行うことが可能となる。例えば、環境光の元でコントラストや彩度を高めた画像を表示することが可能となる。また、コーデック８４０や外部装置８５６には、撮影した画像そのものを記録したり送信したりすることが可能となる。
【０３４８】
（５）
撮影用画像処理装置８３２は、複数の画像処理装置を備えるものであってもよい。
図２７に２つの画像処理装置を備える撮影用画像処理装置８８４の構成を示す。
撮影用画像処理装置８８４は、入力信号ｄ１の画像処理を行う２つの画像処理装置８８５と画像処理装置８８６とを備えている。さらに、それぞれの画像処理装置に対して、環境情報を出力する環境検出部８８７を備えている。
【０３４９】
画像処理装置８８５と画像処理装置８８６とは、上記実施形態で説明した画像処理装置７５０（図２２参照）と同様の動作を行う。環境検出部８８７は、上記実施形態で説明した環境検出部７５４（図２２参照）と同様の動作を行う。環境検出部８８７は、それぞれの画像処理装置に対して、環境情報ｄ１３４，ｄ１３５を出力する。
【０３５０】
画像処理装置８８５は、環境情報ｄ１３４を取得し、入力信号ｄ１に画像処理を行い、出力信号ｄ３を表示部８３４に出力する。画像処理装置８８６は、環境情報ｄ１３５を取得し、入力信号ｄ１に画像処理を行い、出力信号ｄ１３７を出力する。
これにより、撮影用画像処理装置８８４では、表示部８３４と外部装置８５６などとに対して、それぞれ異なる画像処理を行った信号を出力することが可能となる。このため、例えば、表示サイズの小さい表示部８３４に対しては、コントラストや彩度を上げた画像を表示させ、外部装置８５６などに対しては、大きな表示サイズの画面で視覚されることを考慮した画像を出力することが可能となる。
【０３５１】
なお、双方の画像処理装置８８５，８８６および環境検出部８８７に対して、入力部８５０（図２１参照）から環境情報ｄ１０５を入力し、画像処理に用いるプロファイルを選択させてもよい。
（６）
撮影用画像処理装置８３２は、画像処理された出力信号ｄ３に対してプロファイル情報を付加して出力する装置であってもよい。
【０３５２】
図２８に撮影用画像処理装置８３２の変形例としての撮影用画像処理装置８９０を示す。
撮影用画像処理装置８９０は、入力信号ｄ１を画像処理し出力信号ｄ３を出力する画像処理装置８９１と、出力信号ｄ３の画像処理を行う際に推奨されるプロファイルの情報である推奨プロファイル情報ｄ１４０を出力する推奨プロファイル情報生成部８９４と、出力信号ｄ３に推奨プロファイル情報ｄ１４０を付加し出力画像信号ｄ３６１を出力するプロファイル情報付加部８９２とを備えている。
【０３５３】
画像処理装置８９１は、上記実施形態で説明した画像処理装置１０や画像処理装置７５０などと同様の構成を有しており、入力信号ｄ１に対して画像処理を行い出力信号ｄ３を出力する装置である。
推奨プロファイル情報生成部８９４は、自動あるいは手動により出力信号ｄ３に付加する推奨プロファイル情報ｄ１４０を生成する。具体的には、推奨プロファイル情報生成部８９４は、上記実施形態で説明した環境情報をセンサなどにより取得し、環境情報とプロファイルとを関連付けるデータベースを参照することにより環境情報に好適なプロファイルのプロファイル情報を推奨プロファイル情報ｄ１４０として出力する。ここで、プロファイル情報とは、上記実施形態で説明したのと同様である。また、推奨プロファイル情報生成部８９４は、好適なプロファイルをユーザに入力させ、入力されたプロファイルのプロファイル情報を推奨プロファイル情報ｄ１４０として出力させてもよい。
【０３５４】
プロファイル情報付加部８９２は、出力信号ｄ３に対して推奨プロファイル情報ｄ１４０を付加し、出力画像信号ｄ３６１として出力する。
図２９に、プロファイル情報付加部８９２が推奨プロファイル情報ｄ１４０を付加した出力画像信号ｄ３６１のフォーマット例を示す。
【０３５５】
図２９（ａ）では、出力画像信号ｄ３６１の先頭部に推奨プロファイル情報ｄ１４０が配置されており、それに続いて出力信号ｄ３が配置されている。このようなフォーマットでは、先頭部の推奨プロファイル情報ｄ１４０を用いて、全ての出力信号ｄ３の画像処理が行うことが可能となる。また、推奨プロファイル情報ｄ１４０は、出力画像信号ｄ３６１中において一箇所だけ配置されていればよく、出力画像信号ｄ３６１に占める推奨プロファイル情報ｄ１４０の割合を削減することが可能となる。
【０３５６】
図２９（ｂ）では、複数に分割された出力信号ｄ３のそれぞれに対して、推奨プロファイル情報ｄ１４０が配置されている。このようなフォーマットでは、分割された出力信号ｄ３のそれぞれの画像処理において、異なるプロファイルが用いられる。このため、例えば、出力信号ｄ３のシーン毎に異なるプロファイルを用いた画像処理を行うことが可能となり、より画像処理を適切に行うことが可能となる。また、連続的に変化するような一連のシーンの場合、まず先頭シーンにシーン属性情報を付加して、続く複数のシーンには先頭シーンからの明るさの変動情報や対象の変動情報のみをシーン属性情報として付加することで、動画像の画像処理におけるちらつきや画質の急激な変化を抑えることができる。
【０３５７】
なお、推奨プロファイル情報ｄ１４０は、出力信号ｄ３の画像処理に用いられるプロファイルを特定する情報であればどのような形式の情報であってもよく、例えば、データベースに管理されたプロファイル情報と出力信号ｄ３とを関連づける情報であってもよい。
（７）
撮影用画像処理装置８３２は、入力信号ｄ１に対してプロファイル情報を付加して出力する装置であってもよい。
【０３５８】
図３０に撮影用画像処理装置８３２の変形例としての撮影用画像処理装置８９６を示す。
撮影用画像処理装置８９６は、画像処理装置８９７と、ユーザ入力部８９８と、推奨プロファイル情報生成部８９９と、プロファイル情報付加部９００とを備えている。
【０３５９】
画像処理装置８９７およびユーザ入力部８９８は、図２４を用いて説明した画像処理装置７５０とユーザ入力部８７７と同様に動作する。さらに、ユーザ入力部８９８は、ユーザの設定した情報を入力情報ｄ１４２として推奨プロファイル情報生成部８９９に出力する。
【０３６０】
推奨プロファイル情報生成部８９９は、入力情報ｄ１４２とプロファイルとを関連づけるデータベースを参照し、推奨プロファイル情報ｄ１４４を出力する。
プロファイル情報付加部９００は、入力信号ｄ１に対して推奨プロファイル情報ｄ１４４を付加し、出力画像信号ｄ３６１を出力する。ここで、推奨プロファイル情報ｄ１４４は、図２９を用いて説明したのと同様のフォーマットにより付加される。すなわち、図２９において、推奨プロファイル情報ｄ１４０が配置されている位置に推奨プロファイル情報ｄ１４４が配置され、出力信号ｄ３が配置されている位置に入力信号ｄ１が配置される。
【０３６１】
これにより、表示サイズの小さい表示部８３４では、コントラストや彩度を上げた画像を表示して撮影中の画像を確認しつつ、外部装置８５６などには、大きな表示サイズの画面で視覚されることを考慮したプロファイル情報を付加した出力を行うことが可能となる。
【０３６２】
なお、画像処理装置８９７、推奨プロファイル情報生成部８９９、プロファイル情報付加部９００には、ユーザ入力部８９８に変えてあるいは加えて、ＣＰＵ８４６を介して入力部８５０（図２１参照）から入力が行われてもよい。
（８）
出力信号ｄ３に付加される推奨プロファイル情報は、画像処理装置での画像処理の実施情報に応じて生成されるものであってもよい。
【０３６３】
図３１に撮影用画像処理装置８３２の変形例としての撮影用画像処理装置９０５を示す。
撮影用画像処理装置９０５は、画像処理装置９０６と、推奨プロファイル情報生成部９０７と、プロファイル情報付加部９０８とを備えている。
【０３６４】
画像処理装置９０６は、入力信号ｄ１に画像処理し出力信号ｄ３を出力する装置であり、図１に示す画像処理装置１０とほぼ同様の構成を有している。画像処理装置１０との相違点は、視覚処理部１１、制御部１４、基本プロファイル群記憶部１２が、それぞれの動作に応じてプロファイル情報を推奨プロファイル情報生成部９０７に出力する点である。例えば、視覚処理部１１は、視覚処理に用いたプロファイルに関する情報や視覚処理の処理度合いなどをプロファイル情報ｄ１４８として出力する。制御部１４は、視覚処理部１１や色処理部１３で用いられたプロファイルの合成度などをプロファイル情報ｄ１４９として出力する。基本プロファイル群記憶部１２は、色処理部１３の色処理で用いられたプロファイルに関する情報や色処理部１３の色処理の処理度合いなどをプロファイル情報ｄ１５０として出力する。
【０３６５】
推奨プロファイル情報生成部９０７は、プロファイル情報ｄ１４８〜ｄ１５０を取得し、推奨プロファイル情報ｄ１４６として出力する。
プロファイル情報付加部９０８は、出力信号ｄ３に対して推奨プロファイル情報ｄ１４６を付加し、出力画像信号ｄ３６１を出力する。ここで、推奨プロファイル情報ｄ１４６は、図２９を用いて説明したのと同様のフォーマットにより付加される。すなわち、図２９において、推奨プロファイル情報ｄ１４０が配置されている位置に推奨プロファイル情報ｄ１４６が配置される。
【０３６６】
撮影用画像処理装置９０５により、表示側では、撮影側での画像処理の内容や画像処理の有無を判断できる。このため、撮影側と表示側で重複した画像処理、相殺する画像処理を行うことが防止可能となる。
さらに、画像処理の有無だけでなく、画像処理の程度を推奨プロファイル情報ｄ１４６として含めることも可能である。これにより、撮影側と表示側で同じ処理を分担することが可能となる。例えば、撮影側で５０％の画像処理を行い、表示側で５０％の画像処理を行う、といった処理が可能となる。
【０３６７】
撮影側で使用したプロファイルに関する情報から、撮影側での画像処理前の画像を再生することが可能となる。このため、表示側においてより高性能な画像処理が行える場合に、撮影側で行った画像処理をはずし、表示側において再度画像処理を行うことが可能となる。この結果、ユーザは、より高画質の画像を享受することが可能となる。
【０３６８】
推奨プロファイル情報ｄ１４６として、タグ情報やパラメータ情報を含める場合には、少ない情報でプロファイルに関する情報を付加することが可能となる。
［第８実施形態］
（１）
上記実施形態において、視覚処理部、プロファイル作成実行部、制御部あるいは色処理実行部などは、ソフトウェアにより実現されていてもハードウェアにより実現されていてもよい。ソフトウェアにより実現されている場合、そのプログラムは、コンピュータ、デジタルカメラ、携帯電話、ＰＤＡ、デジタルテレビなど、画像を取り扱う機器に内蔵、あるいは接続される装置において、ハードディスク、ＲＡＭ、ＲＯＭ、メモリカードなどの記憶装置に記憶され、画像の色処理を実行するプログラムであり、例えば、ＣＤ−ＲＯＭなどの記録媒体を介して、あるいはネットワークを介して提供されてもよい。
【０３６９】
また、上記視覚処理部、プロファイル作成実行部、制御部あるいは色処理実行部などをＬＳＩの内部に持たせてもよい。ＬＳＩの内部に持たせることで、異なる処理は基本プロファイルで提供されるため、異なる処理を実現する毎にＬＳＩ設計する必要がなくなる。
より詳しくは、上記実施形態の各機能ブロックは、個別に１チップ化されてもよいし、一部又は全てを含むように１チップ化されてもよい。なお、ここでは、ＬＳＩとしたが、集積度の違いにより、ＩＣ、システムＬＳＩ、スーパーＬＳＩ、ウルトラＬＳＩと呼称されることもある。
【０３７０】
また、集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０３７１】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてあり得る。
（２）
上記実施形態において、入力信号ｄ１、画像信号ｄ２は、静止画であっても動画であってもかまわない。
【０３７２】
（３）
上記実施形態において、画像信号値は、Ｒ，Ｇ，Ｂの３原色を用いた色空間の座標として表されるとしたが、本発明の効果は、この色空間のデータを用いた場合に限定されるものではない。例えば、ＣＭＹ系の色空間であってもよいし、Ｌａｂ系の色空間であってもよい。
【０３７３】
また、本発明の効果は、３次元の色空間を取り扱う色処理以外にも有効である。すなわち、本発明の効果は、取り扱う色空間の次元に依存しない。
（４）
上記実施形態の全体の効果として、表示色変換処理、色域変換処理、記憶色補正処理等と呼ばれるそれぞれの処理において、処理度合いを任意に調整することが可能となる。例えば、色処理された画像信号を出力する出力デバイスの環境に対応して色処理を行うことが可能となる。より具体的には、色処理された画像信号を周囲の環境光に応じてモニタ表示させること、あるいは色処理された画像信号を紙質に応じてプリンタによりプリントアウトさせることなどが可能となる。また、表示色変換処理、記憶色補正処理などにおいては、観者それぞれの好みに応じた色処理を行うことが可能となる。
【０３７４】
これらの効果に加えて、上記実施形態では、色処理の処理度合いを異ならせた膨大な数のルックアップテーブルを有することは必要とされず、ルックアップテーブルを記憶するためのメモリなどの記憶容量を削減することが可能となる。
［第９実施形態］
本発明の第９実施形態として、上記で説明した画像処理装置、画像処理方法、画像処理プログラムの応用例とそれを用いたシステムを図３２〜図３５を用いて説明する。
【０３７５】
図３２は、コンテンツ配信サービスを実現するコンテンツ供給システムｅｘ１００の全体構成を示すブロック図である。通信サービスの提供エリアを所望の大きさに分割し、各セル内にそれぞれ固定無線局である基地局ｅｘ１０７〜ｅｘ１１０が設置されている。
このコンテンツ供給システムｅｘ１００は、例えば、インターネットｅｘ１０１にインターネットサービスプロバイダｅｘ１０２および電話網ｅｘ１０４、および基地局ｅｘ１０７〜ｅｘ１１０を介して、コンピュータｅｘ１１１、ＰＤＡ（personal digital assistant）ｅｘ１１２、カメラｅｘ１１３、携帯電話ｅｘ１１４、カメラ付きの携帯電話ｅｘ１１５などの各機器が接続される。
【０３７６】
しかし、コンテンツ供給システムｅｘ１００は図３２のような組合せに限定されず、いずれかを組み合わせて接続するようにしてもよい。また、固定無線局である基地局ｅｘ１０７〜ｅｘ１１０を介さずに、各機器が電話網ｅｘ１０４に直接接続されてもよい。
カメラｅｘ１１３はデジタルビデオカメラ等の動画撮影が可能な機器である。また、携帯電話は、ＰＤＣ（Personal Digital Communications）方式、ＣＤＭＡ（Code Division Multiple Access）方式、Ｗ−ＣＤＭＡ（Wideband-Code Division Multiple Access）方式、若しくはＧＳＭ（Global System for Mobile Communications）方式の携帯電話機、またはＰＨＳ（Personal Handyphone System）等であり、いずれでも構わない。
【０３７７】
また、ストリーミングサーバｅｘ１０３は、カメラｅｘ１１３から基地局ｅｘ１０９、電話網ｅｘ１０４を通じて接続されており、カメラｅｘ１１３を用いてユーザが送信する符号化処理されたデータに基づいたライブ配信等が可能になる。撮影したデータの符号化処理はカメラｅｘ１１３で行っても、データの送信処理をするサーバ等で行ってもよい。また、カメラｅｘ１１６で撮影した動画データはコンピュータｅｘ１１１を介してストリーミングサーバｅｘ１０３に送信されてもよい。カメラｅｘ１１６はデジタルカメラ等の静止画、動画が撮影可能な機器である。この場合、動画データの符号化はカメラｅｘ１１６で行ってもコンピュータｅｘ１１１で行ってもどちらでもよい。また、符号化処理はコンピュータｅｘ１１１やカメラｅｘ１１６が有するＬＳＩｅｘ１１７において処理することになる。なお、画像符号化・復号化用のソフトウェアをコンピュータｅｘ１１１等で読み取り可能な記録媒体である何らかの蓄積メディア（ＣＤ−ＲＯＭ、フレキシブルディスク、ハードディスクなど）に組み込んでもよい。さらに、カメラ付きの携帯電話ｅｘ１１５で動画データを送信してもよい。このときの動画データは携帯電話ｅｘ１１５が有するＬＳＩで符号化処理されたデータである。
【０３７８】
このコンテンツ供給システムｅｘ１００では、ユーザがカメラｅｘ１１３、カメラｅｘ１１６等で撮影しているコンテンツ（例えば、音楽ライブを撮影した映像等）を符号化処理してストリーミングサーバｅｘ１０３に送信する一方で、ストリーミングサーバｅｘ１０３は要求のあったクライアントに対して上記コンテンツデータをストリーム配信する。クライアントとしては、符号化処理されたデータを復号化することが可能な、コンピュータｅｘ１１１、ＰＤＡｅｘ１１２、カメラｅｘ１１３、携帯電話ｅｘ１１４等がある。このようにすることでコンテンツ供給システムｅｘ１００は、符号化されたデータをクライアントにおいて受信して再生することができ、さらにクライアントにおいてリアルタイムで受信して復号化し、再生することにより、個人放送をも実現可能になるシステムである。
【０３７９】
コンテンツの表示に際して、上記実施形態で説明したが画像処理装置、画像処理方法、画像処理プログラムを用いてもよい。例えば、コンピュータｅｘ１１１、ＰＤＡｅｘ１１２、カメラｅｘ１１３、携帯電話ｅｘ１１４等は、上記実施形態で示した画像処理装置を備え、画像処理方法、画像処理プログラムを実現するものであってもよい。
【０３８０】
また、ストリーミングサーバｅｘ１０３は、画像処理装置に対して、インターネットｅｘ１０１を介してプロファイルデータを提供するものであってもよい。さらに、ストリーミングサーバｅｘ１０３は、複数台存在し、それぞれ異なるプロファイルデータを提供するものであってもよい。さらに、ストリーミングサーバｅｘ１０３は、プロファイルの作成を行うものであってもよい。このように、インターネットｅｘ１０１を介して、画像処理装置がプロファイルを取得できる場合、画像処理装置は、あらかじめ画像処理に用いるプロファイルを記憶しておく必要が無く、画像処理装置の記憶容量を削減することも可能となる。また、インターネットｅｘ１０１を介して接続される複数のサーバからプロファイルデータを取得できるため、異なる画像処理を実現することが可能となる。
【０３８１】
一例として携帯電話について説明する。
図３３は、上記実施形態の画像処理装置を備えた携帯電話ｅｘ１１５を示す図である。携帯電話ｅｘ１１５は、基地局ｅｘ１１０との間で電波を送受信するためのアンテナｅｘ２０１、ＣＣＤカメラ等の映像、静止画を撮ることが可能なカメラ部ｅｘ２０３、カメラ部ｅｘ２０３で撮影した映像、アンテナｅｘ２０１で受信した映像等が復号化されたデータを表示する液晶ディスプレイ等の表示部ｅｘ２０２、操作キーｅｘ２０４群から構成される本体部、音声出力をするためのスピーカ等の音声出力部ｅｘ２０８、音声入力をするためのマイク等の音声入力部ｅｘ２０５、撮影した動画もしくは静止画のデータ、受信したメールのデータ、動画のデータもしくは静止画のデータ等、符号化されたデータまたは復号化されたデータを保存するための記録メディアｅｘ２０７、携帯電話ｅｘ１１５に記録メディアｅｘ２０７を装着可能とするためのスロット部ｅｘ２０６を有している。記録メディアｅｘ２０７はＳＤカード等のプラスチックケース内に電気的に書換えや消去が可能な不揮発性メモリであるＥＥＰＲＯＭ（Electrically Erasable and Programmable Read Only Memory）の一種であるフラッシュメモリ素子を格納したものである。
【０３８２】
さらに、携帯電話ｅｘ１１５について図３４を用いて説明する。携帯電話ｅｘ１１５は表示部ｅｘ２０２および操作キーｅｘ２０４を備えた本体部の各部を統括的に制御するようになされた主制御部ｅｘ３１１に対して、電源回路部ｅｘ３１０、操作入力制御部ｅｘ３０４、画像符号化部ｅｘ３１２、カメラインターフェース部ｅｘ３０３、ＬＣＤ（Liquid Crystal Display）制御部ｅｘ３０２、画像復号化部ｅｘ３０９、多重分離部ｅｘ３０８、記録再生部ｅｘ３０７、変復調回路部ｅｘ３０６および音声処理部ｅｘ３０５が同期バスｅｘ３１３を介して互いに接続されている。
【０３８３】
電源回路部ｅｘ３１０は、ユーザの操作により終話および電源キーがオン状態にされると、バッテリパックから各部に対して電力を供給することによりカメラ付ディジタル携帯電話ｅｘ１１５を動作可能な状態に起動する。
携帯電話ｅｘ１１５は、ＣＰＵ、ＲＯＭおよびＲＡＭ等でなる主制御部ｅｘ３１１の制御に基づいて、音声通話モード時に音声入力部ｅｘ２０５で集音した音声信号を音声処理部ｅｘ３０５によってディジタル音声データに変換し、これを変復調回路部ｅｘ３０６でスペクトラム拡散処理し、送受信回路部ｅｘ３０１でディジタルアナログ変換処理および周波数変換処理を施した後にアンテナｅｘ２０１を介して送信する。また携帯電話ｅｘ１１５は、音声通話モード時にアンテナｅｘ２０１で受信した受信信号を増幅して周波数変換処理およびアナログディジタル変換処理を施し、変復調回路部ｅｘ３０６でスペクトラム逆拡散処理し、音声処理部ｅｘ３０５によってアナログ音声信号に変換した後、これを音声出力部ｅｘ２０８を介して出力する。
【０３８４】
さらに、データ通信モード時に電子メールを送信する場合、本体部の操作キーｅｘ２０４の操作によって入力された電子メールのテキストデータは操作入力制御部ｅｘ３０４を介して主制御部ｅｘ３１１に送出される。主制御部ｅｘ３１１は、テキストデータを変復調回路部ｅｘ３０６でスペクトラム拡散処理し、送受信回路部ｅｘ３０１でディジタルアナログ変換処理および周波数変換処理を施した後にアンテナｅｘ２０１を介して基地局ｅｘ１１０へ送信する。
【０３８５】
データ通信モード時に画像データを送信する場合、カメラ部ｅｘ２０３で撮像された画像データをカメラインターフェース部ｅｘ３０３を介して画像符号化部ｅｘ３１２に供給する。また、画像データを送信しない場合には、カメラ部ｅｘ２０３で撮像した画像データをカメラインターフェース部ｅｘ３０３およびＬＣＤ制御部ｅｘ３０２を介して表示部ｅｘ２０２に直接表示することも可能である。
【０３８６】
画像符号化部ｅｘ３１２は、カメラ部ｅｘ２０３から供給された画像データを圧縮符号化することにより符号化画像データに変換し、これを多重分離部ｅｘ３０８に送出する。また、このとき同時に携帯電話ｅｘ１１５は、カメラ部ｅｘ２０３で撮像中に音声入力部ｅｘ２０５で集音した音声を音声処理部ｅｘ３０５を介してディジタルの音声データとして多重分離部ｅｘ３０８に送出する。
【０３８７】
多重分離部ｅｘ３０８は、画像符号化部ｅｘ３１２から供給された符号化画像データと音声処理部ｅｘ３０５から供給された音声データとを所定の方式で多重化し、その結果得られる多重化データを変復調回路部ｅｘ３０６でスペクトラム拡散処理し、送受信回路部ｅｘ３０１でディジタルアナログ変換処理および周波数変換処理を施した後にアンテナｅｘ２０１を介して送信する。
【０３８８】
データ通信モード時にホームページ等にリンクされた動画像ファイルのデータを受信する場合、アンテナｅｘ２０１を介して基地局ｅｘ１１０から受信した受信信号を変復調回路部ｅｘ３０６でスペクトラム逆拡散処理し、その結果得られる多重化データを多重分離部ｅｘ３０８に送出する。
【０３８９】
また、アンテナｅｘ２０１を介して受信された多重化データを復号化するには、多重分離部ｅｘ３０８は、多重化データを分離することにより画像データの符号化ビットストリームと音声データの符号化ビットストリームとに分け、同期バスｅｘ３１３を介して当該符号化画像データを画像復号化部ｅｘ３０９に供給すると共に当該音声データを音声処理部ｅｘ３０５に供給する。
【０３９０】
次に、画像復号化部ｅｘ３０９は、画像データの符号化ビットストリームを復号することにより再生動画像データを生成し、これをＬＣＤ制御部ｅｘ３０２を介して表示部ｅｘ２０２に供給し、これにより、例えばホームページにリンクされた動画像ファイルに含まれる動画データが表示される。このとき同時に音声処理部ｅｘ３０５は、音声データをアナログ音声信号に変換した後、これを音声出力部ｅｘ２０８に供給し、これにより、例えばホームページにリンクされた動画像ファイルに含まる音声データが再生される。
【０３９１】
以上の構成において、画像復号化部ｅｘ３０９は、上記実施形態の画像処理装置を備えていてもよい。
なお、上記システムの例に限られず、最近は衛星、地上波によるディジタル放送が話題となっており、図３５に示すようにディジタル放送用システムにも上記実施形態で説明した画像処理装置、画像処理方法、画像処理プログラムを組み込むことができる。具体的には、放送局ｅｘ４０９では映像情報の符号化ビットストリームが電波を介して通信または放送衛星ｅｘ４１０に伝送される。これを受けた放送衛星ｅｘ４１０は、放送用の電波を発信し、この電波を衛星放送受信設備をもつ家庭のアンテナｅｘ４０６で受信し、テレビ（受信機）ｅｘ４０１またはセットトップボックス（ＳＴＢ）ｅｘ４０７などの装置により符号化ビットストリームを復号化してこれを再生する。ここで、テレビ（受信機）ｅｘ４０１またはセットトップボックス（ＳＴＢ）ｅｘ４０７などの装置が上記実施形態で説明した画像処理装置を備えていてもよい。また、上記実施形態の画像処理方法を用いるものであってもよい。さらに、画像処理プログラムを備えていてもよい。また、記録媒体であるＣＤやＤＶＤ等の蓄積メディアｅｘ４０２に記録した符号化ビットストリームを読み取り、復号化する再生装置ｅｘ４０３にも上記実施形態で説明した画像処理装置、画像処理方法、画像処理プログラムを実装することが可能である。この場合、再生された映像信号はモニタｅｘ４０４に表示される。また、ケーブルテレビ用のケーブルｅｘ４０５または衛星／地上波放送のアンテナｅｘ４０６に接続されたセットトップボックスｅｘ４０７内に上記実施形態で説明した画像処理装置、画像処理方法、画像処理プログラムを実装し、これをテレビのモニタｅｘ４０８で再生する構成も考えられる。このときセットトップボックスではなく、テレビ内に上記実施形態で説明した画像処理装置を組み込んでもよい。また、アンテナｅｘ４１１を有する車ｅｘ４１２で衛星ｅｘ４１０からまたは基地局ｅｘ１０７等から信号を受信し、車ｅｘ４１２が有するカーナビゲーションｅｘ４１３等の表示装置に動画を再生することも可能である。
【０３９２】
更に、画像信号を符号化し、記録媒体に記録することもできる。具体例としては、ＤＶＤディスクｅｘ４２１に画像信号を記録するＤＶＤレコーダや、ハードディスクに記録するディスクレコーダなどのレコーダｅｘ４２０がある。更にＳＤカードｅｘ４２２に記録することもできる。レコーダｅｘ４２０が上記実施形態の画像処理を備えていれば、ＤＶＤディスクｅｘ４２１やＳＤカードｅｘ４２２に記録した画像信号を画像処理し、モニタｅｘ４０８に表示することができる。
【０３９３】
なお、カーナビゲーションｅｘ４１３の構成は例えば図３４に示す構成のうち、カメラ部ｅｘ２０３とカメラインターフェース部ｅｘ３０３、画像符号化部ｅｘ３１２を除いた構成が考えられ、同様なことがコンピュータｅｘ１１１やテレビ（受信機）ｅｘ４０１等でも考えられる。
【０３９４】
また、上記携帯電話ｅｘ１１４等の端末は、符号化器・復号化器を両方持つ送受信型の端末の他に、符号化器のみの送信端末、復号化器のみの受信端末の３通りの実装形式が考えられる。
このように、上記実施形態で説明した画像処理装置、画像処理方法、画像処理プログラムを上述したいずれの機器・システムに用いることは可能であり、上記実施形態で説明した効果を得ることができる。
【産業上の利用可能性】
【０３９５】
本発明は、ルックアップテーブルを記憶するための記憶容量を削減しつつ、様々な色処理に対して処理度合いを任意に調整可能な画像処理装置を提供することが求められる画像処理装置、特に、画像信号の色処理を行う画像処理装置などとして有用である。
【図面の簡単な説明】
【０３９６】
【図１】画像処理装置１０の基本構成を説明するブロック図（第１実施形態）
【図２】画像処理装置１０の具体的構成を説明するブロック図（第１実施形態）
【図３】色変換プロファイル作成方法について説明するフローチャート（第１実施形態）
【図４】画像処理装置２６の具体的構成を説明するブロック図（第２実施形態）
【図５】画像処理装置４５の具体的構成を説明するブロック図（第３実施形態）
【図６】画像処理装置６０の具体的構成を説明するブロック図（第４実施形態）
【図７】画像処理装置７５の具体的構成を説明するブロック図（第５実施形態）
【図８】表示装置７２０の構成を説明するブロック図（第６実施形態）
【図９】表示用画像処理装置７２３の構成を説明するブロック図（第６実施形態）
【図１０】環境情報とプロファイルとの関係を説明する説明図（第６実施形態）
【図１１】ダイナミックレンジ圧縮関数Ｆ４について説明するグラフ（第６実施形態）
【図１２】表示用画像処理装置７５５の構成を説明するブロック図（第６実施形態）
【図１３】表示用画像処理装置７５９の構成を説明するブロック図（第６実施形態）
【図１４】コンテンツ情報を含む入力信号ｄ１１０のフォーマット（第６実施形態）
【図１５】シーン属性情報を含む入力信号ｄ１１０のフォーマット（第６実施形態）
【図１６】撮影属性情報を含む入力信号ｄ１１０のフォーマット（第６実施形態）
【図１７】放送属性情報を含む入力信号ｄ１１０のフォーマット（第６実施形態）
【図１８】記録属性情報を含む入力信号ｄ１１０のフォーマット（第６実施形態）
【図１９】プロファイル属性情報を含む入力信号ｄ１１０のフォーマット（第６実施形態）
【図２０】表示用画像処理装置７６５の構成を説明するブロック図（第６実施形態）
【図２１】撮影装置８２０の構成を説明するブロック図（第７実施形態）
【図２２】撮影用画像処理装置８３２の構成を説明するブロック図（第７実施形態）
【図２３】環境情報とプロファイルとの関係を説明する説明図（第７実施形態）
【図２４】撮影用画像処理装置８７５の構成を説明するブロック図（第７実施形態）
【図２５】撮影用画像処理装置８７０の構成を説明するブロック図（第７実施形態）
【図２６】撮影用画像処理装置８７０の動作を説明する説明図（第７実施形態）
【図２７】撮影用画像処理装置８８４の構成を説明するブロック図（第７実施形態）
【図２８】撮影用画像処理装置８９０の構成を説明するブロック図（第７実施形態）
【図２９】推奨プロファイル情報ｄ１４０を含む出力画像信号ｄ３６１のフォーマット（第７実施形態）
【図３０】撮影用画像処理装置８９６の構成を説明するブロック図（第７実施形態）
【図３１】撮影用画像処理装置９０５の構成を説明するブロック図（第７実施形態）
【図３２】コンテンツ供給システムの全体構成について説明するブロック図（第９実施形態）
【図３３】本発明の画像処理装置を搭載する携帯電話の例（第９実施形態）
【図３４】携帯電話の構成について説明するブロック図（第９実施形態）
【図３５】ディジタル放送用システムの例（第９実施形態）
【符号の説明】
【０３９７】
１０    画像処理装置
１２    基本プロファイル群記憶部
１３    色処理部
１４    制御部
１５    プロファイル作成部
１６    色処理実行部
２０    プロファイル作成実行部
２１    プロファイルＲＡＭ
ｄ１    入力信号
ｄ２    画像信号
ｄ３    出力信号
【図１】
2006042294.tif 000003
【図２】
2006042294.tif 000004
【図３】
2006042294.tif 000005
【図４】
2006042294.tif 000006
【図５】
2006042294.tif 000007
【図６】
2006042294.tif 000008
【図７】
2006042294.tif 000009
【図８】
2006042294.tif 000010
【図９】
2006042294.tif 000011
【図１０】
2006042294.tif 000012
【図１１】
2006042294.tif 000013
【図１２】
2006042294.tif 000014
【図１３】
2006042294.tif 000015
【図１４】
2006042294.tif 000016
【図１５】
2006042294.tif 000017
【図１６】
2006042294.tif 000018
【図１７】
2006042294.tif 000019
【図１８】
2006042294.tif 000020
【図１９】
2006042294.tif 000021
【図２０】
2006042294.tif 000022
【図２１】
2006042294.tif 000023
【図２２】
2006042294.tif 000024
【図２３】
2006042294.tif 000025
【図２４】
2006042294.tif 000026
【図２５】
2006042294.tif 000027
【図２６】
2006042294.tif 000028
【図２７】
2006042294.tif 000029
【図２８】
2006042294.tif 000030
【図２９】
2006042294.tif 000031
【図３０】
2006042294.tif 000032
【図３１】
2006042294.tif 000033
【図３２】
2006042294.tif 000034
【図３３】
2006042294.tif 000035
【図３４】
2006042294.tif 000036
【図３５】
2006042294.tif 000037